(57)【要約】【課題】遊技盤の後方への不正アクセスを防止することができる遊技機を提供すること。【解決手段】この遊技機は、遊技盤の後面の少なくとも一部を覆う閉鎖位置と、開放する開放位置と、の間を移動する開閉部材（下部ユニット）と、閉鎖位置の開閉部材の移動を規制するロック部材と、ロック位置のロック部材の移動を規制する規制部材と、を備え、規制部材は、外力が加えられることにより非規制状態に変形し、外力を除去されることにより非規制状態から規制状態に戻る。【選択図】図１
2013135826.tif 000002
【特許請求の範囲】
【請求項１】
遊技盤を保持する遊技機枠と、
該遊技機枠に対して揺動開閉され、該遊技機枠に保持された該遊技盤の後面の少なくとも一部を覆う閉鎖位置と、該後面を開放する開放位置と、の間を移動する開閉部材と、
該閉鎖位置の該開閉部材の移動を規制するロック位置と、該移動を規制しない非ロック位置と、の間を移動するロック部材と、
該ロック位置の該ロック部材の移動を規制する規制状態と、該移動を規制しない非規制状態と、を実現する規制部材と、を備える遊技機であって、
該規制部材は、外力が加えられることにより該非規制状態に変形し、かつ該外力が除去されることにより該非規制状態から該規制状態に戻るように構成されている、遊技機。
【発明の詳細な説明】
【技術分野】
【０００１】
本発明は、遊技盤の後面を開閉する開閉部材の移動を規制するロック部材を備える遊技機に関する。
【背景技術】
【０００２】
パチンコ機等の遊技機においては、弾球された遊技球が遊技領域（遊技盤面上又はその近傍に形成された領域であって、遊技球の流下による遊技や演出を実現するための領域。）を流下して、その流下の過程で遊技球が遊技領域内の遊技釘や風車に衝突しつつ転回して流下方向が変化する。その結果、遊技球は、遊技領域上に配置された各種入賞口（入球口）に入賞したり、入賞せずにアウト口に導かれたりする。
【０００３】
各種入賞口には、遊技球の通過を検出する球通過検出手段が設けられており、この球通過検出手段による遊技球の検出を契機として所定の賞球払出しがなされる。また、球通過検出手段によって検出された遊技球は、遊技盤の背面に設けられた球通路に導かれ、球通路を通過した後に遊技機の下方に集められて、遊技済球として遊技機外に排出される。
【０００４】
球通路は、遊技機の下方に遊技球を排出するため、その球出口は開放されており、近年、球出口から球通路内に不正具が挿入される不正行為が行われている。この不正行為は、球出口から球通路内に不正具等を挿入し、球通路内の遊技球を逆流させて球通過検出手段を通過した遊技球を再度球通過検出手段によって検出させたり、不正具によって球通過検出手段を誤作動させたりして、不正に賞球の払出しをさせることにより行われる。このような不正行為がなされると、公平な遊技を実現できなくなる。
【０００５】
このような問題に鑑みて特許文献１には、入賞球を検出する検出孔を有する入賞球検出スイッチを誤作動させて賞球を不正に獲得するという不正行為を抑制するパチンコ機が記載されている。このパチンコ機は、入賞球検出スイッチの検出孔の下側に、検出孔への外部からの異物（不正具）の侵入を防止するための蓋部材を備えている。蓋部材は、定常時は付勢手段によって閉状態に保たれ、入賞時は落下してくる入賞球の重さによって開いて入賞球を通過させ、入賞球の通過後は付勢手段によって閉状態に戻るように構成されている。
【０００６】
このパチンコ機は、パチンコ機前面の下受け皿から針金等の異物が差し込まれ入賞球検出スイッチを誤作動させようとしても、閉状態にある蓋部材が検出孔への異物の侵入を邪魔するように構成されている。
【先行技術文献】
【特許文献】
【０００７】
【特許文献１】特開２００１−１４５７５６号公報
【発明の概要】
【発明が解決しようとする課題】
【０００８】
また、遊技球が入球する入球装置は、遊技盤を前後方向に貫通して装着されており、遊技盤の前面に設けられた遊技領域を流下する遊技球を流入させ、流入した遊技球を遊技盤の後方に導くように構成されている。遊技盤の後方から入球装置にアクセスされることにより、入賞球検出スイッチを誤作動させて賞球を不正に獲得するという不正行為が行われる可能性がある。したがって、不正行為を防ぐために遊技盤の後方を開放し難くする必要がある。
【０００９】
遊技盤の後方には、遊技を制御する各種制御手段を収容する制御基板ケースや各種遊技部品が装着されている。制御基板ケースは、遊技盤を内包する遊技機枠に固定されており、通常の遊技中は遊技盤の後方を覆うように配置されている。しかし、制御基板の検査等メンテナンスを実施する際は、制御基板ケース等を外して遊技盤の後方を開放する必要がある。したがって、遊技盤の後方に装着された制御基板ケース等の遊技部品は、取り外し可能に構成されていたり、開閉可能に構成されていたりする。
【００１０】
このとき、遊技盤の後方に装着された遊技部品が容易に取り外されたり、開放されたりするように構成されていると、不正具によって遊技盤の後方を覆う遊技部品を外されてしまい、遊技盤の後面に容易にアクセスされてしまうおそれがある。
【００１１】
本発明は、上記の事情に鑑みて為されたもので、遊技盤の後方を開閉可能に構成された開閉部材を有する遊技機において、開閉部材の開閉移動を規制し、遊技盤の後方への不正アクセスを防止することができる遊技機を提供することを例示的課題とする。
【課題を解決するための手段】
【００１２】
本発明の例示的な側面としての遊技機は、遊技盤を保持する遊技機枠と、遊技機枠に対して揺動開閉され、遊技機枠に保持された遊技盤の後面の少なくとも一部を覆う閉鎖位置と、後面を開放する開放位置と、の間を移動する開閉部材と、閉鎖位置の開閉部材の移動を規制するロック位置と、規制を解除した非ロック位置と、の間を移動するロック部材と、ロック位置のロック部材の移動を規制する規制部材と、を備える遊技機であって、規制部材は、外力が加えられることにより非規制状態に変形し、かつ外力が除去されることにより非規制状態から規制状態に戻るように構成されている。
【００１３】
開閉部材は、遊技機枠に対して揺動開閉するように構成されており、遊技機枠に装着された遊技盤の後面の少なくとも一部を覆う閉鎖位置と、遊技盤の後方を開放した開放位置と、の間を移動する。ロック部材は、開閉部材が遊技盤の後面を覆う閉鎖位置において開閉部材の移動を規制するロック位置と、移動を規制しない（規制を解除した）非ロック位置と、の間を移動する。したがって、ロック部材によって開閉部材が閉鎖位置から開放位置へ移動することを規制して、不正に遊技盤の後方が開放されることを防止することができる。
【００１４】
また、規制部材は、外力が加えられることによりロック位置のロック部材の移動を規制しない非規制状態に変形し、かつ外力を除去されることにより非規制状態から規制状態に戻るように構成されており、ロック位置のロック部材の移動を規制する規制状態と、移動を規制しない非規制状態と、を実現する。したがって、規制部材によってロック位置から非ロック位置へのロック部材の移動を規制して、ロック部材による開閉部材の移動規制を維持することができる。
【００１５】
このようにロック部材と規制部材とが設けられているため、開閉部材を開放位置とするためには、まず、規制部材に対して外力を付加して、規制部材によるロック部材に対する移動規制を解除する。次いで、規制部材による移動規制を解除した状態で、ロック部材をロック位置から非ロック位置に移動して、ロック部材による開閉部材の移動規制を解除する。そして、開閉部材を閉鎖位置から開放位置に移動することができる。
【００１６】
すなわち、規制部材によるロック部材の移動規制と、ロック部材による開閉部材の移動規制と、を解除しなければ開閉部材を閉鎖位置から開放位置に移動することができないため、遊技盤の後面に対する不正アクセスをし難くすることができる。また、規制部材を一旦非規制状態に変形させても、外力を除去すると元の規制状態に戻るように構成されているため、規制部材に対して外力を加えた状態でロック部材を操作しなければ開閉部材を開放位置に移動することができない。
【００１７】
規制部材の外力の付加とは、例えば、手指等による押圧である。手指等で押圧することにより規制部材を変形させると、開閉部材の移動操作を片手で操作することは困難であり、両手で開閉部材の移動操作を行う必要がある。すなわち、単なるスライド移動等、単純な操作のみでは開閉部材の移動規制を解除できず、不正なアクセスを効果的に防止することができる。具体的には、遊技機枠に対して不正具が挿入され、規制部材の規制が解除された場合であっても、規制部材の規制を解除した状態でロック部材を移動することができないため、不正具による遊技盤の後面への不正アクセスを防止することができる。
【００１８】
このように、不正具等による開閉部材の開閉操作を難しくすることにより、遊技盤の後面へのアクセスを防止して、入賞球検出スイッチを誤作動させて賞球を不正に獲得するという不正行為を防止することができる。
【００１９】
なお、規制部材の変形方向と、ロック部材の移動方向と、を異ならせることにより、不正具等による操作を更にし難くすることができ、効果的に不正行為を防止して、セキュリティー性を高めることができる。
【００２０】
また、ロック部材は、開閉部材と別個に設けられ、開閉部材と係合するように構成されていてもよいし、開閉部材と一体化して設けられ、遊技機枠と係合することによって開閉部材の移動を規制するように構成されていてもよい。
【００２１】
本発明の更なる目的又はその他の特徴は、以下添付図面を参照して説明される好ましい実施の形態によって明らかにされるであろう。
【発明の効果】
【００２２】
本発明によれば、ロック部材と規制部材とが設けられているため、規制部材によるロック部材の移動規制と、ロック部材による開閉部材の移動規制と、を解除しなければ開閉部材を閉鎖位置から開放位置に移動することができないため、遊技盤の後面に対するアクセスをし難くすることができる。
【００２３】
また、規制部材を一旦非規制状態に変形させても、外力を除去すると元の規制状態に戻るように構成されているため、規制部材に対して外力を付加した状態でロック部材を操作しなければ開閉部材を開放位置に移動することができない。すなわち、単なるスライド移動等単純な操作のみでは開閉部材の移動規制を解除できず、不正なアクセスを効果的に防止することができる。したがって、遊技盤の後面への不正アクセスを防止して、入賞球検出スイッチを誤作動させて賞球を獲得するという不正行為を防止することができる。
【００２４】
また、規制状態においてロック部材がロック位置から非ロック位置に向かって移動することによって、規制部材が規制状態から非規制状態に向かう方向と反対方向に移動するよう構成することにより、規制状態においてロック部材が非ロック位置に向かって移動した場合において、規制部材を更に非規制状態から遠ざけることができ、不正行為を起因として規制部材によるロック部材の移動規制が解除されることを防ぐことができる。
【図面の簡単な説明】
【００２５】
【図１】本発明の実施の形態に係るパチンコ機の前面斜視図である。
【図２】本発明の実施の形態に係るパチンコ機の後面斜視図である。
【図３】このパチンコ機の分解斜視図である。
【図４】ヒンジ近傍の拡大図であって、ヒンジと保持軸とが係合した状態を示す図である。
【図５】ヒンジ近傍の拡大図であって、ヒンジと保持軸とが離脱した状態を示す図である。
【図６】パチンコ機の幕板近傍の部分拡大図である。
【図７】前枠の右下部近傍を後方から見た部分拡大斜視図である。
【図８】パチンコ機の前枠における右下部近傍を斜め右上前方から矢視した斜視図である。
【図９】パチンコ機のガラス枠における右下部近傍を斜め右上後方から矢視した斜視図である。
【図１０】パチンコ機の外枠及び裏セット盤における右下部近傍を斜め右上前方から矢視した斜視図である。
【図１１】パチンコ機の前枠における右下部近傍を斜め右上後方から矢視した斜視図である。
【図１２】パチンコ機の前枠における前面側下部近傍を斜め右上前方から矢視した斜視図であって、ファール球回収カバーを装着した状態を示す図である。
【図１３】パチンコ機の前枠における前面側下部近傍を斜め右上前方から矢視した斜視図であって、ファール球回収カバーを前方に取り外した状態を示す図である。
【図１４】ファール球回収カバーの外観斜視図であって、（ａ）は斜め右下前方から矢視した斜視図であり、（ｂ）は斜め右上後方から矢視した斜視図である。
【図１５】パチンコ機の発射ユニット近傍を斜め右上前方から矢視した斜視図である。
【図１６】発射ユニット近傍の正面図である。
【図１７】発射ユニットカバーを右上前方から見た外観斜視図である。
【図１８】パチンコ機のオーバーフロー通路近傍を斜め右上前方から矢視した斜視図である。
【図１９】オーバーフロー通路カバーの外観斜視図であって、（ａ）はその前面側を右上前方から矢視した図であり、（ｂ）はその裏面側を右上後方から矢視した図である。
【図２０】前枠を斜め右上後方から矢視した斜視図である。
【図２１】前枠を斜め右上後方から矢視した斜視図であって、右側遊技盤フックを後方に分解して示した図である。
【図２２】右側遊技盤フック近傍の拡大斜視図である。
【図２３】左側遊技盤フック近傍の拡大斜視図である。
【図２４】前枠を右上後方から矢視した斜視図であって、外レールを後方に分解して示した図である。
【図２５】外レール及びレール取付具の取付け部分を拡大した拡大図であって、前枠を斜め右下後方から矢視した図である。
【図２６】外レール及びレール取付具の取付け部分を拡大した拡大図であって、前枠を斜め右上後方から矢視した図である。
【図２７】外レール取付具の外観斜視図であって、（ａ）は斜め右上前方から矢視した図であり、（ｂ）は斜め右下前方から矢視した図である。
【図２８】パチンコ機の裏セット盤を右上前方から矢視した斜視図である。
【図２９】パチンコ機のガラス枠を斜め右上後方から矢視した斜視図である。
【図３０】ガラス枠のヒンジピン近傍における背面図であって（ａ）は、ヒンジピンロック機構のロック状態を示し、（ｂ）をヒンジピンロック機構の解除状態を示している。
【図３１】パチンコ機のガラス枠の背面を斜め右上後方から矢視した斜視図である。
【図３２】球抜きプレート近傍を拡大して示す拡大図である。
【図３３】パチンコ機のガラス枠の背面を斜め右上後方から矢視した斜視図である。
【図３４】整流器の前カバーと後カバーとを分離した分解図である。
【図３５】パチンコ機の発射装置ハンドルの分解図である。
【図３６】回転ハンドル部の一部を分解して示す分解斜視図である。
【図３７】パチンコ機の背面側を斜め左上後方から矢視した斜視図である。
【図３８】パチンコ機における球タンク及び球タンクに接続されたタンクレールの外観斜視図である。
【図３９】賞球払出ユニット近傍を拡大して示す拡大斜視図である。
【図４０】賞球払出ユニットを斜め左上後方から矢視した外観斜視図である。
【図４１】賞球払出ユニットの内部構造の概略を示す内部構造図である。
【図４２】タンクレール及び賞球待機通路の外観斜視図である。
【図４３】裏セット盤の左下方部分を斜め右上後方から見た斜視図である。
【図４４】裏セット盤及び前枠の左下方部分を斜め左上後方から矢視した斜視図である。
【図４５】裏セット盤の前面における右側面及び上側面部分を斜め左下前方から矢視した斜視図である。
【図４６】裏セット盤の前面における左側面及び下側面部分を斜め右上前方から矢視した斜視図である。
【図４７】パチンコ機を斜め右上後方から矢視した斜視図である。
【図４８】パチンコ機における左下部近傍を斜め左上後方から矢視した斜視図である。
【図４９】右上ロック構造及び左上ロック構造の部分を拡大して斜め右上後方から矢視した斜視図である。
【図５０】右上ロック構造を構成するロックスライダの外観斜視図であり、（ａ）は後面側を示し、（ｂ）は前面側を示している。
【図５１】外枠、前枠、ガラス枠の図示を省略して、裏セット盤のみを図示し、斜め右上前方から矢視した図である。
【図５２】前枠における左下部近傍を斜め左上後方から矢視した斜視図である。
【図５３】裏セット盤の前面側を斜め右上前方から矢視した斜視図である。
【図５４】パチンコ機を斜め右下後方から矢視した斜視図である。
【図５５】メイン制御基板ユニットの外観斜視図である。
【図５６】電源基板ユニットの外観斜視図であって、（ａ）は、スイッチカバーを閉鎖した状態を示し、（ｂ）はスイッチカバーを開放した状態を示す。
【図５７】電源基板ユニットの外観斜視図である。
【図５８】裏セット盤を斜め右下後方から矢視した斜視図である。
【図５９】払出制御基板ユニットの外観斜視図であって、（ａ）は、パチンコ機の取付け状態における斜め右下後方から矢視した斜視図であり、（ｂ）は、パチンコ機の取付け状態における斜め左上前方から矢視した斜視図である。
【図６０】裏セット盤に対して、各基板ユニットを取り付ける様子を示す分解説明図である。
【図６１】図５５に示したカシメ部材の分解斜視図である。
【図６２】メイン制御基板ケースにカシメ部材を取り付けた状態を説明するための側方断面図である。
【図６３】カシメ部材の他の例の分解斜視図である。
【図６４】カシメ部材の更に他の例の分解斜視図である。
【図６５】パチンコ機に用いる遊技盤ユニットの正面図である。
【図６６】アウト口ユニットのアウト口部近傍を拡大して示す拡大分解図である。
【図６７】パチンコ機における前枠を斜め右上前方から矢視して、施錠装置を後方に分解した分解斜視図である。
【図６８】このパチンコ機を斜め右上前方から見た斜視図である。
【図６９】このパチンコ機のガラス枠を斜め右下後方から見た斜視図である。
【図７０】このパチンコ機のガラス枠を略９０°の角度で前方開放した状態における下側ヒンジ近傍の拡大図である。
【図７１】このパチンコ機のガラス枠を略９０°の角度で前方開放した状態におけるヒンジピン及びロックアーム近傍の拡大図である。
【図７２】ヒンジピン及びロックアーム近傍におけるガラス枠の拡大背面図であって、（ａ）は、ロックアームの解除状態を示し、（ｂ）は、ロックアームのロック状態を示している。
【図７３】パチンコ機を斜め右上前方から矢視した外観斜視図であって装飾部材の一部としてのトップ装飾ユニットを前方に分解した図である。
【図７４】トップ装飾ユニットの分解斜視図である。
【図７５】ガラス枠の右側方近傍を斜め左上後方から矢視した斜視図であって、装飾部材の後方に補強部材とガラス枠シャーシとを分解した図である。
【図７６】パチンコ機を斜め右上前方から矢視した外観斜視図であって演出ボタンユニットを上方に分解して示した図である。
【図７７】演出ボタンユニットの内部構造の概略を示すための分解図である。
【図７８】演出ボタンユニットを上下逆転してその下面を示す斜視図である。
【図７９】パチンコ機の上球皿近傍の拡大図であって、演出ボタンユニット及びＣＲボタンユニットを上方に分解して示した図である。
【図８０】パチンコ機の左側辺近傍における中央やや下方位置であって、上球皿の左側近傍を拡大して示す図である。
【図８１】十字キーユニット近傍を斜め左上前方から矢視してその内部構造の概略を示す分解斜視図である。
【図８２】ガラス枠の右側方近傍を斜め右下後方から矢視した斜視図であって、アース端子及びその近傍の拡大斜視図である。
【図８３】パチンコ機のガラス枠背面における中央下部近傍を斜め右上後方から矢視した斜視図である。
【図８４】パチンコ機のガラス枠背面における右上部近傍を斜め左後方から矢視した斜視図である。
【図８５】ガラス枠の背面における右側下部近傍を斜め右上後方から矢視した斜視図であって、ガイド凸部及びその近傍の拡大斜視図である。
【図８６】前枠の前面における右側下部近傍を斜め右上前方から矢視した斜視図であって、ガイド筒部及びその近傍の拡大斜視図である。
【図８７】ガラス枠の左側上部近傍を斜め右上後方から矢視した斜視図である。
【図８８】前枠の左側上部近傍を斜め右上前方から矢視した斜視図である。
【図８９】パチンコ機における左側辺近傍の部分断面図である。
【図９０】ガラス枠の下部を斜め右上後方から矢視した斜視図であって、後方にカバーを分解した図である。
【図９１】変形例に係る払出制御基板ユニットの外観斜視図である。（ａ）は、パチンコ機の取付け状態における斜め左上後方から矢視した斜視図であり、（ｂ）は、パチンコ機の取付け状態における斜め左下後方から矢視した斜視図である。
【図９２】前枠の背面側における左側下部近傍を斜め右上後方から矢視した斜視図である。
【図９３】前枠の背面側における左側上部近傍を斜め右上後方から矢視した斜視図である。
【図９４】裏セット盤の右側上部近傍を斜め右上前方から矢視した斜視図である。
【実施するための形態】
【００２６】
以下、本発明の実施の形態に係るパチンコ機２について、図面を参照しつつ説明する。
【００２７】
＜ヒンジ部＞
図１、図２は、本発明の実施の形態に係るパチンコ機（遊技機）２の斜視図である。図１においては、右上前方から斜めに矢視しており、図２においては、右上後方から斜めに矢視している。図３は、このパチンコ機２の分解斜視図である。図３においては、遊技盤は図示省略している。
【００２８】
パチンコ機２は、大略ガラス枠１２、前枠９、外枠４、裏セット盤７０を有している。ガラス枠１２は、パチンコ機２の最前方に位置し、遊技者に対向する枠である。ガラス枠１２は装飾部材３２、球皿１４、発射装置ハンドル１５、ガラス１０等を有している。ガラス枠１２がパチンコ機２の前面側を覆っているので、遊技者による前面側からのパチンコ機２内部（例えば、遊技盤、発射ユニットＣ１等）への不正アクセスが防止されている。
【００２９】
前枠９は、ガラス枠１２の後方に位置し、発射ユニットＣ１、ファール球回収通路の一部、オーバーフロー通路の一部、施錠装置６０等を有している。前枠９の後面側には、前枠９に対して後方へ揺動開閉可能に裏セット盤７０が取り付けられている。前枠９は、左上隅近傍にヒンジ２２を有しており、このヒンジ２２によって左側部近傍を回転中心として前方へ揺動開閉可能にガラス枠１２を保持している。
【００３０】
外枠４は、前枠９の後方に位置し、その下部近傍に幕板５０を有している。外枠４は、パチンコ機２全体の上下左右側面を構成する枠体であって、遊技機ホールにおける遊技機島に取り付けられるものである。外枠４の左上隅近傍には、保持プレート４ａ及び保持軸４ｂが配置され、前枠９のヒンジ２２を回転可能に軸支している。そのため、前枠９は、外枠４に対しその左側部近傍を回転中心として前方へ揺動開閉可能となっている。
【００３１】
裏セット盤７０は、遊技球排出用の集合通路、賞球払出用の賞球払出通路、賞球払出ユニット、球タンク１０１等を有している。裏セット盤７０は、前枠９の後方に位置し、前枠９に対してその左側部近傍を回転中心として後方へ揺動開閉可能となっている。
【００３２】
これら、外枠４、前枠９、ガラス枠１２を有して遊技機枠３が構成されている。通常使用時（遊技時）には、各枠は閉鎖されて施錠装置によって施錠される。メンテナンス等の際には、施錠装置６０が解錠されて、各枠が他の枠に対して開放可能となる。
【００３３】
図４は、ヒンジ２２近傍の拡大図であって、ヒンジ２２と保持軸４ｂとが係合した状態を示した図である。図５は、ヒンジ２２近傍の拡大図であって、ヒンジ２２と保持軸４ｂとが離脱した状態を示した図である。ヒンジ２２と保持軸４ｂとの係合及び離脱によって、外枠４と前枠９とはヒンジ２２において着脱可能となっている。
【００３４】
より具体的には、図４に示す状態においては、ヒンジ２２の穴部２２ａ内に保持軸４ｂの先端部が係合しており、穴部２２ａが保持軸４ｂ周りに回転可能となっている。外枠４と前枠９とは、その左下部近傍においても軸部と穴部とによって回転可能となっており（不図示）、結果的に、外枠４に対して前枠９が左側部近傍を回転中心として揺動可能となる。
【００３５】
ヒンジ２２は、解除レバー２２ｂを有している。解除レバー２２ｂは、外枠４と前枠９との閉鎖状態においては、保持プレート４ａの下方に隠れる位置となって、外部から視認もアクセスもできなくなっている。外枠４に対し前枠９を前方に開放すると、解除レバー２２ｂが現れる。解除レバー２２ｂを図５中の矢印Ａ方向に解除操作すると、穴部２２ａの一側面を覆っていた壁部２２ｃが解除レバー２２ｂの移動に連動して退避移動し、穴部２２ａの一部が欠損状態となる。そして、この欠損部２２ｄから保持軸４ｂを取り外すことにより、外枠４から前枠９を離脱させることが可能となる。
【００３６】
なお、欠損部２２ｄは、外枠４に対し前枠９をある程度（例えば、６０°〜９０°程度）開放した状態で、おおよそ前方を向く位置に設定されている。したがって、解除レバー２２ｂを解除操作した状態で、前枠９を外枠４に向けて押し込む（すなわち、後方に移動させる）操作だけで、保持軸４ｂとヒンジ２２との離脱が簡単に行えるようになっている。
【００３７】
＜幕板＞
図６は、このパチンコ機２の幕板５０近傍の部分拡大図である。図６においては、幕板５０及び外枠４のみを示し、他の構成については図示を省略している。幕板５０は、外枠４の下部において、外枠４の左側面から右側面にかけて配置された略直方体状の構成物である。幕板５０は、図１にも示すように、球皿１４の下方に位置するように配置されている。
【００３８】
幕板５０は、大略中空構造を有しており、その中空内部に下部スピーカ５２が左右に２つ配置されている。下部スピーカ５２は、スピーカコーンによって構成されるその放音部を前方に向けて左右に配置されている。幕板５０の前面側には、放音部に対応する位置にスピーカグリッド５０ａが配置されている。スピーカグリッド５０ａは、下部スピーカ５２からの音声を幕板５０の外部に効率的に放音するためのもので、幕板５０に形成された多数の放音孔や金属線材を網目状に形成した網目板等によって構成される。
【００３９】
図７は、前枠９の右下部近傍を後方から見た部分拡大斜視図である。図６に示すように、幕板５０の右側上部にはドロワコネクタ（オス側）５０ｂが配置されている。そのドロワコネクタ５０ｂに対応するように、図７に示すように、前枠９の右下部近傍にはドロワコネクタ（メス側）５０ｃが配置されている。
【００４０】
外枠４に対し前枠９を閉鎖すると、ドロワコネクタ（オス側）５０ｂとドロワコネクタ（メス側）５０ｃとが接続される。ドロワコネクタ（オス側）５０ｂは、幕板５０の下部スピーカ５２へと接続されている。ドロワコネクタ（メス側）５０ｃは、前枠９側（より詳細には、前枠９と共に前方開閉される裏セット盤７０側）に配置された電源基板ユニットへと接続されている。
【００４１】
外枠４に対し前枠９を閉鎖するのみで、わざわざコネクタの接続作業をすることなくドロワコネクタ５０ｂ，５０ｃ同士が接続され、下部スピーカ５２への電源供給が行われる。逆に、外枠４に対し前枠９を前方開放すると、ドロワコネクタ（メス側）５０ｃがドロワコネクタ（オス側）５０ｂから離脱する。わざわざコネクタの取外し作業を行うことなく、ドロワコネクタの離脱が完了する。また、コネクタの取外しを忘れたまま前枠９を前方に開放してしまい、コネクタ及び配線に無理な外力がかかって破損してしまう、という不具合を予防している。
【００４２】
ドロワコネクタ（オス側）５０ｂには、左右の下部スピーカ５２の配線用の接続ピンが前後に延びるように複数立設している。この複数のピンのうち、ヒンジ２２に近い側に配置される内側ピン５０ｄが、ヒンジ２２から遠い側に配置される外側ピン５０ｅよりも長くされている。そのため、前枠９の閉鎖時に、外側ピン５０ｅよりも内側ピン５０ｄの方が先にドロワコネクタ（メス側）５０ｃと接続されるようになっている。
【００４３】
ドロワコネクタ（メス側）５０ｃは、２本のネジ５３によって前枠９に取り付けられているが、固定的に取り付けられているのでなく、一定のガタを持たせて取り付けられている。つまり、ドロワコネクタ（メス側）５０ｃは、一定範囲で上下左右に自由に移動可能となっている。したがって、前枠９の閉鎖時に、ドロワコネクタ５０ｂ，５０ｃ同士に多少の位置ずれがあったとしても、問題なく両コネクタ５０ｂ，５０ｃの接続が可能となっている。
【００４４】
なお、ドロワコネクタ（メス側）５０ｃの近傍に前枠９の開閉を検出する開閉センサ５４が配置され、それに対応するドロワコネクタ（オス側）５０ｂの近傍位置に、開閉センサ５４用の検出片５５が配置されている。前枠９の開放が検出されているにも拘らずドロワコネクタ５０ｂ，５０ｃ同士が接続されているという不具合や、前枠９の閉鎖が検出されているにも拘らずドロワコネクタ５０ｂ，５０ｃ同士が離脱しているという不具合が防止されている。
【００４５】
＜開閉センサ＞
図８は、パチンコ機２の前枠９における右下部近傍を斜め右上前方から矢視した斜視図である。図８においては、ガラス枠１２の図示を省略している。図９は、パチンコ機２のガラス枠１２における右下部近傍を斜め右上後方から矢視した斜視図である。図９においては、外枠４、前枠９及び裏セット盤７０の図示を省略している。
【００４６】
図１０は、パチンコ機２の外枠４及び裏セット盤７０における右下部近傍を斜め右上前方から矢視した斜視図である。図１０においては、ガラス枠１２及び前枠９の図示を省略している。図１１は、パチンコ機２の前枠９における右下部近傍を斜め右上後方から矢視した斜視図である。図１１においては、ガラス枠１２及び裏セット盤７０の図示を省略している。
【００４７】
図８に示すように、前枠９における右下部近傍位置及び中央やや下方位置の２箇所に、前枠９に対するガラス枠１２の開閉を検出する開閉センサ５６が配置されている。そして、図９に示すように、ガラス枠１２の裏面側には、２つの開閉センサ５６に対応する位置に２つの検出片５７が配置されている。
【００４８】
開閉センサ５６は、オンオフスイッチである。ガラス枠１２が前枠９に閉鎖されて検出片５７が開閉センサ５６に当接すると、開閉センサ５６がガラス枠１２の閉鎖を検出する。ガラス枠１２が前方に開放されて検出片５７が開閉センサ５６から離間すると、開閉センサ５６がガラス枠１２の開放を検出する。検出片５７は、樹脂又は金属等により形成されて、前後方向に弾性を有する構造とされている。前枠９やガラス枠１２のいずれかに多少の部品バラツキや取付バラツキがあっても、弾性によりそのバラツキを吸収しつつ、検出片５７はガラス枠１２の閉鎖時に確実かつ適正に開閉センサ５６に当接するようになっている。ガラス枠１２の閉鎖時に、当接不足により閉鎖検出がされない、当接過剰により開閉センサ５６が破損する、等の事態が発生しないようになっている。
【００４９】
図１０に示すように、外枠４における右下部近傍位置であってドロワコネクタ（オス側）５０ｂの近くに、外枠４に対する前枠９の開閉を検出する開閉センサ５４用の検出片５５が配置されている。そして、前枠９の裏面側には、検出片５５に対応する位置に開閉センサ５４が配置されている（図７参照）。
【００５０】
開閉センサ５４は、オンオフスイッチである。前枠９が外枠４に閉鎖されて検出片５５が開閉センサ５４に当接すると、開閉センサ５４が前枠９の閉鎖を検出する。前枠９が前方に開放されて検出片５５が開閉センサ５４から離間すると、開閉センサ５４が前枠９の開放を検出する。検出片５５は、樹脂又は金属等により形成されて、前後方向に弾性を有する構造とされており、実質的に、検出片５７と同様の構造とされている。
【００５１】
図１１に示すように、前枠９の裏面側には、裏セット盤７０の開閉を検出する開閉センサ５８が配置されている。そして、裏セット盤７０の前面側には、開閉センサ５８に対応する位置に検出片５９が配置されている。
【００５２】
裏セット盤７０は、その左側辺において前枠９に揺動支持され、前枠９に対して後方に開閉可能とされている。開閉センサ５８はオンオフスイッチである。前枠９に対して裏セット盤７０が前方に閉鎖されて検出片５９が開閉センサ５８に当接すると、開閉センサ５８が裏セット盤７０の閉鎖を検出する。裏セット盤７０が後方に開放されて検出片５９が開閉センサ５８から離間すると、開閉センサ５８が裏セット盤７０の開放を検出する。なお、検出片５９は、検出片５５や検出片５７と同様の構成とされていてもよいが、本実施形態においては、検出片５９は裏セット盤７０の前面から突出した突出部である。
【００５３】
開閉センサ５８及び検出片５９は、パチンコ機２の左右方向における中央であって上下方向における中央よりやや下方位置に配置されている。換言すると、球皿１４の後方であって、球皿１４への賞球払出通路６１の上方、かつ、アウト球用集合通路６２の前方に位置している。この位置に裏セット盤７０用の開閉センサ５８を配置することにより、不正行為の防止効果を向上させることができる。
【００５４】
すなわち、不正行為者は、球皿１４の賞球払出通路６１からピアノ線や金属板等の不正工具を侵入させ、前枠９と裏セット盤７０との間をこじ開けて隙間を作り、その隙間から不正工具を更にパチンコ機２内部に侵入させる不正行為を行う場合がある。本実施形態で説明する位置に開閉センサ５８及び検出片５９を配置することにより、前枠９と裏セット盤７０とのこじ開けを確実に「裏セット盤７０の開放」として検出することができ、このような不正行為を有効に防止し得る。
【００５５】
＜ファール球回収構造＞
図１２及び図１３は、パチンコ機２の前枠９における前面側下部近傍を斜め右上前方から矢視した斜視図である。図１２においてはファール球回収カバー６３を装着した状態を示し、図１３においてはファール球回収カバー６３を前方に取り外した状態を示している。
【００５６】
前枠９の左側やや下方位置には、ファール球回収口６４が位置している。ファール球は、発射ユニットＣ１によって発射されたものの遊技領域にまで到達せずにレールを逆戻りしてきた遊技球である。ファール球回収口６４は、そのファール球を回収するための回収口であって、発射ユニットＣ１の近傍に位置している。
【００５７】
ファール球回収カバー６３は、その上部開口６３ａと前枠９の前面とでファール球回収口６４を構成する。前枠９には、ファール球回収口６４から回収したファール球を流入させる流入口６４ｂが開口形成されており、流入口６４ｂは、その後方に位置する裏セット盤７０内のファール球回収通路（不図示）に繋がっている。ファール球として回収された遊技球は、ファール球回収口６４、流入口６４ｂ、ファール球回収通路を通り、払出口６５を介して下球皿（球皿１４の一部）１４ｂに排出されるようになっている。
【００５８】
図１４は、ファール球回収カバー６３の外観斜視図であって、（ａ）は斜め右下前方から矢視した斜視図であって主としてその正面側を示し、（ｂ）は斜め右上後方から矢視した斜視図であって主としてその背面側を示している。ファール球回収カバー６３は、上部開口６３ａがファール球回収口６４の一部を構成するように前枠９に取付けられたカバー部材である。具体的には、ファール球回収カバー６３の２つの突片６３ｂが前枠９の２つの係止孔９ｃに挿入され、ファール球回収カバー６３のフック６３ｃが前枠９のフック孔９ｄに係合されることにより前枠９に取付けられる。
【００５９】
ファール球回収カバー６３の下部近傍には、切断部材６６が装着されている。切断部材６６は、例えばステンレス等の金属部材により形成された刃部６６ａを有している。刃部６６ａは、人間の指等が殆ど触れないように安全を配慮して内向きに傾斜しているが、接触した糸等を切断することができるように構成されている。
【００６０】
切断部材６６は、発射ユニットＣ１から発射された遊技球の通過軌跡上に位置している（図１６参照）。そのため、いわゆる糸吊りゴト（遊技球に糸等を接着又は固定して作成した不正球を発射ユニットＣ１から遊技領域へと発射させ、糸を操作することにより不正球を入賞口に出し入れする等の不正な操作を行う行為）を目的として発射された不正球の糸等をこの切断部材６６により切断することができるようになっている。なお、図１４（ｂ）に示すように、切断部材６６の背面側には、発射された遊技球が通過する発射通路６３ｄが、ファール球流入通路６３ｅに隣接するように仕切り壁６３ｆによって仕切られて形成されている。
【００６１】
ファール球流入通路６３ｅは、仕切り壁６３ｇによって２つの通路６３ｈ，６３ｊに分離され、各々の通路６３ｈ，６３ｊは複数の補強リブ６３ｋによって補強されている。ファール球回収口６４から回収されたファール球は、左右２つの通路６３ｈ，６３ｊのいずれかに振り分けられて流入口６４ｂへと向かうようになっている。いずれの通路にも、ファール球を前枠９側（すなわち、後方）へと送り出す傾斜面が形成されているが、一方の通路（本実施形態では左側の通路６３ｈ）における傾斜面６３ｍは、他方の通路（本実施形態では右側の通路６３ｊ）における傾斜面６３ｎよりも高い位置に形成されており、落下してくるファール球を後方へと送り出すタイミングをずらすようになっている。
【００６２】
たとえ同じタイミングで２つのファール球がファール球回収口６４を落下してきて、各々が通路６３ｈと通路６３ｊとに振り分けられても、高さの異なる各々の傾斜面６３ｍ，６３ｎにより後方へ送り出されるタイミングがずらされるので、２つのファール球が噛み合って球詰まり状態（いわゆる、ぶどう状態）を生じてしまうことが防止されている。
【００６３】
＜発射ユニット＞
図１５は、パチンコ機２の発射ユニットＣ１近傍を斜め右上前方から矢視した斜視図であり、図１６は、発射ユニットＣ１近傍の正面図である。図１５においては、発射ユニットカバー６７を分解して示しており、図１６においては、発射ユニットカバー６７を取り外して示している。発射ユニットＣ１は、上球皿（球皿１４の一部）１４ａから整流器を介して送られてきた遊技球を遊技領域に向けて弾球発射するためのものである。発射ユニットＣ１は、大略発射レール６８、ハンマー６９、引張型ソレノイド７１を有して構成され、前枠９の左側下方位置近傍に取り付けられている。
【００６４】
発射レール６８は、弾球発射された遊技球を遊技領域に向けて案内する案内レールである。このパチンコ機２においては、いわゆる垂直発射方式が採用されているので、発射レール６８は遊技盤の左側下方に位置しており、鉛直方向からやや上方を左に傾斜させた方向に向けて延びている。整流器から送られてきた遊技球が発射レール６８の発射位置にセットされ、ハンマー６９によって弾球されると、その弾球された遊技球が発射レール６８に沿って上昇して更に外レールによって遊技盤の上部位置に案内され、遊技領域を流下するように構成されている。発射レール６８は、ファール球回収カバー６３の発射通路６３ｄに繋がっている。
【００６５】
ハンマー６９は、発射位置にセットされた遊技球を弾球するための部材であり、支軸部６９ａ、吸着部６９ｂ、打球部６９ｃ、当接部６９ｄを有して構成される。ハンマー６９は、支軸部６９ａを中心として回転可能とされており、引張型ソレノイド７１の通電／断電によって吸着部６９ｂが引張型ソレノイド７１に吸着／離間できるようになっている。そのため、ハンマー６９は、吸着部６９ｂにおいて少なくとも磁化可能な金属等の材料で形成されている。
【００６６】
引張型ソレノイド７１の通電により吸着部６９ｂが吸着されると、ハンマー６９が右回り（図１６中矢印Ｂ方向）に回転し、打球部６９ｃが発射位置にある遊技球を弾球するようになっている。このとき、当接部６９ｄがストッパ７２ａに当接してハンマー６９のそれ以上の右回り回転を規制する。引張型ソレノイド７１の断電により吸着部６９ｂへの吸引力が遮断されると、吸着部６９ｂが落下するようにハンマー６９が左回り（図１６中矢印Ｂと逆方向）に回転する。このとき、ハンマー６９は、その自重により左回りに回転しつつ落下するが、ハンマー６９の下面側がストッパ７２ｂに当接してハンマー６９のそれ以上の落下（左回り回転）を規制する。
【００６７】
引張型ソレノイド７１は、通電により吸着部６９ｂを吸着するソレノイドである。内部にコイルと固定子とを有し、吸着部６９ｂが可動子として機能することにより、磁力により可動子を吸着している。この発射ユニットＣ１においては、引張型ソレノイド７１を採用することにより、ロータリーソレノイド等を用いた発射ユニットに比較して、短いストロークでの吸着部６９ｂの吸着を実現している。ハンマー６９の回転移動距離の短縮により、１回の弾球動作における通電時間の短縮、ソレノイドによる吸着力の増大を実現し、省電力に寄与している。更に、ストロークの短縮化によりハンマー６９の動作安定性も向上し、発射強度の安定性も向上している。
【００６８】
発射ユニットＣ１の前方には、発射ユニットカバー６７が取付けられている。発射ユニットカバー６７は、前方から発射レール６８、ハンマー６９、引張型ソレノイド７１を覆うように発射ユニットＣ１に取付けられている。図１７は、発射ユニットカバー６７を右上前方から見た外観斜視図である。発射ユニットカバー６７の下部には軸穴６７ａが形成され、この軸穴６７ａが発射ユニットＣ１側の左右方向に延びる軸６７ｄに挿入されて、発射ユニットカバー６７は前枠９に対して前方に揺動開閉可能となっている。
【００６９】
発射ユニットカバー６７の上部には２つの弾性変形可能なフック６７ｂが形成され、このフック６７ｂが発射ユニットＣ１側の２つの突起部６７ｅに係止可能となっている。発射ユニットカバー６７を開けるときは、フック６７ｂを弾性変形させて突起部６７ｅから解除する。そうすると、発射ユニットカバー６７は、軸穴６７ａを中心に前方に開放可能となる。発射ユニットカバー６７を閉じるときは、その上部を後方に向けて押し込む。そうすると、フック６７ｂが突起部６７ｅに係止されて発射ユニットカバー６７が閉鎖状態となる。
【００７０】
発射ユニットカバー６７を発射ユニットＣ１に対して閉鎖することにより、発射ユニットＣ１内へのゴミやホコリの侵入を防止し、汚れ付着も防止することができる。ゴミ、ホコリ、汚れを防止することにより、遊技球の発射強度の安定性向上が図られる。また、ハンマー６９や引張型ソレノイド７１への不正アクセスが防止され、発射ユニットカバー６７は、発射ユニットＣ１に対する不正行為の防止効果も発揮している。
【００７１】
なお、発射ユニットカバー６７は、その取付孔６７ｃを介して発射ユニットＣ１側のネジ孔６７ｆに特殊ネジ（不図示）で締結されるようになっている。特殊ネジは、一般的なドライバー等の工具で回すことができず、ネジを取り外すのに特殊な工具が必要なネジである。それにより、発射ユニットカバー６７は、遊技者等によって容易に開放することができないようになっている。
【００７２】
図１８は、パチンコ機２のオーバーフロー通路近傍を斜め右上前方から矢視した斜視図であり、オーバーフロー通路カバー７３を分解して示している。図１９は、オーバーフロー通路カバー７３の外観斜視図であって、（ａ）はその前面側を右上前方から矢視した図であり、（ｂ）はその裏面側を右上後方から矢視した図である。
【００７３】
オーバーフロー通路は、上球皿１４ａに貯留しきれずオーバーフローした遊技球を下球皿１４ｂに向けて案内するための球通路である。オーバーフロー通路の一部は、裏セット盤７０側に形成されているが、このオーバーフロー通路カバー７３と前枠９の前面側とによってもオーバーフロー通路の一部が構成される。オーバーフロー通路カバー７３のガイド面７３ａ，７３ｂを前枠９側の案内ガイド９ｆ，９ｇに挿入しつつオーバーフロー通路カバー７３を左方向へとスライド移動させる。すると、オーバーフロー通路カバー７３のガイド面７３ｃが前枠９側の挿入孔９ｈに挿入されつつオーバーフロー通路カバー７３のフック７３ｄが前枠９側の突起部９ｊに係止されて、オーバーフロー通路カバー７３の前枠９への取付けが完了する。
【００７４】
前枠９には、裏セット盤７０からの賞球を払い出す払出口９ｅが開口形成されている。オーバーフロー通路カバー７３の前面側には開口部７３ｅが開口形成され、その開口部７３ｅを開閉可能にシャッター７３ｆが取り付けられている。ガラス枠１２を前枠９に閉鎖した状態では、上球皿１４ａの排出口から後方に延設されるガイド通路１２ａ（図９参照）がシャッター７３ｆを開放して開口部７３ｅを介して払出口９ｅと接続され、払出口９ｅからの遊技球（賞球）がガイド通路１２ａを通って上球皿１４ａへと払い出されるようになっている。
【００７５】
メンテナンス等においてガラス枠１２を前方開放すると、ガイド通路１２ａの前方移動と共にシャッター７３ｆが開口部７３ｅを閉鎖する。開口部７３ｅが閉鎖されているので、その後に払出口９ｅから払い出された遊技球は、開口部７３ｅから溢れ落ちることなくオーバーフロー通路カバー７３内を流下して、再び前枠９に形成された開口部９ｋから裏セット盤７０側のオーバーフロー通路へと案内される。そして、再び前枠９に形成された開口部９ｍから排出されてオーバーフロー通路カバー７３内へと至るようになっている。
【００７６】
開口部９ｍのすぐ下方にはシャッター９ｎが配置されている。ガラス枠１２の開放状態では、このシャッター９ｎとオーバーフロー通路カバー７３とによって払出口６５が閉鎖されており、払出口６５から遊技球が溢れ落ちないようになっている。ガラス枠１２を前枠９に対し閉鎖すると、下球皿１４ｂの排出口から後方に延設されるガイド通路１２ｂ（図９参照）がシャッター９ｎを開放して払出口６５と接続され、オーバーフロー通路カバー７３内の遊技球が下球皿１４ｂへと払い出されるようになっている。
【００７７】
＜遊技盤フック＞
図２０及び図２１は、前枠９を斜め右上後方から矢視した斜視図である。図２１においては、右側遊技盤フック７４を後方に分解して示している。
【００７８】
前枠９には、遊技盤が後方から取付可能となっている。遊技盤は、図示しないが、その表面に各種入賞口、遊技釘、図柄表示装置、演出用役物等が配置された所定厚さ（例えば、厚さ１０ｍｍ〜２０ｍｍ程度）の盤状部材であり、表面側に遊技球が流下する遊技領域が形成されている。前枠９には、その中央に中央開口９ｐが開口形成されており、前枠９の後面側に取り付けられた遊技盤の表面がその中央開口９ｐを通して前方から視認可能とされている。
【００７９】
遊技盤は、４つの遊技盤フックによって前枠９に取り付けられるようになっている。前枠９の後面側には、遊技盤の右側上下を取り付けるための２箇所の右側遊技盤フック７４が設けられ、遊技盤の左側上下を取り付けるための２箇所の左側遊技盤フック７５が設けられている。右側遊技盤フック７４は、全体がユニット化されており、ユニット全体で前枠９に対して容易に着脱可能となっている。左側遊技盤フック７５は、ネジにより前枠９に固定的に締結されている。
【００８０】
図２２は、右側遊技盤フック７４近傍の拡大斜視図である。図２２においては、前枠９の後面側を斜め左上後方から矢視して、上側の右側遊技盤フック７４を示している。右側遊技盤フック７４は、フック部材７４ａ、軸部材７４ｂ、バネ７４ｃ、ナット７４ｄを有してユニットとされている。フック部材７４ａは、遊技盤の裏面側に当接し、遊技盤の後方移動を規制するための部材で、例えば樹脂により形成されている。フック部材７４ａは、軸部材を貫通させる貫通孔が形成された円筒部７４ｅとその円筒部７４ｅから直角方向に延びた当接部７４ｆとを有し、大略Ｌ字形状とされている。軸部材７４ｂは、先端に突起７４ｇを有しており、後端にはネジ切りがされている。フック部材７４ａの貫通孔に軸部材７４ｂを通し、その後方のネジ部分にバネを介してナットを締結することにより、右側遊技盤フック７４がユニット化される。
【００８１】
前枠９の後面には、軸部材７４ｂを通すための穴（不図示）が形成されている。その穴には、一部に突起７４ｇを通過させるための切欠きが形成されており、突起７４ｇをその切欠きに通した後に軸部材７４ｂを回転させることにより、右側遊技盤フック７４が前枠９に取り付けられる。この状態で、フック部材７４ａは、バネ７４ｃによって前方、すなわち前枠９側へと付勢されており、かつ図２２中の矢印Ｃ方向に回転可能である。フック部材７４ａは、図２２に示すロック状態（すなわち、当接部７４ｆが下方に延びる状態）から矢印Ｃ方向に９０°回転した解除状態（すなわち、当接部７４ｆが図２２の二点鎖線Ｄ方向に延びる状態）まで回転可能である。
【００８２】
フック部材７４ａを解除状態として遊技盤を前枠９の後面側の所定位置にセットし、その後にフック部材７４ａをロック状態に回転させると、当接部７４ｆが遊技盤の右側裏面に当接しつつバネ７４ｃの作用で前方へ付勢し、遊技盤の後方移動を確実に規制する。簡便な操作で遊技盤の右側部分の前枠９への固定が完了する。
【００８３】
なお、フック部材７４ａを解除状態からロック状態へと回転させる際に、円筒部７４ｅに形成された突部７４ｈが前枠９側に形成された突部９ｑに当接しつつ突部９ｑを乗り越えるようになっている。この突部７４ｈが突部９ｑを乗り越えることにより、操作者はフック部材７４ａがロック状態となったことを確実に把握することができる。それにより、中途半端な半ロック状態（フック部材７４ａを矢印Ｃ方向に回転させたが、突部７４ｈが突部９ｑを乗り越えていない又は乗り越え途中の状態）を防止し、遊技盤の確実な取り付けに寄与している。
【００８４】
図２３は、左側遊技盤フック７５近傍の拡大斜視図である。図２３においては、前枠９の前面側を斜め右上前方から矢視して、下側の左側遊技盤フック７５を示している。左側遊技盤フック７５は、テーパ面７５ａと保持面７５ｂとを有している。テーパ面７５ａは、遊技盤の左側部近傍を右側から差し込む際に、その差込みを容易とするための傾斜面である。左側遊技盤フック７５の右側が所定角度（例えば４５°）で後方に傾斜するようにテーパ面７５ａが形成されている。
【００８５】
保持面７５ｂは、差し込まれた遊技盤の裏面を保持し、その後方移動を規制するための面である。保持面７５ｂは、テーパ面７５ａよりも左側に配置されている。前枠９側に形成された当接リブ９ｒ（図２０及び図２１参照）は、遊技盤の左側部に当接し、その左右方向の位置基準となるリブ面である。前枠９には、当接リブ９ｒ近傍において段状に形成された前方規制面９ｓも形成されている。前方規制面９ｓは所定位置にセットされた遊技盤の前方移動を規制するための前方位置基準となる面である。
【００８６】
遊技盤の取り付け手順としては以下の通りである。まず、右側遊技盤フック７４を解除状態とする。遊技盤の左側部が前方に右側部が後方になるように左右方向に傾斜させ、遊技盤の左側部近傍をテーパ面７５ａに沿わせつつ左側遊技盤フック７５と前方規制面９ｓとの間に差し込む。この際、遊技盤の左側部が当接リブ９ｒに、遊技盤の表面が前方規制面９ｓに当接するように差し込む。その後、遊技盤の右側部も前枠９の後面に押し付けつつ、右側遊技盤フック７４を解除状態からロック状態へと回転させる。それにより、遊技盤の裏面が保持面７５ｂと当接部７４ｆとによって保持される。
【００８７】
＜外レール取付構造＞
図２４は、前枠９を右上後方から矢視した斜視図である。図２４においては、外レール７６を後方に分解して示している。
【００８８】
外レール７６は、発射ユニットＣ１によって弾球発射された遊技球を遊技領域の上部に案内するための案内路を構成する。外レール７６は、前枠９に取付けられた状態での遊技盤の左下方位置から左上方位置を介して右上方位置までを曲線上に囲み、発射ユニットＣ１からの遊技球を受け入れて滑らかに遊技領域に案内する。このパチンコ機２においては、外レール７６は例えば前後方向に所定幅とされた金属板金で構成され、前枠９に対して後方から取り付けられている。外レール７６の前枠９への取付けは、複数のレール取付具７７を用いて実現されている。具体的には、このパチンコ機２においては、４つのレール取付具７７によって外レール７６が前枠９に取り付けられている。
【００８９】
なお、外レール７６の一端部近傍には、アース板金７８がネジにより固定されている。アース板金７８は前枠９における取付け部分の形状に合わせて屈曲形成された金属板金部材であって、遊技球の静電気を除電するためのものである。アース板金７８には、一端が例えば外枠４や前枠９の金属部等の接地電位部分に接続されたアース用ケーブル（不図示）の他端が接続され、外レール７６及びアース板金７８を接地電位としている。すなわち、弾球発射された遊技球が外レール７６と接触することにより、遊技球に蓄積された静電気が外レール７６からアース板金７８、アース用ケーブル、外枠４等の接地電位部分へと逃がされ、遊技球の静電気を除電している。
【００９０】
図２５は、外レール７６及びレール取付具７７の取付け部分を拡大した拡大図であって、前枠９を斜め右下後方から矢視した図である。図２６は、外レール７６及びレール取付具７７の取付け部分を拡大した拡大図であって、前枠９を斜め右上後方から矢視した図である。
【００９１】
前枠９には、中央開口９ｐを囲むようにレール壁９ｔが形成されており、そのレール壁９ｔに沿って外レール７６が取り付けられる。レール壁９ｔには、周溝７９が形成されており、その周溝７９に外レール７６の前方端辺７６ａが挿入されるようになっている。
【００９２】
外レール７６の後方端辺７６ｂには、所定間隔で４箇所の切欠き７６ｃが形成されており、その切欠き７６ｃ部分にレール取付具７７が取り付けられるようになっている。レール取付具７７の取付け位置に対応して、前枠９には取付凹部８０が形成されている。外レール７６の前方端辺７６ａをレール壁９ｔの周溝７９に挿入し、外レール７６の切欠き７６ｃの後方からレール取付具７７を前方に押込み、その後レール取付具７７をレール壁９ｔに向けて、すなわち外レール７６のレール面に向けて押し込むことで、レール取付具７７の取付凹部８０への取付けが完了する。なお、より詳細な取付け手順については、以下に説明する。また、レール取付具７７の取付方向は、図２５に矢印Ｅ，Ｆで示している。
【００９３】
図２７は、外レール取付具７７の外観斜視図であって、（ａ）は斜め右上前方から矢視した図であり、（ｂ）は斜め右下前方から矢視した図である。外レール取付具７７は、前面７７ａ、側方突部７７ｂ、ガイド孔７７ｃ、摺動面７７ｄ、後面７７ｅ、フック部７７ｆ、左右挿入片７７ｇ、上部挿入片７７ｈを有している。
【００９４】
外レール７６の前方端辺７６ａを周溝７９に挿入した状態で、レール取付具７７の摺動面７７ｄを外レール７６の外周面に沿わせつつ前方（図２５中の矢印Ｅ方向）にスライドさせ、取付凹部８０の取付面８０ａに前面７７ａを当接させる。そのとき、取付凹部８０側の突部８０ｂがレール取付具７７のガイド孔７７ｃに挿入される。それと共に、レール取付具７７の後面７７ｅが外レール７６の後方端辺７６ｂに略当接するかそれに近い状態（後面７７ｅと後方端辺７６ｂとの間に僅かな隙間が空いた状態）となる。この状態において、レール取付具７７の左右方向の移動は、取付凹部８０の側壁８０ｆによって規制される。
【００９５】
前面７７ａを取付面８０ａに当接させつつ、外レール７６をレール壁９ｔに押し付ける方向（図２５中の矢印Ｆ方向）にレール取付具７７を移動させる。すると、突部８０ｂがガイド孔７７ｃに挿入された状態のまま、レール取付具７７の左右挿入片７７ｇが取付凹部８０の左右ガイド８０ｃの前方に滑り込み、上部挿入片７７ｈが取付凹部８０の上部ガイド８０ｄの前方に滑り込み、レール取付具７７の後方移動が規制される。
【００９６】
更にレール取付具７７を矢印Ｆ方向に移動させると、レール取付具７７の側方突部７７ｂがその弾性により取付凹部８０のフック部８０ｅを乗り越えて係止される。この状態で、レール取付具７７は、矢印Ｆ方向の移動もその逆方向の移動も規制され、レール取付具７７の取付凹部８０への取付けが完了する。このとき、レール取付具７７のフック部７７ｆは、外レール７６の切欠き７６ｃに食い込んだ状態となり、外レール７６の内周面に当接してレール壁９ｔ方向へと若干付勢する状態となる。
【００９７】
このレール取付具７７による取付けが、外レール７６に沿った４箇所で行われ、外レール７６が前枠９に確実に取付けられることとなる。レール取付具７７は、外レール７６を後方から前方に付勢せず、レール壁９ｔに押し付ける方向に付勢して外レール７６を保持するので、外レール７６の撓みや歪みが発生せず、ひいては発射された遊技球の飛距離の安定性に寄与する。
【００９８】
＜集合通路＞
図２８は、パチンコ機２の裏セット盤７０を右上前方から矢視した斜視図である。図２８においては、ガラス枠１２及び前枠９の図示を省略して、裏セット盤７０の集合通路８１近傍を示し、かつ、集合通路カバー８２を前方へと分解して示している。
【００９９】
集合通路８１は、遊技領域を流下した遊技球を集合して通過させ、パチンコ機２の外部へと排出するための通路である。集合通路８１は、裏セット盤７０内における下部近傍位置であって、前枠９に遊技盤がセットされた状態で、その遊技盤の下方かつ後方位置に配置される。集合通路８１は、遊技領域内に配置された普通入賞口、始動入賞口、大入賞口等の各種入賞口に入賞した遊技球や、いずれの入賞口にも入賞しなかった遊技球を流入させるアウト口からの遊技球を受け入れて、排出口８３に向けて案内する。排出口８３を通過した遊技球は、パチンコ機２の後方に排出され、遊技機島の遊技球回収設備（遊技球循環設備）によって回収されるようになっている。
【０１００】
集合通路８１は、裏セット盤７０の前面７０ａの前方に集合通路カバー８２が取り付けられることにより構成され、上方に向けて大きな集合開口８１ａを形成する。この集合開口８１ａに、各種入賞口やアウト口からの遊技球が落下し、流入する。
【０１０１】
集合通路８１内には、上段傾斜路８１ｂ、下段傾斜路８１ｃが設けられており、両者が入れ子状に配置されてジグザグ状の通路を形成している。集合開口８１ａから流入した遊技球が、まず上段傾斜路８１ｂを右下方に転がって下段傾斜路８１ｃ上に落下し、その後、下段傾斜路８１ｃを左下方に転がって、ジグザグ状のルートを通って排出口８３に至るようになっている。集合通路８１が上段傾斜路８１ｂ及び下段傾斜路８１ｃによってジグザグ状とされているので、仮に排出口８３側から不正工具等を集合通路８１内に侵入させても、集合開口８１ａから遊技領域へと到達するのは非常に困難なものとなっている。
【０１０２】
上段傾斜路８１ｂ及び下段傾斜路８１ｃの各々の下面側には、下方に突出する補強リブ８１ｄが、前後に延びるように配置されている。補強リブ８１ｄが配置されることにより、上段傾斜路８１ｂや下段傾斜路８１ｃの強度が向上しているので、集合通路８１内を多数の遊技球が通過しても、それによる傾斜路８１ｂ，８１ｃの変形や破損が防止されている。また、排出口８３側からの不正工具の侵入に対しても強く、不正工具等による破損が防止されている。
【０１０３】
＜ガラスユニット＞
図２９は、パチンコ機２のガラス枠１２を斜め右上後方から矢視した斜視図である。図２９においては、ガラスユニット１１をガラス枠１２の後方に分解して示している。
【０１０４】
ガラス枠１２には、その後方からガラスユニット１１が取り付けられている。ガラスユニット１１は、ガラス枠１２の前方からの遊技領域の視認性を確保しつつ、ガラス枠１２の前方からのパチンコ機２内部、特に遊技領域へのアクセスを遮断するためのものである。ガラス枠１２には、中央開口１２ｃが開口形成され、ガラスユニット１１のガラス１０がその中央開口１２ｃを閉鎖するように位置している。
【０１０５】
ガラスユニット１１は、全体形状として、大略、長方形の下方部分と半円形又は半楕円形の上方部分とが合体した形状であって、左右側部と下部が直線形状で上部が曲線形状を呈しており、前後方向に薄い平板状のユニットである。ガラスユニット１１は、全体形状の外郭を構成するガラスフレーム１１ａと、そのガラスフレーム１１ａ内に嵌め込まれたガラス１０とを有している。ガラス１０としては、透明又は半透明の樹脂部材が使用されることもあり、また、前後に２枚のガラスが一定の隙間を空けて積層された状態で使用されることもある。このパチンコ機２においては、前後に隙間を空けて配置された２枚のガラス１０がガラスフレーム１１ａ内に嵌め込まれ、ガラス１０とガラスフレーム１１ａとが接着固定されている。
【０１０６】
ガラスフレーム１１ａの最上部近傍には、ガラスフレーム１１ａを持ち運ぶ際に使用される把持部１１ｂが形成され、下部における左右位置には、２つの突起部１１ｃが突出している。また、ガラスフレーム１１ａの左右側部において曲線が開始する部分の近傍には、左右２つの取付部１１ｄが突出形成されている。
【０１０７】
ガラス枠１２の後面側には、突起部１１ｃに対応する位置に左右２つの取付孔１２ｄが開口形成され、取付部１１ｄに対応する位置に左右２つの回転フック１２ｅが配置されている。突起部１１ｃを取付孔１２ｄに挿入し、ガラスユニット１１をガラス枠１２の後面にセットした後に回転フック１２ｅを回転させて取付部１１ｄに係止させることにより、ガラスユニット１１のガラス枠１２への取付けが完了する。
【０１０８】
ガラス１０の下部における左右両端は、Ｒ形状とされている。ガラスフレーム１１ａの下部における左右両端はＲ形状とされていないか又はガラス１０のＲ形状よりもＲが小さくされ、この部分が、ガラスフレーム１１ａが幅広とされた下部領域１１ｅとなっている。この下部領域１１ｅは、ガラス枠１２に隠れて遊技者からは見えない位置となっている。
【０１０９】
このパチンコ機２では、この下部領域１１ｅの左右各々に電波センサ８４を配置している。電波センサ８４が配置されているので、電波発信装置等を用いた不正な電波発信により、遊技領域内の各入賞口や役物等に設けられた入賞センサを誤作動させる不正行為を早期発見することができる。特に、ガラスフレーム１１ａの下部近傍位置である下部領域１１ｅに電波センサ８４を配置することで、大入賞口や始動入賞口等の遊技領域内の比較的下方位置に配置される入賞口に対する不正行為を有効に防止し得る。
【０１１０】
なお、ガラスフレーム１１ａ上の電波センサ８４は、上記の２つでも有効であるが、このパチンコ機２においては、更に左右の取付部１１ｄにも電波センサ８４を配置し、ガラスフレーム１１ａに合計４つの電波センサ８４を配置している。これにより、遊技領域の比較的上方位置に配置される入賞口や役物等に対する不正行為も有効に防止することができる。
【０１１１】
＜ガラス枠のヒンジピンロック機構＞
図３０は、ガラス枠１２のヒンジピン８６近傍における背面図であって（ａ）は、ヒンジピンロック機構のロック状態を示し、（ｂ）をヒンジピンロック機構の解除状態を示している。
【０１１２】
ガラス枠１２の上面における左端部近傍にはヒンジピン８６が上方に突出配置されている。このヒンジピン８６が前枠９のヒンジ２２に形成された軸孔（不図示）に挿入され、ヒンジピン８６を中心軸として、ガラス枠１２が前枠９に対して前方開閉可能となっている。
【０１１３】
ガラス枠１２を前枠９から容易に取外すために、ヒンジピン８６は上下方向に移動可能である。ヒンジピン８６が下方向に移動した際には、ガラス枠１２の上面内に退避するようになっている（図３０（ｂ）参照）。ガラス枠１２の不正な取外しの防止や、不用意なガラス枠１２の脱落防止の観点から、ヒンジピン８６は、上方に突出して下方移動不可能な状態で保持されるようになっている。ヒンジピン８６の下方移動不可能な状態（いわゆるロック状態）と上下移動可能な状態（いわゆる解除状態）とを実現するために、ガラス枠１２はヒンジピンロック機構を有している。
【０１１４】
ヒンジピンロック機構は、ガラス枠１２の後面に大略逆Ｌ字形状に開口形成されたＬ字開口８８と、ガラス枠１２後面側に回転可能に取り付けられたロックアーム８７とを主要構成として有している。Ｌ字開口８８は、ガラス枠１２の後面における左上端部近傍に形成され、上下方向の上下溝８８ａと上下溝の上部から右に延びる左右溝８８ｂとを有する。ロックアーム８７は、Ｌ字開口８８の近傍において軸８７ａを中心に矢印Ｇ方向に回転可能な樹脂部材である。ロックアーム８７は、その先端にヒンジピン８６の腕部８６ｂ（後述）の左方向移動を規制するフック部８７ｂを有し、軸８７ａとフック部８７ｂとをアーム部８７ｃが接続している。
【０１１５】
ヒンジピン８６は、略直角に屈曲部されて大略Ｌ字形状を呈する。ヒンジピン８６のうち、ガラス枠１２の上面から上方に突出する部分が軸部８６ａであり、軸部８６ａに対して略直角に屈曲した部分が腕部８６ｂである。腕部８６ｂは、ガラス枠１２の内部からＬ字開口８８を介してガラス枠１２の後方に突き出している。
【０１１６】
図３０（ｂ）は、ロック機構の解除状態である。解除状態は、ロックアーム８７が図中反時計回り（矢印Ｇ方向）に回転した状態である。このとき、ロックアーム８７は、ヒンジピン８６の移動を規制しないので、腕部８６ｂがＬ字開口８８の上下溝８８ａを下方に移動可能となっている。腕部８６ｂが下方に移動すると、軸部８６ａが下方に移動してガラス枠１２内部に退避し、前枠９からのガラス枠１２の取外しが可能となる。
【０１１７】
一方、前枠９に対しガラス枠１２を取り付けた状態では、図３０（ａ）に示すロック機構のロック状態とする。ロック状態は、ロックアーム８７が図中時計回り（−Ｇ方向）に回転し、フック部８７ｂが腕部８６ｂの左方向移動を規制した状態である。ガラス枠１２の取付けの際に、ヒンジピン８６を上方移動させ、軸部８６ａをヒンジ２２の軸孔に挿入する。そのとき、腕部８６ｂは、上下溝８８ａの最上部、すなわち左右溝８８ｂの左端に位置している。腕部８６ｂを左右溝８８ｂに沿って右方向に移動して、ロックアーム８７を時計回り（−Ｇ方向）に回転させると、フック部８７ｂとアーム部８７ｃとが腕部８６ｂを囲むように位置し、フック部８７ｂが腕部８６ｂの左方向移動を規制する。腕部８６ｂが左方向に移動できないので、腕部８６ｂが上下溝８８ａに到達することができず、その結果、ヒンジピン８６は、下方移動が規制された状態に保持される。
【０１１８】
なお、ロックアーム８７の前面側（ガラス枠１２と対向する側）には突起（不図示）が形成され、ガラス枠１２の背面側には図３０（ａ）に示すロック状態及び図３０（ｂ）に示す解除状態にそれぞれ対応する位置に凹部（不図示）が形成され、ロックアーム８７はロック状態及び解除状態でキャッチ保持（カチッという感触と共に、その状態に保持されること）されるようになっている。それにより、操作者がロックアーム８７のロック状態及び解除状態を容易に把握することができる。
【０１１９】
＜ガラス枠と球皿との一体構造＞
図１及び図３に示すように、パチンコ機２は、球皿１４として上球皿１４ａ及び下球皿１４ｂを有している。上球皿１４ａは、パチンコ機２の前面であってガラス１０の下方位置に前方に突出配置され、賞球払出ユニットから排出口１２ｆを介して払い出された賞球を受け入れて貯留する機能と、遊技球を整列させて、整流器及び発射ユニットＣ１へ向けて案内する機能とを有する。上球皿１４ａに貯留された遊技球は、球抜き部材１４ｃの操作により、下球皿１４ｂへと排出することが可能である。
【０１２０】
下球皿１４ｂは、パチンコ機２の前面であって上球皿１４ａの下方位置に前方に突出配置され、上球皿１４ａから排出された遊技球や、ファール球回収口６４で回収されたファール球を貯留する機能を有する。下球皿１４ｂに貯留された遊技球は、球抜き部材１４ｄの操作により、下方に落下させることが可能である。
【０１２１】
このパチンコ機２においては、ガラス枠１２と上球皿１４ａと下球皿１４ｂとが一体的に形成されている。すなわち、上球皿１４ａ及び下球皿１４ｂとが皿枠を構成し、ガラス枠と別体として前方開放可能となっているのでなく、ガラス枠１２自体が上球皿１４ａと下球皿１４ｂとを有している。したがって、ガラス枠と皿枠とが別体として構成されている場合に、ガラス枠と皿枠との間に生じてしまう隙間が、このパチンコ機２においては存在しない。上球皿１４ａや下球皿１４ｂの周囲にガラス枠１２との間の隙間がないので、この隙間を利用してパチンコ機２内部に不正具等を侵入させる不正行為が有効に防止されている。その結果、不正防止効果の高いパチンコ機２となっている。
【０１２２】
＜球抜き機構＞
図３１は、パチンコ機２のガラス枠１２の背面を斜め右上後方から矢視した斜視図である。図３１においては、ガラス枠１２の左下部近傍を拡大しており、上球皿１４ａからの遊技球の流れを説明するために一部の構成部品を省略している。
【０１２３】
上球皿１４ａに貯留された遊技球２３は、図中破線矢印で示す経路に沿って球送り通路８９へと案内され、整流器９２（図３３参照）を経由して発射ユニットＣ１へと至るようになっている。球送り通路８９は、遊技球２３を１列に整列させる通路であり、整流器９２に向けてなだらかに下向き傾斜している。なお、図３１においては、整流器９２の一部を省略し、整流器９２の前カバー９２ａ、内部の球送り部材９３及びソレノイド９４を図示して遊技球２３の流れを説明容易としている。
【０１２４】
球送り通路８９で整列された遊技球２３は、前カバー９２ａに開口形成された流入口９２ｂから整流器９２内部に流入する。整流器９２内部に流入した遊技球２３は、ソレノイド９４によって往復揺動駆動される球送り部材９３によって、１個ずつ発射ユニットＣ１へと送り出され、ハンマー６９によって弾球発射される。
【０１２５】
遊技者が発射装置ハンドル１５を操作することによって、ソレノイド９４が通電され、球送り部材９３が往復揺動駆動される。球送り部材９３は、球送り通路８９からの遊技球２３の流入を阻止しつつ球受け面９３ａにある遊技球２３を発射ユニットＣ１へ送り出す送出状態と、次の遊技球２３を球送り通路８９から受け入れる受入れ状態とを繰り返す。発射装置ハンドル１５が操作されない場合は、球送り部材９３は送出状態で停止し、球送り通路８９からのそれ以上の遊技球２３の流入が阻止されるようになっている。
【０１２６】
球送り通路８９の終端８９ａと整流器９２の流入口９２ｂとの間には、球抜きプレート１４ｅが配置されている。球抜きプレート１４ｅは、球抜き部材１４ｄの操作に応じて前後に進退可能なプレート部材であって、球送り通路８９よりも一段低い位置に配置されている。図３２は、球抜きプレート１４ｅ近傍を拡大して示す拡大図である。図３２においては、ガラス枠１２を背面方向から矢視している。
【０１２７】
球抜きプレート１４ｅは後方に進出した状態では、球送り通路８９からの遊技球２３を受けて流入口９２ｂへと導く案内通路として機能している。球抜きプレート１４ｅは、その上面が球送り通路８９と同様に、右から左にかけて下がり傾斜しており遊技球２３をスムーズに流入口９２ｂへと導くようになっている。
【０１２８】
また、球抜きプレート１４ｅが左に下がり傾斜していること、球抜きプレート１４ｅが球送り通路８９よりも一段低く配置されていること、球送り通路８９の終端８９ａが急角度のテーパ状となっていること等の要因から、この球抜きプレート１４ｅ近傍において整列した遊技球２３は、相互に寄り掛かった状態となっている。更に、遊技球２３同士に高低差が生じているので、遊技球２３の中心位置が水平面内になく、相互にアンバランスな状態となっている。この寄り掛かった状態やアンバランスな状態によって、球抜きプレート１４ｅ近傍における球詰まりが防止され、１個の球送りが行われるごとに、次の遊技球２３が円滑に送られる。
【０１２９】
なお、球抜き部材１４ｄを操作すると、球抜きプレート１４ｅが前方へ退避した状態となり、球送り通路８９の終端８９ａと流入口９２ｂとの間に存在しなくなる。すると、球送り通路８９内に整列していた遊技球２３が、終端８９ａから落下して、球抜き通路１４ｆを通って排出口１２ｇから下球皿１４ｂへと排出される。
【０１３０】
＜整流器＞
図３３は、パチンコ機２のガラス枠１２の背面を斜め右上後方から矢視した斜視図である。図３３においては、ガラス枠１２の左下部近傍であって、整流器９２の取付け位置近傍を示している。図３４は、整流器９２の前カバー９２ａと後カバー９２ｃとを分離した分解図である。
【０１３１】
整流器９２は、球送り通路８９からの遊技球２３を受け入れて、１個ずつ発射ユニットＣ１に向けて送り出すためのものである。図３３に示すように、整流器９２は、ガラス枠１２に対して着脱可能である。具体的には、整流器９２は、前カバー９２ａと後カバー９２ｃとが全体を覆って略直方体形状を呈しており、その左側面側に配置された上下２つの突起９２ｄがガラス枠１２の背面に開口形成された挿入孔１２ｈに挿入され、右側面側に配置された取付けフック９２ｅの肩部分がガラス枠１２側に配置された係止爪１２ｊに係止されて、整流器９２がガラス枠１２に取り付けられる。なお、取付けフック９２ｅは弾性を有しており、そのツマミ部９６を押し込むことにより、取付けフック９２ｅが弾性変形して肩部分が係止爪１２ｊから解除可能となっている。
【０１３２】
ガラス枠１２の背面には、球送り通路８９からの遊技球２３が後方へと排出される排出口１２ｋが開口形成されている。その排出口１２ｋの位置に前カバー９２ａの流入口９２ｂが対応して、流入口９２ｂが遊技球２３を受け入れることができるように、整流器９２が取り付けられる。
【０１３３】
図３４に示すように、整流器９２は、前カバー９２ａと後カバー９２ｃとが合わさって構成される内部空間に、内部構造としての球送り部材９３、ソレノイド９４、待機路９５を格納している。前カバー９２ａの周囲には、複数の係止孔９２ｆが形成されている。後カバー９２ｃの周囲には、係止孔９２ｆの位置に対応して複数の係止フック９２ｇが突出形成されている。前カバー９２ａに後カバー９２ｃを嵌め込んで、係止孔９２ｆに係止フック９２ｇを係合させると、前カバー９２ａと後カバー９２ｃとは開放困難となる。整流器９２の内部清掃等の場合には、すべての係止孔９２ｆと係止フック９２ｇとの係合を解除すれば、前カバー９２ａと後カバー９２ｃとは分離する。
【０１３４】
流入口９２ｂから整流器９２の内部に流入した遊技球２３は、球送り部材９３が送出状態のときは、待機路９５にて待機する。球送り部材９３は略Ｌ字形状を呈する部材であって、中心軸９３ｃから上方に立設する球止め部９３ｂと略水平方向に延びる球受け面９３ａとを有している。ソレノイド９４の通電オンオフによって、中心軸９３ｃを中心に矢印α方向に往復揺動し、送出状態と受け入れ状態とを繰り返し実現するようになっている。
【０１３５】
ソレノイド９４の駆動に基づき球送り部材９３が送出状態となったとき、球送り部材９３の球止め部９３ｂが待機路９５上の遊技球２３を待機させ、かつ、球受け面９３ａ上の遊技球２３が後カバー９２ｃに開口形成された送出口９２ｈを介して発射ユニットＣ１に向けて送出される。ソレノイド９４の駆動に基づき球送り部材９３が受け入れ状態となったとき、球止め部９３ｂが待機路９５よりも下方に移動し、待機路９５上に待機していた遊技球２３が流下して球受け面９３ａに受け入れられる。
【０１３６】
送出状態においては、球送り部材９３が図３４に示す状態となっており、球受け面９３ａが矢印Ｈ方向に傾斜すると共に、矢印Ｊ方向にも傾斜している。したがって、球受け面９３ａ上にある遊技球２３がスムーズに送出口９２ｈへと送出される。一方、受け入れ状態においては、球送り部材９３が図３４中矢印α方向に回転して球受け面９３ａの傾斜方向が矢印Ｋ方向となる。また、球受け面９３ａの一部が送出口９２ｈを狭めて遊技球２３が送出口９２ｈを通過できない状態となる。したがって、この状態では、球受け面９３ａに受け入れた遊技球２３は、発射ユニットＣ１に向けて送出されず、球受け面９３ａ上に保持されたままとなる。
【０１３７】
＜発射装置ハンドル＞
図３５は、パチンコ機２の発射装置ハンドル１５の分解図である。図３５においては、発射装置ハンドル１５を分解して、斜め後方から矢視している。発射装置ハンドル１５は、ホルダ部１５ａ、回転ハンドル部１５ｂ、レンズ部１５ｃを有して大略構成される。
【０１３８】
ホルダ部１５ａは、略中空円筒形状を呈しており、発射装置ハンドル１５全体をガラス枠１２の前面側に取り付けるための部分である。ホルダ部１５ａの後面側には、位置決めのための突部１５ｄ及び締結のための取付穴１５ｅが形成されている。突部１５ｄによってガラス枠１２前面側との位置決めを行い、ガラス枠の後面からネジ、ボルト等の締結具を取付穴１５ｅに挿入して発射装置ハンドル１５が取り付けられる。ホルダ部１５ａの前面側は、漏斗状に拡張しており、その拡張部分には回転ハンドル部１５ｂが矢印β方向に回転可能な状態で保持される。
【０１３９】
図３６は、回転ハンドル部１５ｂの一部を分解して示す分解斜視図である。回転ハンドル部１５ｂは、遊技者が発射強度調整のために回転操作を行うための部分である。回転ハンドル部１５ｂの外周には、把持部１５ｆ，１５ｇが突出形成されている。遊技者がこの把持部１５ｆ，１５ｇに親指や人差し指等を掛けて容易に回転操作ができるようになっている。
【０１４０】
回転ハンドル部１５ｂは、ストップボタン１５ｊを有している。ストップボタン１５ｊは、発射ユニットＣ１による遊技球の弾球発射を停止するためのボタンである。遊技者がストップボタン１５ｊを押すと、回転ハンドル部１５ｂの回転量に拘らず、球発射が停止するようになっている。ストップボタン１５ｊは、軸部１５ｋにおいて揺動可能な状態で、回転ハンドル部１５ｂの内部に保持されている。ストップボタン１５ｊのボタン部１５ｍは回転ハンドル部１５ｂの外周から突出するように配置されており、遊技者が容易に親指で押せるようになっている。
【０１４１】
回転ハンドル部１５ｂには、オンオフスイッチとしての球止めスイッチ１５ｐも配置されている。球止めスイッチ１５ｐは、例えば、スイッチ片１５ｑが押し込まれてオン状態になると、発射ユニットＣ１による球発射を停止させる発射停止信号を送出する。ストップボタン１５ｊのボタン部１５ｍが遊技者によって押されると、ストップボタン１５ｊが揺動してその作動部１５ｎが球止めスイッチ１５ｐのスイッチ片１５ｑを押し込み、球発射が停止されるようになっている。
【０１４２】
回転ハンドル部１５ｂの前方には、レンズ部１５ｃが取り付けられている。レンズ部１５ｃは、回転ハンドル部１５ｂと一体的に回転するように取り付けられ、発射装置ハンドル１５の前方を覆うカバー部材としての機能と装飾部材としての機能とを発揮している。このパチンコ機２においては、レンズ部１５ｃは、透明又は半透明で無色又は着色の複数のレンズ部材を有して構成され、発射装置ハンドル１５内に配置された発光素子（ＬＥＤ等）からの光を装飾的に遊技者に提供するようになっている。
【０１４３】
＜球タンク＞
図３７は、パチンコ機２の背面側を斜め左上後方から矢視した斜視図である。図３７においては、賞球払出ユニット９８を後方に取り外した状態を示している。図３８は、パチンコ機２における球タンク１０１及び球タンク１０１に接続されたタンクレール１０２の外観斜視図である。図３８においては、斜め左上後方から矢視している。
【０１４４】
球タンク１０１は、裏セット盤７０に取り付けられており、パチンコ機２の背面側上部近傍に配置されている。球タンク１０１は、遊技機島における遊技球循環設備から補給される遊技球を貯留するためのもので、パチンコ機２の上方から補給ホース等によって落下した遊技球を受け入れて貯留する。球タンク１０１からの遊技球は、タンクレール１０２及び賞球待機通路１０３を介して賞球払出ユニット９８へと流下する。
【０１４５】
このパチンコ機２においては、球タンク１０１全体が導電性樹脂等の導電性材料で形成されている。遊技球循環設備内や球タンク１０１内で遊技球同士又は遊技球と他の部品とが擦れ合うことにより、遊技球に静電気が滞留する。球タンク１０１全体が導電性材料で形成されているので、その静電気は、遊技球が球タンク１０１のタンク内壁に接触することにより、容易に除電することができる。従来のように、球タンク１０１のタンク内壁に除電用の板金部材等を配置する必要がない。
【０１４６】
球タンク１０１には、球タンク１０１を裏セット盤７０にネジで取り付けるための取付穴１０１ａが形成されている。この取付穴１０１ａにアース線１０４の一端部がネジで共締めされ、そのアース線１０４の他端部は、例えば、外枠４の金属部等に接地接続される。球タンク１０１が導電性材料で形成されているので、取付穴１０１ａに直接アース線１０４を共締めするだけで、容易に球タンク１０１を接地接続することができる。遊技球の静電気は、球タンク１０１からアース線１０４を介して接地電位とされた外枠４の金属部等に放出される。
【０１４７】
＜賞球払出ユニットの着脱構造＞
図３９は、賞球払出ユニット９８近傍を拡大して示す拡大斜視図である。図３９においては、賞球払出ユニット９８を後方に取り外した状態を、斜め左上後方から矢視している。図４０は、賞球払出ユニット９８を斜め左上後方から矢視した外観斜視図である。
【０１４８】
賞球払出ユニット９８は、遊技領域内に配置された各種入賞口に遊技球が入賞すると、所定個数の遊技球（賞球）を払い出す機能を有する。より具体的には、遊技球の入賞が検出されたことを示す検出信号が入賞口側からパチンコ機２のメイン制御基板側へ送られると、メイン制御基板から所定個数の賞球払出を指示する払出制御信号が賞球払出ユニット９８へと送られる。賞球払出ユニット９８は、その払出制御信号に基づき払出数をカウントしつつ所定個数の賞球払出を行う。
【０１４９】
賞球払出ユニット９８は、賞球待機通路１０３と賞球排出通路１０５との間に位置するように、裏セット盤７０に対して着脱可能に取り付けられる。球タンク１０１で貯留され、タンクレール１０２、賞球待機通路１０３を通った遊技球を、賞球として賞球排出通路１０５へと払い出す。賞球排出通路１０５は、前後に２つの流入口１０５ｂ，１０５ｃを有しており、前方の流入口１０５ｂが、払い出された賞球を球皿１４へと導くためのものである。一方、後方の流入口１０５ｃは、球皿１４でなくパチンコ機２の外部（パチンコ機２の後方）へと遊技球を排出するための球抜き通路（不図示）へと繋がっている。賞球払出ユニット９８の球抜きレバー９８ａを操作することにより、賞球待機通路１０３内の遊技球が流入口１０５ｃから球抜き通路へと流下するようになっている。
【０１５０】
賞球待機通路１０３の下端には、操作により上下移動可能な取付けフック１０３ａが配置されている。賞球排出通路１０５の上端には、操作により矢印γ方向に回転可能なロック部材１０５ａが配置されている。取付け状態では起立（ロック状態）したロック部材１０５ａをγ方向に回転させて傾倒（解除状態）させ、取付けフック１０３ａを上方（解除方向）に移動させることで、賞球払出ユニット９８が後方に取外し可能となる。
【０１５１】
賞球払出ユニット９８の着脱の際には、その上縁部９８ｂ及び下縁部９８ｃが案内ガイドとして機能する。例えば、取外しの際には、ロック部材１０５ａ及び取付けフック１０３ａを解除状態とし、賞球払出ユニット９８を少し上に持ち上げつつパチンコ機２の後方へと移動させる。上縁部９８ｂが賞球待機通路１０３の下端部に沿いつつ、かつ、下縁部９８ｃが賞球排出通路１０５の上端部に沿いつつ、円滑に後方へと移動させることができる。
【０１５２】
なお、賞球払出ユニット９８の取付けの際は、上記した取外しと逆の手順で行う。すなわち、ロック部材１０５ａ及び取付けフック１０３ａを解除状態とした上で、賞球払出ユニット９８をパチンコ機２の後方からその上縁部９８ｂを賞球待機通路１０３の下端部に沿わせつつ、かつ、その下縁部９８ｃを賞球排出通路１０５の上端部に沿わせつつ、前方へと移動させる。
【０１５３】
賞球払出ユニット９８を奥まで押し込んで所定位置へのセットが完了したら、取付けフック１０３ａを下方（係止方向）へ移動させ、ロック部材１０５ａを−γ方向（ロック方向）へと回転させて起立させると、賞球払出ユニット９８の裏セット盤７０への取付けが完了する。
【０１５４】
＜賞球払出ユニットの内部構造＞
図４１は、賞球払出ユニット９８の内部構造の概略を示す内部構造図である。賞球払出ユニット９８は、第１ケース９８ｄと第２ケース９８ｅとを有している。図４１においては、第１ケース９８ｄと第２ケース９８ｅとを分離してその内部を示し、理解容易のため、両ケースの賞球通路９８ｇ内に遊技球２３を二点鎖線で示している。使用状態においては、第１ケース９８ｄと第２ケース９８ｅとが左右に重ね合わされ、第２ケース９８ｅ側の３箇所の取付孔９８ｆから第１ケース９８ｄ側の３箇所のネジ穴にネジ９９を締結することにより、両ケースが締結される。なお、図中では、便宜的に第１ケース９８ｄ側にネジ９９を示している。
【０１５５】
賞球払出ユニット９８内には、賞球通路９８ｇ、排出通路９８ｈが形成されている。排出通路９８ｈは、球抜きの際に遊技球２３をパチンコ機２の外部へ排出するための通路で、その排出口９８ｊから賞球排出通路１０５の流入口１０５ｃへと遊技球２３を案内する。排出通路９８ｈの流入口９８ｋは、賞球通路９８ｇの途中に開口形成されており、通常時はストッパ１０６によって閉鎖されている。
【０１５６】
球抜きレバー９８ａは、賞球払出ユニット９８の側面に配置されて操作により上下移動可能なレバーである。球抜きレバー９８ａを下方移動した状態（閉鎖状態）とすると、ストッパ１０６が流入口９８ｋを閉鎖した状態に位置規制される。それにより、流入口９８ｋが閉鎖され、賞球通路９８ｇ内の遊技球２３は排出通路９８ｈ内へと流入できない状態となる。
【０１５７】
球抜きの際は、球抜きレバー９８ａを上方移動させる（開放状態）。そうすると、ストッパ１０６の位置規制状態が解除され、賞球通路９８ｇ内の遊技球２３の自重によりストッパ１０６が流入口９８ｋを開放する方向に回転移動する。それにより、遊技球２３が流入口９８ｋから排出通路９８ｈ内へと流れ込む。
【０１５８】
賞球通路９８ｇは、通路内の遊技球２３を賞球として球皿１４に向けて払い出すための通路で、その排出口９８ｍから賞球排出通路１０５の流入口１０５ｂへと遊技球２３を案内する。賞球通路９８ｇの流入口９８ｎは、賞球払出ユニット９８の上部付近に位置し、賞球待機通路１０３からの遊技球２３を受け入れる。
【０１５９】
賞球通路９８ｇの途中にはスプロケット９８ｐが配置され、その下流には通過センサ９８ｑが配置されている。スプロケット９８ｐは図示しない駆動モータの軸に接続されており、メイン制御基板からの払出制御信号に基づき駆動モータが回転駆動されると、スプロケット９８ｐが１個ずつ遊技球２３を賞球として払い出すようになっている。払い出された賞球は、通過センサ９８ｑによって個数カウントがされるようになっている。
【０１６０】
スプロケット９８ｐは第１ケース９８ｄ側に配置されており、その軸９８ｒを覆うように、第２ケース９８ｅ側には軸保持部９８ｓが配置されている。軸保持部９８ｓは、例えば第２ケース９８ｅと一体成型された円筒形状突設部であってその中空内部に軸９８ｒを保持する。スプロケット９８ｐの軸９８ｒが、軸保持部９８ｓに保持されて補強されることにより、軸９８ｒの傾きや歪みが防止され、スプロケット９８ｐの回転の安定性向上、破損防止等の効果を得ることができる。
【０１６１】
第２ケース９８ｅには、軸保持部９８ｓから賞球通路９８ｇに沿って斜め下方に向けて滑らかに湾曲する湾曲突部９８ｔが突出形成されている。湾曲突部９８ｔは、スプロケット９８ｐによって払い出された遊技球２３の周面を支持しつつ滑らかに斜め下方に案内して、排出口９８ｍへと導く機能を発揮している。湾曲突部９８ｔが形成されていることにより、スプロケット９８ｐから払い出された遊技球２３が、球詰まり等を生じることなく円滑に払い出されるようになっている。
【０１６２】
なお、通過センサ９８ｑの近傍位置に、電波センサ９８ｕが配置されている。電波センサ９８ｕは電波を検出して、不正電波による通過センサ９８ｑの誤検出を防止するためのものである。賞球払出ユニット９８の通過センサ９８ｑ近傍に電波センサ９８ｕが配置されているので、不正電波による払出個数の誤検出を防止することができる。
【０１６３】
＜賞球待機通路＞
図４２は、タンクレール１０２及び賞球待機通路１０３の外観斜視図である。図４２においては、要部のみを示して他の構成を省略しているが、パチンコ機２への取付け状態における斜め左上後方から矢視した状態を示している。また、賞球待機通路１０３を分解して示している。タンクレール１０２及び賞球待機通路１０３は、裏セット盤７０に配置されている。
【０１６４】
球タンク１０１からの遊技球２３は、タンクレール１０２を通って賞球待機通路１０３へと至り、賞球待機通路１０３内を落下して賞球払出ユニット９８内へと流入するようになっている。タンクレール１０２は、球タンク１０１と賞球待機通路１０３とを繋ぐレールであり、球タンク１０１からの遊技球２３を１列に整列させて斜め左下方へと案内し、賞球待機通路１０３へと流下させる。
【０１６５】
タンクレール１０２は、全体として側面及び底面を有する断面略コ字状の通路形状を呈しているが、部分的にその上面を覆うように第１カバー部材１０２ａ、第２カバー部材１０２ｂ、第３カバー部材１０２ｃが取り付けられている。第１カバー部材１０２ａ及び第３カバー部材１０２ｃは、図示しない取付けフック及び取付け孔によってタンクレール１０２に係止されてタンクレール１０２の上面の一部を塞いでおり、タンクレール１０２内に多量の遊技球２３が滞留した場合でも、タンクレール１０２の上面側から遊技球２３が溢れ出すのを防止している。
【０１６６】
第２カバー部材１０２ｂも同様に、タンクレール１０２の上面の一部を塞ぐように、タンクレール１０２に取り付けられているが、第２カバー部材１０２ｂは、軸１０２ｄを中心にその先端部１０２ｅが上下に揺動可能に取り付けられている。タンクレール１０２内の遊技球２３が多量となった場合には、積み重なった遊技球２３に押されるように先端部１０２ｅが上方に揺動し、遊技球２３の溢れ出しをある程度防止しつつその数量増加をある程度許容する。そして、遊技球２３が少量となった場合には、自重により先端部１０２ｅが下方に揺動するようになっている。
【０１６７】
タンクレール１０２の排出口１０２ｆは、賞球待機通路１０３の流入口１０３ｂと接続されている。賞球待機通路１０３は、その通路が略上下方向に沿って延びており、その下端部１０３ｃの下方に賞球払出ユニット９８の流入口９８ｎが位置する。タンクレール１０２からの遊技球２３は、賞球待機通路１０３内を落下して賞球払出ユニット９８へと至る。
【０１６８】
賞球待機通路１０３は、図４２に示すように、第１通路部材１０３ｄと第２通路部材１０３ｅとが左右に重ね合わされてネジにより締結されて構成される。第１通路部材１０３ｄ及び第２通路部材１０３ｅは共に断面略コ字状とされており、左右に重ね合わされた結果、賞球待機通路１０３の内壁は、略正方形又は長方形断面を呈する。
【０１６９】
図４２に示すように、第１通路部材１０３ｄの内壁には、上下に所定間隔をあけて、かつ内壁面ごとに互いに段違いとなるように、複数の突設リブ１０３ｆが形成されている。図に現れないが、第２通路部材１０３ｅの内壁にも、同様に上下に所定間隔をあけて、かつ内壁面ごとに互いに段違いとなるように、複数の突設リブ１０３ｆが形成されている。
【０１７０】
これらの突設リブ１０３ｆは、賞球待機通路１０３内を落下する遊技球２３に衝突させて遊技球２３の落下速度を低減するためのものである。突設リブ１０３ｆの上面側には対向内壁に向けて下がり傾斜するテーパ部１０３ｇが形成されており、テーパ部１０３ｇに衝突した遊技球２３を対向内壁側へと送り出す機能と、遊技球２３が衝突した際の突設リブ１０３ｆの破損防止機能とを発揮している。
【０１７１】
突設リブ１０３ｆは、各内壁ごとに順次段違いとなるように配置されている。すなわち、落下してきた遊技球２３が、順次「・・→右方内壁→前方内壁→左方内壁→左方内壁→右方内壁→・・」のように突設リブ１０３ｆに衝突しつつ落下するように構成されている。その結果、遊技球２３は、賞球待機通路１０３内を螺旋状に回転しながら落下するようになっている。
【０１７２】
また、突設リブ１０３ｆがない場合には、賞球待機通路１０３内の遊技球２３は、互いに真上に積み重なるように待機する状態となる。すると、遊技球２３は直下の遊技球２３に対して真上から真下に向けて荷重をかけることとなり、遊技球２３同士の負荷が大きくなる。
【０１７３】
しかし、賞球待機通路１０３内に突設リブ１０３ｆが配置されているので、賞球待機通路１０３内の遊技球２３が螺旋を描くように待機する状態となる。上側の遊技球２３が下側の遊技球２３に対し斜めに荷重することとなり、遊技球２３の荷重が下側の遊技球２３と突設リブ１０３ｆとに分散され、結果として下側の遊技球２３への荷重が軽減されることとなる。この荷重の軽減は、球詰まり防止に寄与する。
【０１７４】
＜ハーネス用開口＞
図４３は、裏セット盤７０の左下方部分を斜め右上後方から見た斜視図である。図４４は、裏セット盤７０及び前枠９の左下方部分を斜め左上後方から矢視した斜視図である。図４３においては、裏セット盤７０のみを図示して扉用ガイド部材１０７を後方に分解しており、その他の構成の図示を省略している。図４４においては、裏セット盤７０及び前枠９のみを図示してその他の構成の図示を省略している。
【０１７５】
裏セット盤７０の左下部近傍には、ハーネスを通過させるためのハーネス用開口が形成されている。このパチンコ機２においては、枠用ガイド開口１０８と扉用ガイド開口１０９とが、ハーネス用開口として裏セット盤７０の主要本体を構成する裏セットフレーム部材７０ｂと一体成形されている。
【０１７６】
枠用ガイド開口１０８は、大略ロ字状とされてその中央が中空開口とされ、その右側部における一部が切り欠かれており、この切欠き部１０８ａから枠用ハーネス１０８ｂを中空開口に挿入可能となっている。枠用ハーネス１０８ｂは、メイン制御基板と前枠９の各種基板又は電気部品とを接続するハーネスである。
【０１７７】
扉用ガイド開口１０９は、枠用ガイド開口１０８の左側に配置され、その左側部１０９ａが開放された大略コ字状とされてその中央が中空開口とされている。扉用ガイド開口１０９には、扉用ガイド部材１０７が取付け可能とされている。扉用ガイド部材１０７は、例えば樹脂材料を用いて可撓性を有して構成された、いわゆるハーネスクランプ部材である。扉用ガイド開口１０９の左側部１０９ａに対応する位置に、扉用ガイド部材１０７の開閉蓋１０７ａが配置され、この開閉蓋１０７ａを開放することによって、左側部１０９ａから扉用ハーネス１０９ｂを中央開口に挿入可能となっている。扉用ハーネス１０９ｂの挿入後に開閉蓋１０７ａを閉鎖すると、開閉蓋１０７ａが扉用ガイド部材１０７の本体部側に係止されるようになっている。扉用ハーネス１０９ｂは、メイン制御基板とガラス枠１２の各種基板又は電気部品とを接続するハーネスである。
【０１７８】
枠用ガイド開口１０８と扉用ガイド開口１０９とを隣接して別々に形成し、各々に枠用ハーネス１０８ｂと扉用ハーネス１０９ｂとを通過させているので、ガラス枠１２の開閉時又は前枠９の開閉時に、枠用ハーネス１０８ｂと扉用ハーネス１０９ｂとが絡み合うのを防止することができる。また、枠用ガイド開口１０８と扉用ガイド開口１０９とは、その開口面が図４３及び図４４に示すように傾斜しており、ハーネス１０８ｂ，１０９ｂの通過方向が後ろから前に向けて下がり傾斜している。
【０１７９】
枠用ガイド開口１０８と扉用ガイド開口１０９の前方には、前枠９の左下部近傍に前枠ハーネス開口１１０が開口形成されている。前枠ハーネス開口１１０は、枠用ハーネス１０８ｂと扉用ハーネス１０９ｂとを共に通過させることができる程度の大開口で、ガイド開口１０８，１０９の、ハーネス１０８ｂ，１０９ｂ通過方向における前方位置に形成されている。前枠ハーネス開口１１０は、枠用ハーネス１０８ｂ及び扉用ハーネス１０９ｂを裏セット盤７０側から各々前枠９側及びガラス枠１２側へと通過させるための開口であり、その底面１１０ａが前方に向けて下がり傾斜している。
【０１８０】
枠用ハーネス１０８ｂ及び扉用ハーネス１０９ｂは、裏セット盤７０側から前枠９及びガラス枠１２の下側ヒンジに向けて配線されるので、ハーネス１０８ｂ，１０９ｂの通過方向は、前方に向けて下がり傾斜することとなる。枠用ハーネス１０８ｂ及び扉用ハーネス１０９ｂの通過方向に沿って、枠用ガイド開口１０８、扉用ガイド開口１０９、前枠ハーネス開口１１０の底面１１０ａが、前方に向けて下がり傾斜しているので、ガラス枠１２や前枠９の開閉に伴うハーネス１０８ｂ，１０９ｂの引き出しや押し戻しが円滑となる。
【０１８１】
＜遊技盤支持構造＞
図４５は、裏セット盤７０の前面における右側面及び上側面部分を斜め左下前方から矢視した斜視図である。図４６は、裏セット盤７０の前面における左側面及び下側面部分を斜め右上前方から矢視した斜視図である。図４５及び図４６においては、裏セット盤７０の主要部としての裏セットフレーム部材７０ｂを示しており、裏セットカバー７０ｃ（図４３，２４−２参照）の図示を省略している。裏セットフレーム部材７０ｂは、その中央に正面視略四角形状の中央開口７０ｅが開口形成され、その中央開口７０ｅの周囲を正面視略四角形状に上側面、右側面、下側面、左側面が囲んでフレームを形成している。下側面には、前面に集合通路カバー８２を有して集合通路８１が構成されている。
【０１８２】
裏セットフレーム部材７０ｂの右側面には、前後方向に延びる支持リブ１１１が形成されている。この支持リブ１１１の前端面１１１ａは、裏セットフレーム部材７０ｂの右側面における前端面７０ｄよりも一段低く後方に切り欠かれた切欠き部と面一の前後位置とされている。この支持リブ１１１の前端面１１１ａは、遊技盤の後方を支持する支持構造を構成している。遊技盤は、前枠９の後面側に遊技盤フック７４，７５によって取り付けられる。その遊技盤の裏面に当接して、又は遊技盤の裏面から後方に若干の隙間を空けて前端面１１１ａが配置される。
【０１８３】
例えば、遊技盤が樹脂材料等で形成されている場合や前後厚さが薄い場合は、外力、温湿度の変化等により前後方向に若干の反りや撓みが発生する可能性がある。しかしながら、支持リブ１１１の前端面１１１ａが遊技盤の裏面に当接して、又は遊技盤の裏面から後方に若干の隙間を空けて配置されているので、遊技盤の後方への変位が支持されて規制される。そのため、外力や温湿度変化を受けても、遊技盤の平面度を良好な状態に維持することができる。
【０１８４】
支持リブ１１１は、裏セットフレーム部材７０ｂの左側面に形成されているので、遊技盤の左側面近傍における後方への反りや撓みを防止する。支持リブ１１１は、遊技盤の上下方向における略中央位置に形成されているので、左側面近傍において一般的に最も後方への変位が大きくなる部位の近傍を支持する。
【０１８５】
一方、裏セットフレーム部材７０ｂの上側面には、ボス１１１ｃが前方に突出配置されている。ボス１１１ｃは、遊技盤の左右方向における略中央近傍に配置されている。ボス１１１ｃの前端面１１１ｄの前後方向位置は、支持リブ１１１の前端面１１１ａの前後方向位置と面一となっており、前端面１１１ｄは遊技盤の後方を支持する支持構造を構成している。
【０１８６】
遊技盤の裏面は平板状である。ボス１１１ｃの前端面１１１ｄは、前枠９に取り付けられた遊技盤の裏面に当接して、又は遊技盤の裏面から後方に若干の隙間を空けて配置される。ボス１１１ｃは、遊技盤の上側面近傍で、一般的に最も後方への変位が大きくなる左右方向略中央近傍において支持している。したがって、遊技盤の上側面近傍における後方への反りや撓みが防止されている。
【０１８７】
裏セットフレーム部材７０ｂの左側面には、突出体１１１ｅが前方に突出配置されている。突出体１１１ｅは、遊技盤の上下方向における略中央近傍に配置されており、このパチンコ機２においては、裏セットフレーム部材７０ｂの左側面から略直方体形状に突出している。もちろん、突出形状は、設計上、配置上の都合に応じて適宜変更が可能である。
【０１８８】
突出体１１１ｅの前端面１１１ｆの前後方向位置は、支持リブ１１１の前端面１１１ａの前後方向位置と面一となっており、前端面１１１ｆは遊技盤の後方を支持する支持構造を構成している。突出体１１１ｅの前端面１１１ｆは、前端面１１１ａ，１１１ｄと同様に、前枠９に取り付けられた遊技盤の裏面に当接して、又は遊技盤の裏面から後方に若干の隙間を空けて配置される。突出体１１１ｅは、遊技盤の左側面近傍で、一般的に最も後方への変位が大きくなる左右方向略中央近傍において支持している。したがって、遊技盤の左側面近傍における後方への反りや撓みが防止されている。
【０１８９】
裏セットフレーム部材７０ｂの下側面の前面側には、集合通路カバー８２が取り付けられている。その集合通路カバー８２の上部近傍に、左右方向に延びて立設された支持面１１１ｇが形成されている。支持面１１１ｇは、遊技盤の下端部近傍における後方であって、左右方向における少なくとも略中央位置に配置されている。
【０１９０】
支持面１１１ｇの前後方向位置は、支持リブ１１１の前端面１１１ａの前後方向位置と面一となっており、支持面１１１ｇは遊技盤の後方を支持する支持構造を構成している。支持面１１１ｇは、前端面１１１ａ，１１１ｄ，１１１ｆと同様に、前枠９に取り付けられた遊技盤の裏面に当接して、又は遊技盤の裏面から後方に若干の隙間を空けて配置される。支持面１１１ｇは、遊技盤の下側面近傍で、一般的に最も後方への変位が大きくなる左右方向略中央近傍を少なくとも支持し、望ましくは、下側面近傍における左右方向の大部分にわたって遊技盤を支持している。したがって、遊技盤の下側面近傍における後方への反りや撓みが防止されている。
【０１９１】
上記に説明したように、遊技盤の後方を支持する支持構造としての、前端面１１１ａ，１１１ｄ，１１１ｆ及び支持面１１１ｇによって、遊技盤の上下左右における後方への反りや撓みが有効に防止され、遊技盤の平面性確保に寄与している。
【０１９２】
＜裏セット盤のロック構造＞
図４７は、パチンコ機２を斜め右上後方から矢視した斜視図である。図４８は、パチンコ機２における左下部近傍を斜め左上後方から矢視した斜視図である。図４８においては、説明容易のために前枠９と裏セット盤７０とガラス枠１２とを外枠４の後方に分解して示している。
【０１９３】
裏セット盤７０は、その左端部近傍における上下位置に配置される軸部７０ｐにおいて、前枠９に対して軸支されている。そして、軸部７０ｐを回転中心として、裏セット盤７０は前枠９に対して後方に開閉可能とされている。裏セット盤７０が前枠９に対して閉鎖状態となったとき、すなわち、裏セット盤７０が前方に揺動移動したとき、裏セット盤７０及び前枠９に配置される４箇所のロック構造によって、裏セット盤７０の不用意な後方開放が防止されている。４箇所のロック構造は、裏セット盤７０における右上部近傍に配置された右上ロック構造１２１、右下部近傍に配置された右下ロック構造１２２、左上部近傍に配置された左上ロック構造１２３、及び前枠９の左下部近傍に配置された左下ロック構造１２４を有している。右上ロック構造１２１、左上ロック構造１２３及び左下ロック構造１２４は左右方向移動により裏セット盤７０のロック／解除、右下ロック構造１２２は上下方向移動により裏セット盤７０のロック／解除が可能である。
【０１９４】
図４９は、右上ロック構造１２１及び左上ロック構造１２３の部分を拡大して斜め右上後方から矢視した斜視図である。図４９においては、説明容易のために裏セット盤７０を前枠９の後方に分解して示している。図５０は、右上ロック構造１２１を構成するロックスライダ１２５の外観斜視図であり、（ａ）は後面側を示し、（ｂ）は前面側を示している。図５１は、外枠４、前枠９、ガラス枠１２の図示を省略して、裏セット盤７０のみを図示し、斜め右上前方から矢視した図である。なお、右上ロック構造１２１と左上ロック構造１２３とは、配置位置が裏セット盤７０の右上部近傍か左上部近傍かである点で異なるに過ぎず、構造自体は略同様であるので、右上ロック構造１２１について説明し、左上ロック構造１２３についての説明を省略する。
【０１９５】
右上ロック構造１２１は、裏セット盤７０の右上部近傍であって後面側に配置され、左右方向にスライド可能とされたロックスライダ１２５と、前枠９の右上部近傍であって後面側に配置された係合孔１２１ａとを有して構成されている。図４９に示すように、前枠９の右上部近傍における後面側の一部が後方に突出してフック形状を呈しており、そのフック形状に基づき、左右方向に開口する係合孔１２１ａが形成されている。
【０１９６】
ロックスライダ１２５は、例えば樹脂で形成されて弾性を有し、手で操作することにより左右にスライド移動する操作片である。図５０に示すように、ロックスライダ１２５は、左右に延びる楕円形状のスライド孔１２５ａ、下方に突出した案内ガイド部１２５ｂ、案内ガイド部１２５ｂの上方に対応配置されたガイドフック部１２５ｃ、前面１２５ｄ側に配置され、前方へ突出すると共に左方へＬ字状に屈曲する係止フック部１２５ｅを有している。ガイドフック部１２５ｃは、その先端に左方向へ下がり傾斜するテーパ面１２５ｈを有している。
【０１９７】
ネジ１２５ｇがスライド孔１２５ａを貫通して裏セット盤７０の後面側に取り付けられ、案内ガイド部１２５ｂ及びガイドフック部１２５ｃが裏セット盤７０後面に左右方向に延びて形成されたガイド溝１２５ｆ内に挿入され、ロックスライダ１２５は、裏セット盤７０に対し所定の可動域で左右にスライド可能に取り付けられる。
【０１９８】
ロックスライダ１２５の係止フック部１２５ｅは、裏セット盤７０のフック用開口７０ｑを介して前面側に露出している。ロックスライダ１２５の左右スライド移動に伴い、係止フック部１２５ｅも左右移動する。ロックスライダ１２５及び係止フック部１２５ｅが左方向移動した状態で、係止フック部１２５ｅの先端部が係合孔１２１ａ内部に進入し、係止フック部１２５ｅと係合孔１２１ａとが係合される。この係合状態では、裏セット盤７０の前枠９に対する後方開放が阻止され、裏セット盤７０がロック状態となる。一方、ロックスライダ１２５及び係止フック部１２５ｅが右方向移動すると、係止フック部１２５ｅと係合孔１２１ａとの係合状態が解除される。それにより、裏セット盤７０は前枠９に対して後方開放可能な状態（解除状態）となる。
【０１９９】
なお、ガイドフック部１２５ｃが挿入される上側のガイド溝１２５ｆの溝内部には、部分的に下方に延びた段差部１２５ｊ（図５０（ａ）の破線部を参照）が形成されている。ロックスライダ１２５の係合状態では、ガイドフック部１２５ｃが段差部１２５ｊの左側に位置し（図５０（ａ）の状態）、解除状態では、ガイドフック部１２５ｃが段差部１２５ｊの下方又は右側に位置するようになっている。
【０２００】
ロックスライダ１２５を解除状態からロック状態に左方向移動させると、ガイドフック部１２５ｃが弾性により撓み、段差部１２５ｊを乗り越えて段差部１２５ｊの左側へと移動する。この状態で、ガイドフック部１２５ｃの右方向移動は段差部１２５ｊによって規制されるので、ロックスライダ１２５は係合状態に維持される。ロックスライダ１２５の不用意な解除方向への移動が防止されている。
【０２０１】
ガイドフック部１２５ｃを指で上下につまむ等して、ガイドフック部１２５ｃを下方に撓ませると、ガイドフック部１２５ｃと段差部１２５ｊとの係合が解除され、ロックスライダ１２５の右方向移動が可能となる。したがって、ガイドフック部１２５ｃを指でつまんだまま、容易にロックスライダ１２５を解除方向へと移動させることができる。
【０２０２】
上述したように、左上ロック構造１２３も右上ロック構造１２１と略同様の構造を有している。また、右下ロック構造１２２は、裏セット盤７０の右下部近傍に配置されており、スライド方向が上下方向であって、上方向移動すると解除状態となり、下方向移動するとロック状態となる点において異なるが、構造自体は右上ロック構造１２１と略同様であるので、これについても説明を省略する。
【０２０３】
図５２は、前枠９における左下部近傍を斜め左上後方から矢視した斜視図である。図５２は図４８と略同一の矢視方向であり、要部説明容易のため、前枠９のみを図示し、その他の図示を省略している。
【０２０４】
前枠９の左下部近傍における後面側には、左下ロック構造１２４を構成するスライダ部材１２４ａが配置されている。スライダ部材１２４ａは、例えば、後方から見て略長方形を呈する樹脂部材であり、左右方向に延びる２つの楕円形状のスライド孔１２４ｂと、左端部近傍に位置する押さえ部１２４ｃとを有している。
【０２０５】
２つのスライド孔１２４ｂにはネジ１２４ｄが貫通して前枠９の後面側に取り付けられ、スライダ部材１２４ａは、所定の可動域で左右方向にスライド移動可能とされている。その右方向移動した状態で、押さえ部１２４ｃは前枠９の左側面９ｕと左右方向において略同じ位置か、又は更に右方向（内側）に位置する。スライダ部材１２４ａを左方向移動した状態では、押さえ部１２４ｃは、前枠９の左側面９ｕから右方向へ突出した状態となる。
【０２０６】
スライダ部材１２４ａの上面には、２つの突起１２４ｅが突出形成されている。前枠９側には、スライダ部材１２４ａを左右移動した場合に突起１２４ｅに干渉する位置に、ストッパ部材９ｖが設けられている。スライダ部材１２４ａを右方向へ移動すると、左側の突起１２４ｅが左から右にストッパ部材９ｖを乗り越える。このとき、クリック感が発生し、スライダ部材１２４ａが可動域における右方向位置の状態（ロック状態）であることがわかるようになっている。そして、スライダ部材１２４ａはロック状態で軽保持状態（所定の力未満の小さい力では左方向に移動しないが、所定の力以上の大きい力をかけると左方向に移動可能な状態。）となる。
【０２０７】
一方、スライダ部材１２４ａを左方向へ移動すると、右側の突起１２４ｅが右から左にストッパ部材９ｖを乗り越える。このとき、クリック感が発生し、スライダ部材１２４ａが可動域における左方向位置の状態（解除状態）であることがわかるようになっている。そして、スライダ部材１２４ａは解除状態で軽保持状態となる。
【０２０８】
図５３は、裏セット盤７０の前面側を斜め右上前方から矢視した斜視図である。裏セット盤７０の前面側であって左下部近傍位置には、橋桁状部材１２４ｆが取り付けられている。橋桁状部材１２４ｆは、裏セット盤７０の前面側に前方に突出して上下方向に延びるように配置されており、裏セット盤７０の前面との間に左右方向に開口する係合孔１２４ｇが形成されている。この係合孔１２４ｇとスライダ部材１２４ａとが左下ロック構造１２４を構成する。
【０２０９】
スライダ部材１２４ａを可動域における右方向に移動したとき（ロック状態）、スライダ部材１２４ａの右端部１２４ｈが係合孔１２４ｇ内に進入して係合し、それによって裏セット盤７０の後方移動が規制され、裏セット盤７０の前枠９に対する後方開放が阻止される。一方、スライダ部材１２４ａを可動域における左方向に移動したとき（解除状態）、スライダ部材１２４ａの右端部１２４ｈが係合孔１２４ｇから離脱して両者の係合状態が解除され、それによって裏セット盤７０の後方移動の規制が解除され、裏セット盤７０の前枠９に対する後方開放が可能となる。
【０２１０】
なお、図４８に示すように、前枠９に対して裏セット盤７０を閉鎖した状態で、スライダ部材１２４ａの大部分は裏セット盤７０によって隠れてしまう。また、前枠９及び裏セット盤７０を外枠４に取り付けて閉鎖した状態では、スライダ部材１２４ａは殆ど隠れてしまう。そのとき、スライダ部材１２４ａの押さえ部１２４ｃの外側（左側）に外枠４の左側面における内面４ｃが位置する。そのため、通常使用状態ではスライダ部材１２４ａに外部からアクセス、すなわち、指等で解除／ロック操作することができない。また、仮にアクセスできたとしても、内面４ｃによってスライダ部材１２４ａの解除方向（左方向）移動が阻止されているので、裏セット盤７０の後方開放はできない。
【０２１１】
外枠４に対して前枠９を前方開放すると、スライダ部材１２４ａの押さえ部１２４ｃ付近が外部に露出し、外部からのアクセスが可能となる。外枠４の内面４ｃも押さえ部１２４ｃの外側に存在しないので、スライダ部材１２４ａを解除方向（左方向）へと移動させることができ、左下ロック構造１２４を解除状態とすることができる。他のロック構造１２１〜１２３も解除状態とすれば、裏セット盤７０を前枠９に対して後方開放することができる。
【０２１２】
裏セット盤７０を前枠９に対して後方開放した後に閉鎖し、前枠９を外枠４に対して閉鎖する際に、スライダ部材１２４ａのロック方向（右方向）への移動を忘れて解除状態（左方向移動状態）のまま前枠９を閉鎖しても、左下ロック構造１２４のロックは自動的に行われる。前枠９の閉鎖に伴い前枠９の左側面９ｕが外枠４の内面４ｃに近づき、その内面４ｃがスライダ部材１２４ａの押さえ部１２４ｃを右方向へ押すこととなる。その結果、内面４ｃによってスライダ部材１２４ａのロック方向（右方向）移動が完了し、操作者が特段操作しなくてもスライダ部材１２４ａがロック状態となる。
【０２１３】
＜メイン制御基板ケースの形状＞
図５４は、パチンコ機２を斜め右下後方から矢視した斜視図である。裏セット盤７０の後面側であって、裏セットカバー７０ｃの下方に、各種基板ユニットが配置されている。
【０２１４】
電源基板ユニット１２０は、このパチンコ機２内の各種電気部品、電子部品に電源を供給するためのものであり、裏セット盤７０の後面に取り付けられ、裏セットカバー７０ｃの下方やや右側に配置されている。
【０２１５】
電源基板ユニットの左側には、裏セット盤７０の後面に払出制御基板ユニット１５０が取り付けられている。払出制御基板ユニット１５０は、賞球払出ユニット９８に所定個数の賞球払出動作を実行させるためのものであり、払出制御基板ケース内に払出制御基板が収納されて構成される。後述するメイン制御基板ユニット１００からの賞球払出制御コマンドに基づき、払出制御基板ユニット１５０は、賞球払出ユニット９８に向けて賞球払出動作実行のための払出動作信号を送出する。
【０２１６】
電源基板ユニット１２０及び払出制御基板ユニット１５０の後方には、両ユニット１２０，１５０に跨るようにメイン制御基板ユニット１００が取り付けられている。図５５は、メイン制御基板ユニット１００の外観斜視図である。メイン制御基板ユニット１００は、メイン制御基板１００ａがメイン制御基板ケース１００ｂ内に収納されて構成される。メイン制御基板１００ａは、パチンコ機２の各種動作を制御するための制御基板である。例えば、遊技球の入賞に基づいて払出制御基板に向けて賞球払出のための賞球払出制御コマンドを送出したり、遊技球の入賞に基づいて内部抽選を行い、その抽選結果に基づく演出コマンドを演出実行用のサブ基板に向けて送出したりする。
【０２１７】
メイン制御基板ケース１００ｂは、メイン制御基板１００ａを内部空間に収納し、外部からメイン制御基板１００ａにアクセス不可能となるように全体を覆っている。メイン制御基板ケース１００ｂは、２つのケース部材が開閉可能に重ね合わされることにより内部空間を構成し、その内部空間にメイン制御基板１００ａを収納する。
【０２１８】
メイン制御基板１００ａに対する不正行為を防止するため、メイン制御基板１００ａを収納した後に、メイン制御基板ケース１００ｂの２つのケース部材はカシメ部材１１３によって締結される。カシメ部材１１３によって締結された後は、カシメ部材１１３を破壊しない限りメイン制御基板ケース１００ｂの開放及びメイン制御基板１００ａへのアクセスが不可能とされる。
【０２１９】
メイン制御基板ケース１００ｂの表面には、シリアルナンバー等の所定情報が付与された情報シールを貼付するための貼付面１００ｃが形成されている。貼付面１００ｃに情報シールを貼付することにより、メイン制御基板ユニット１００の識別や管理が可能又は容易となる。その貼付面１００ｃの少なくとも一部を囲み、情報シールの外形形状の少なくとも一部に沿うように、突起１００ｄが形成されている。
【０２２０】
突起１００ｄは、メイン制御基板ケース１００ｂの表面に、貼付面１００ｃから突出するように形成されている。これにより、情報シールの周囲が突起１００ｄによって囲まれることとなり、情報シールの周縁が外部からの意図的な又は意図しないアクセスから保護される。情報シールを無理に剥がすことが困難となり、また、他の部品との接触によって情報シールが剥がれてしまうことも防止される。
【０２２１】
＜電源基板ユニット＞
図５６は、電源基板ユニット１２０の外観斜視図である。図５６においては、パチンコ機２に取り付けた状態における斜め右上後方から矢視している。電源基板ユニット１２０は、前述したように、パチンコ機２内部に電源を供給するユニットであって、内部に商用交流電源を直流電源に変換するための整流器や変圧器を備えた電源基板１２０ａを備え、その電源基板１２０ａの後面側における主要部分を、樹脂又は金属製で略直方体形状の電源基板ケース１２０ｂで囲んでいる。
【０２２２】
電源基板１２０ａの一部にはコネクタ１２０ｃが実装されており、そのコネクタ１２０ｃは電源基板ケース１２０ｂの外部に露出している。コネクタ１２０ｃにはハーネスが接続されるようになっており、そのハーネスを介して電源基板ユニット１２０とメイン制御基板ユニット１００や払出制御基板ユニット１５０とが接続され、メイン制御基板ユニット１００や払出制御基板ユニット１５０に電源供給がされるようになっている。
【０２２３】
電源基板１２０ａの他の一部には、オンオフスイッチ１２０ｄが実装されている。オンオフスイッチ１２０ｄの操作により、電源基板ユニット１２０による電源供給が開始／停止されるようになっている。オンオフスイッチ１２０ｄは、図５６（ａ），（ｂ）に示すように、スイッチカバー１２０ｅ内に収納されている。スイッチ操作時には、図５６（ｂ）に示すように、スイッチカバー１２０ｅを開けて、内部のオンオフスイッチ１２０ｄを操作する。スイッチカバー１２０ｅには開閉操作を容易とするための把持部１２０ｆが形成されており、把持部１２０ｆを持って揺動開閉することができるようになっている。
【０２２４】
一方、通常時（非操作時）には、図５６（ａ）に示すように、スイッチカバー１２０ｅを閉鎖すると、スイッチカバー１２０ｅの係止孔１２０ｇにフック１２０ｈが係止される。それにより、スイッチカバー１２０ｅが不用意に開放しないようになっている。通常時にスイッチカバー１２０ｅによってオンオフスイッチ１２０ｄをカバーし、そのスイッチカバー１２０ｅが不用意に開放しないようにフック１２０ｈにより係止することで、ピアノ線等の不正な工具を用いたオンオフスイッチ１２０ｄの電源オフ操作（いわゆる、瞬断ゴト）を防止することができる。もちろん、メンテナンス時等において、操作者がフック１２０ｈを手で持って係止を解除することで、スイッチカバー１２０ｅを容易に開放することができる。したがって、このスイッチカバー１２０ｅは、不正防止とメンテナンス性の向上とを両立している。
【０２２５】
＜各基板ユニットの取付け方法＞
図５７は、電源基板ユニット１２０の外観斜視図である。図５７においては、電源基板ユニット１２０をパチンコ機２へ取り付けた状態における斜め右上前方から矢視している。電源基板ユニット１２０の前面側（すなわち、裏セット盤７０への取付面側）には、板金部材１２０ｊが取り付けられている。電源基板ユニット１２０がパチンコ機２に取り付けられた状態において、板金部材１２０ｊは電源基板１２０ａの前方に位置するようになっており、ノイズによる電源基板１２０ａ及びパチンコ機２内の他の電子部品や基板への悪影響を防止する効果を発揮している。
【０２２６】
板金部材１２０ｊの上下両端には、上下方向に突出する突出ガイド１２０ｋが各々２個ずつ計４個配置されている。この突出ガイド１２０ｋは、電源基板ユニット１２０を裏セット盤７０に取り付ける際の案内ガイドとして機能する。また、板金部材１２０ｊの一部には、後述する裏セット盤７０の係止フック７０ｈと係合する係止孔１２０ｍが形成されている。
【０２２７】
図５８は、裏セット盤７０を斜め右下後方から矢視した斜視図である。図５８は、図５４と矢視方向が同じであるが、裏セット盤７０のみを図示し、パチンコ機２における他の構成部品の図示を省略している。また、裏セット盤７０の後面側に取り付けられる電源基板ユニット１２０、払出制御基板ユニット１５０、メイン制御基板ユニット１００の図示も省略している。
【０２２８】
裏セット盤７０の中央開口７０ｅの下方右側部分は、電源基板ユニット１２０の取付けスペース７０ｆとなっている。この取付けスペース７０ｆの上下４箇所には、板金部材１２０ｊの突出ガイド１２０ｋに対応する位置に、案内溝７０ｇが形成されている。更に、板金部材１２０ｊに開口形成された係止孔１２０ｍに対応する位置に、係止フック７０ｈが配置されている。
【０２２９】
裏セット盤７０の取付けスペース７０ｆに電源基板ユニット１２０の板金部材１２０ｊを沿わせるようにし、右から左方向に電源基板ユニット１２０をスライド移動させると、突出ガイド１２０ｋが案内ガイドとして案内溝７０ｇ内に挿入される（図６０の矢印（１）参照）。そして、所定位置までスライド移動が完了すると、係止フック７０ｈが係止孔１２０ｍに係合し、電源基板ユニット１２０の取付けが完了する。係止フック７０ｈと係止孔１２０ｍとが係合しているので、電源基板ユニット１２０を右方向へ移動することができず、取付け完了状態では、電源基板ユニット１２０の裏セット盤７０からの取外しができない。
【０２３０】
電源基板ユニット１２０の取外しの際は、ツマミ７０ｊを前方に押し込むようにすると、係止フック７０ｈと係止孔１２０ｍとの係合が解除される。その状態で、電源基板ユニット１２０を右方向にスライド移動すると、突出ガイド１２０ｋが案内溝７０ｇから外れ、電源基板ユニット１２０の取外しが可能となる。
【０２３１】
図５９は、払出制御基板ユニット１５０の外観斜視図である。（ａ）は、パチンコ機２の取付け状態における斜め右下後方（図５８の矢視方向と同方向）から矢視した斜視図であり、（ｂ）は、パチンコ機２の取付け状態における斜め左上前方から矢視した斜視図である。図５９（ｂ）に示すように、払出制御基板ユニット１５０の前面側には、上下２箇所ずつ計４箇所の案内溝１５０ａが形成されている。そして、払出制御基板ユニット１５０の左側面には、係止爪部１５０ｂが側方に突出形成されている。
【０２３２】
裏セット盤７０の中央開口７０ｅの下方左側部分は、払出制御基板ユニット１５０の取付けスペース７０ｋとなっている（図５８参照）。この取付けスペース７０ｋの上下４箇所には、払出制御基板ユニット１５０の案内溝１５０ａに対応する位置に、案内ガイド７０ｍが形成されている。更に、取付けスペース７０ｋの左端部近傍であって係止爪部１５０ｂに対応する位置に、係止フック７０ｎが配置されている。
【０２３３】
裏セット盤７０の取付けスペース７０ｋに払出制御基板ユニット１５０の前面を沿わせるようにし、右から左方向に払出制御基板ユニット１５０をスライド移動させると、案内溝１５０ａ内部に案内ガイド７０ｍが挿入される（図６０の矢印（２）参照）。そして、所定位置までスライド移動が完了すると、係止フック７０ｎと係止爪部１５０ｂとが係合し、払出制御基板ユニット１５０の取り付けが完了する。係止フック７０ｎと係止爪部１５０ｂとが係合しているので、払出制御基板ユニット１５０を右方向へ移動することができず、取付け完了状態では、払出制御基板ユニット１５０の裏セット盤７０からの取外しができない。
【０２３４】
払出制御基板ユニット１５０の取外しの際は、係止フック７０ｎを左方向へ押し込むようにすると、係止フック７０ｎの弾性変形によって係止フック７０ｎと係止爪部１５０ｂとの係合が解除される。その状態で、払出制御基板ユニット１５０を右方向にスライド移動すると、案内ガイド７０ｍが案内溝１５０ａから外れ、払出制御基板ユニット１５０の取外しが可能となる。
【０２３５】
次に、メイン制御基板ユニット１００の取付け方法について説明する。裏セット盤７０に電源基板ユニット１２０及び払出制御基板ユニット１５０を取り付けた状態において、電源基板ユニット１２０の後面１２０ｎ（図５６（ｂ）参照）と払出制御基板ユニット１５０の後面１５０ｃ（図５９（ａ）参照）とは前後方向に等高（いわゆる、面一状態）となる。この面一状態の後面１２０ｎ及び１５０ｃに跨るように、メイン制御基板ユニット１００が取り付けられる。
【０２３６】
図５６に示すように、電源基板ユニット１２０の後面１２０ｎにおける右端部近傍には、後方に突出するように２つの嵌合部１２０ｐが配置されている。この嵌合部１２０ｐは、左側が開口して嵌合凹部１２０ｑとされており、後述するメイン制御基板ユニット１００の突設部１００ｇを嵌合凹部１２０ｑに嵌合可能とされている。
【０２３７】
図５９に示すように、払出制御基板ユニット１５０の後面１５０ｃにおける左端部近傍には、後方に突出するように係止フック１５０ｄが配置されている。この係止フック１５０ｄは、後述するメイン制御基板ユニット１００の係止面１００ｈと係合し、係止面１００ｈの後方移動を規制する。
【０２３８】
図５５に示すように、メイン制御基板ユニット１００は、その右端部近傍に側方に突出する２つの突設部１００ｇを有している。また、メイン制御基板ユニット１００の後面側における左端部近傍には、係止面１００ｈが形成されており、左側面から側方に２つの突部１００ｊが突出している。
【０２３９】
図６０は、裏セット盤７０に対して、各基板ユニット１００，１２０，１５０を取り付ける様子を示す分解説明図である。図６０に示すように、電源基板ユニット１２０及び払出制御基板ユニット１５０を裏セット盤７０に取り付けた後、メイン制御基板ユニット１００の突設部１００ｇを電源基板ユニット１２０の嵌合凹部１２０ｑに嵌合させる（図中矢印（３）参照）。そして、その後にメイン制御基板ユニット１００の右端部近傍を前方に押し込むと、メイン制御基板ユニット１００の係止面１００ｈが払出制御基板ユニット１５０の係止フック１５０ｄに係合する。このとき、係止フック１５０ｄが２つの突部１００ｊの間に位置するので、メイン制御基板ユニット１００の左端部近傍は後方移動と共に上下移動も規制されることとなる。
【０２４０】
メイン制御基板ユニット１００の右端部近傍が、嵌合凹部１２０ｑと突設部１００ｇとによって上下前後右方向の移動が規制され、左端部近傍が、係止フック１５０ｄと係止面１００ｈと突部１００ｊとによって上下前後左方向の移動が規制されて、その結果、メイン制御基板ユニット１００の取付けが完了する。
【０２４１】
メイン制御基板ユニット１００の取外しの際は、係止フック１５０ｄを左方向へ押し込むようにすると、係止フック１５０ｄの弾性変形によって係止フック１５０ｄと係止面１００ｈとの係合が解除される。その状態で、メイン制御基板ユニット１００の左端部近傍を後方移動させると、メイン制御基板ユニット１００の左方向移動が可能となり、嵌合凹部１２０ｑと突設部１００ｇとの嵌合も解除されて、メイン制御基板ユニット１００の取外しが可能となる。
【０２４２】
＜メイン制御基板ユニットのカシメ構造＞
図６１は、図５５に示したカシメ部材１１３の分解斜視図である。カシメ部材１１３は、メイン制御基板ケース１００ｂを構成する２つのケース部材に跨るように取り付けられ、メイン制御基板ケース１００ｂを開放不可能とすることによりケース内部に収容するメイン制御基板１００ａを封印する。
【０２４３】
カシメ部材１１３は、本体部１１３ａとフランジ部１１３ｂとを有しており、その１１３ａに対して別体とされた拡張部１１４が取り付けられて構成されている。本体部１１３ａとフランジ部１１３ｂとは、例えば金属部材により一体で形成されており、各々大略円柱形状を呈している。本体部１１３ａの上部に本体部よりも大径とされたフランジ部１１３ｂが位置している。
【０２４４】
本体部１１３ａには、小径部１１３ｃと大径部１１３ｄとが形成されており、本体部１１３ａが例えば、バネ鋼材又は樹脂材料等で形成された拡張部１１４の中空内部に挿入されて、この小径部１１３ｃの周囲に巻き付けられるように拡張部１１４が取り付けられる。
【０２４５】
拡張部１１４は、略円筒形状を呈しており、その円筒側面の一部に長手方向に切断された切断部１１４ａを有し、その切断部１１４ａの存在により拡張部１１４の内径が拡縮可能とされている。そのため、若干切断部１１４ａを押し広げながら本体部１１３ａを挿入し、挿入後は、拡張部１１４のバネ性によって内径が縮小して、拡張部１１４は小径部１１３ｃに密着する。そのとき、大径部１１３ｄの一部に形成された突出部１１３ｅと拡張部１１４の一部に形成された切欠き部１１４ｂとが噛み合うことにより、本体部１１３ａに対する拡張部１１４の回転が規制されている。本体部１１３ａに対して拡張部１１４が不用意に回転してしまうことがない。
【０２４６】
拡張部１１４は、本体部１１３ａへの取付け状態においてフランジ部１１３ｂ側に向けて開く（拡張する）拡張片１１４ｃを有している。拡張片１１４ｃは、拡張部１１４の円筒側面に長手方向（高さ方向）に沿って形成された複数のスリット１１４ｄによって各々独立して弾性変形するように形成される。スリット１１４ｄは、拡張部１１４の円筒側面における長手方向の途中位置（略中央）まで形成され、その部分から複数の拡張片１１４ｃが各々放射方向に切り起こされている。この拡張片１１４ｃが複数の放射方向において実質的に封止機能を発揮する。
【０２４７】
図６２は、メイン制御基板ケース１００ｂにカシメ部材１１３を取り付けた状態を説明するための側方断面図である。図６２に示す前後方向は、パチンコ機２にメイン制御基板ユニット１００を取り付けた状態における前後方向である。メイン制御基板ケース１００ｂは、本体ケース１１５と蓋ケース１１６との２つのケース部材を有している。図６２において、本体ケース１１５が後方側のケース部材であり、蓋ケース１１６が前方側のケース部材である。
【０２４８】
本体ケース１１５には円形断面の貫通孔１１５ａが形成され、蓋ケース１１６には円形断面の挿入穴１１６ａが形成されている。貫通孔１１５ａの直径は、フランジ部１１３ｂの直径よりも小さく、本体部１１３ａにおける大径部１１３ｄと略同径か若干大径とされている。挿入穴１１６ａは、その入口部分（本体ケース１１５に対向する部分）１１６ｂの直径が小径とされて貫通孔１１５ａの直径と略一致している。入口部分１１６ｂよりも前方には係合溝部１１６ｃが形成されている。係合溝部１１６ｃは、入口部分１１６ｂよりも大径とされている。
【０２４９】
カシメ部材１１３をその端部１１３ｆから貫通孔１１５ａに挿入すると、拡張片１１４ｃがその弾性により収縮しつつ（閉じつつ）本体部１１３ａが貫通孔１１５ａから挿入穴１１６ａへと至る。拡張部１１４の厚さは、大径部１１３ｄと小径部１１３ｃとの半径差以下とされているので、拡張部１１４がカシメ部材１１３の挿入の障害となることはない。
【０２５０】
挿入が進行し、拡張片１１４ｃの先端部分が係合溝部１１６ｃに到達すると、拡張片１１４ｃの先端部分が放射状に拡張する。そうすると、その後にカシメ部材１１３を貫通孔１１５ａから引き抜こうとしても、拡張片１１４ｃが係合溝部１１６ｃの壁面に当接して引き抜きを阻止する。カシメ部材１１３のフランジ部１１３ｂと拡張片１１４ｃとで貫通孔１１５ａと挿入穴１１６ａの入口部分１１６ｂとを挟み込む状態となり、その状態のままカシメ部材１１３の貫通孔１１５ａからの引き抜きは不可能となる。その結果、本体ケース１１５と蓋ケース１１６との分離が不可能となり、メイン制御基板１００ａはメイン制御基板ケース１００ｂ内に封印されることとなる。
【０２５１】
なお、図６３は、カシメ部材１１３の他の例の分解斜視図である。この例においては、図６１の例と同様に、カシメ部材１１３が本体部１１３ａ、フランジ部１１３ｂ、拡張部１１４を有しているが、本体部１１３ａは、フランジ部１１３ｂ側の大径部１１３ｇとフランジ部１１３ｂから遠い側の小径部１１３ｈとを有し、小径部１１３ｈには更に溝部１１３ｊが形成されている。
【０２５２】
拡張部１１４は、底部１１４ｅと底部１１４ｅからフランジ部１１３ｂに向けて放射状に斜めに広がる複数の拡張片１１４ｆとを有し、拡張片１１４ｆのうちの一部は内側に屈曲する屈曲部１１４ｇを有する。
【０２５３】
拡張部１１４を本体部１１３ａに取り付ける際には、拡張片１１４ｆがフランジ部１１３ｂに向けて広がり、底部１１４ｅがフランジ部１１３ｂから遠くなるように、小径部１１３ｈに拡張部１１４を取り付ける。小径部１１３ｈの先端に形成されたテーパ部１１３ｋによって屈曲部１１４ｇが押し広げられ、屈曲部１１４ｇはその弾性によって溝部１１３ｊに係合する。拡張部１１４は本体部１１３ａに対して回転可能に取り付けられ、拡張片１１４ｆが拡張片１１４ｃと同様に、メイン制御基板ケース１００ｂの封印機能を発揮する。なお、拡張部１１４の厚さが大径部１１３ｇと小径部１１３ｈとの半径差以下である点は、上記図６１の例と同様である。
【０２５４】
図６４は、カシメ部材１１３の更に他の例の分解斜視図である。この例においては、図６３の例と同様に、カシメ部材１１３が本体部１１３ａ、フランジ部１１３ｂ、拡張部１１４を有しているが、本体部１１３ａは、フランジ部１１３ｂから遠い側の先端部近傍に長手方向に延びる複数の縦溝部１１３ｍを有している。本体部１１３ａの先端部には、カシメ用突出部１１３ｐが突出形成されている。更に、本体部１１３ａは、円筒側面から側方に進退可能に突出する突出ピン１１３ｎを有し、この突出ピンによってもメイン制御基板ケース１００ｂの封印機能を発揮するものとなっている。
【０２５５】
拡張部１１４は、底部１１４ｈと底部１１４ｈからフランジ部１１３ｂに向けて放射状に斜めに広がる複数の拡張片１１４ｊとを有している。そして、底部１１４ｈには、カシメ用突出部１１３ｐを貫通可能なカシメ用孔部１１４ｋが開口形成されている。
【０２５６】
拡張部１１４を本体部１１３ａに取り付ける際には、拡張片１１４ｊがフランジ部１１３ｂに向けて広がり、底部１１４ｈがフランジ部１１３ｂから遠くなるように、本体部１１３ａの先端部に拡張部１１４を取り付ける。カシメ用突出部１１３ｐをカシメ用孔部１１４ｋに貫通させた状態で、カシメ用突出部１１３ｐを潰して（塑性変形させて）本体部１１３ａに拡張部１１４をカシメ固定する。
【０２５７】
このとき、カシメ用突出部１１３ｐとカシメ用孔部１１４ｋとに各々対応する位置決め部１１７が形成されていれば、本体部１１３ａと拡張部１１４とは回転方向における位置決めがされて固定される。この位置決めによって、拡張片１１４ｊの位置と縦溝部１１３ｍの位置とが一致するようになっている。そのため、カシメ部材１１３をメイン制御基板ケース１００ｂの貫通孔１１５ａに挿入する際に、拡張片１１４ｊが縦溝部１１３ｍ内に折り畳まれるように収納される。縦溝部１１３ｍ内に収納された拡張片１１４ｊは、本体部１１３ａの直径寸法以内となり、カシメ部材１１３の貫通孔１１５ａの挿入の障害とならない。
【０２５８】
この図６４の例におけるカシメ部材１１３は、本体部１１３ａと拡張部１１４とのカシメ固定を行うので、拡張部１１４は本体部１１３ａに対して回転不可能とされる。このカシメ部材１１３は、突出ピン１１３ｎによる封印機能と、拡張片１１４ｊによる封印機能との、二重の封印機能を発揮する。
【０２５９】
＜アウト口ユニットの構造＞
図６５は、このパチンコ機２に用いる遊技盤ユニット５の正面図である。遊技盤ユニット５は、発射ユニットＣ１によって弾球発射された遊技球２３が遊技盤面６ａ上を流下することによる遊技を実現するためのものであり、遊技盤６とアウト口ユニットＵと内レール２４とを有して大略構成される。
【０２６０】
遊技盤６は、例えば、木材又は樹脂材料で形成された正面視大略長方形の板状部材であって、前枠９に対して遊技盤フック７４，７５により後面側から取り付けられている。遊技盤６の前面側表面、すなわち遊技盤面６ａには、流下する遊技球２３の方向を変更させるための多数の遊技釘や風車、遊技球２３の流入又は通過により遊技者に所定の利益を付与するための入賞口やゲート等が配置されるが、ここでは図示及び説明を省略する。なお、図６５中の符号３１ａは、大入賞口を取り付けるために遊技盤６に開口形成された大入賞口取付孔である。
【０２６１】
遊技盤面６ａには、アウト口ユニットＵが取り付けられている。アウト口ユニットＵは、レール飾り部２６とアウト口部３０とを有して大略構成される。また、遊技盤面６ａには、内レール２４も取り付けられている。図６５に示すように、内レール２４とレール飾り部２６とは、内側が大略円弧形状とされており、アウト口部３０を挟んで左右に対向配置されている。この内レール２４とレール飾り部２６とで囲まれた遊技盤面６ａ上の大略円形領域が遊技領域１６であり、この遊技領域１６を遊技球２３が流下する。
【０２６２】
発射ユニットＣ１によって発射され、外レール７６（図２４参照）に沿って内レール２４の外側（図６５中左側）から遊技領域１６内に流入した遊技球２３が、いずれの入賞口にも入賞しない場合に、内レール２４又はレール飾り部２６によって誘導されてアウト口部３０へと流入するようになっている。
【０２６３】
図６６は、アウト口ユニットＵのアウト口部３０近傍を拡大して示す拡大分解図である。レール飾り部２６の下方部分には、遊技球２３をアウト口部３０へと案内する案内斜面２６ｂが形成されている。その案内斜面２６ｂの後方に隣接してアウト口部３０が配置されている。
【０２６４】
アウト口部３０は、２つのアウト口（左側アウト口３０ａ，右側アウト口３０ｂ）を有している。各アウト口３０ａ，３０ｂは、共に遊技球２３の直径以上の径を有する円形開口とされ、遊技球２３を円滑に流入可能とされている。２つのアウト口３０ａ，３０ｂの後方には、各々計数センサ（不図示）が配置され、それぞれのアウト口３０ａ，３０ｂから流入した遊技球２３の個数をカウントするようになっている。各アウト口３０ａ，３０ｂに流入した遊技球２３の個数の合計がアウト球数である。
【０２６５】
例えば、発射ユニットＣ１又は整流器９２の近傍に計数センサを配置して遊技球２３の発射数（発射球数）をカウントし、ファール球流入通路６３ｅの近傍に計数センサを配置してファール球の個数（ファール球数）をカウントし、遊技領域１６内の各入賞口に計数センサを配置して入賞個数（入賞球数）をカウントすれば、発射球数、ファール球数、入賞球数、アウト球数の情報に基づき、不正行為の発見、不正行為の防止を行うことができる。例えば、本来「発射球数−ファール球数＝入賞球数＋アウト球数」の計算式を満足すべきところ、この計算式から大きく逸脱する程度に入賞球数が多い場合には、入賞口の計数センサに対する不正行為やいわゆる糸吊りゴト等の不正行為が行われている可能性を判断することができる。
【０２６６】
案内斜面２６ｂは、アウト口部３０に遊技球２３を案内すべく、アウト口部３０の前方部分が最下方位置となるように両側部分から下がり傾斜している。そのアウト口部３０の前方部分において、案内斜面２６ｂは、後方に向けて、すなわちアウト口部３０に向けて下がり傾斜する傾斜面２６ｃ，２６ｄを有している。前方傾斜面２６ｃは傾斜角度が緩く、後方傾斜面２６ｄは傾斜角度が急とされている。遊技球２３が連続してアウト口３０ａ，３０ｂに流入する場合に、よりアウト口３０ａ，３０ｂに近い側の遊技球２３の流入速度が速くなり、球詰り防止効果を発揮している。
【０２６７】
案内斜面２６ｂと傾斜面２６ｃ，２６ｄとは、左肩部２６ｅと右肩部２６ｆとによって滑らかに接続されている。左肩部２６ｅ及び右肩部２６ｆは、案内斜面２６ｂよりも急角度で遊技球２３を傾斜面２６ｃ，２６ｄへと案内し、かつ後方すなわちアウト口部３０方向へと誘導する作用も有する。
【０２６８】
左肩部２６ｅは、左側アウト口３０ａの前方左側に位置しており、右肩部２６ｆは、右側アウト口３０ｂの前方右側に位置している。左側アウト口３０ａに左右方向から２つの遊技球２３が同時に流入しようとした場合に、左肩部２６ｅが左側アウト口３０ａの前方左側だけにあることにより、２つの遊技球２３に加わる外力がアンバランスとなる。そのアンバランスな外力によって、左側アウト口３０ａに流入する複数の遊技球２３による球詰まりが防止される。なお、右肩部２６ｆ及び右側アウト口３０ｂにおいても、同様のアンバランスな外力の作用により、右側アウト口３０ｂに流入する複数の遊技球２３による球詰まりが防止されている。
【０２６９】
アウト口３０ａ，３０ｂの各々の入口部分には、遊技球２３を円滑に流入させるための誘導面が形成されている。誘導面は、前方に向けて広がるような形状のテーパ面又はＲ面（曲面）とされており、肩部２６ｅ，２６ｆ又は後方傾斜面２６ｄからの遊技球２３を受けつつ滑らかにアウト口３０ａ，３０ｂ内に誘導する。誘導面のうち、左側アウト口３０ａの左側（外側、すなわち左肩部２６ｅ側）に位置する部分を左外面３０ｃ、右側（内側）に位置する部分を左内面３０ｄ、右側アウト口３０ｂの左側（内側）に位置する部分を右内面３０ｅ、右側（外側、すなわち右肩部２６ｆ側）に位置する部分を右外面３０ｆとする。
【０２７０】
左外面３０ｃと左内面３０ｄとは、非対称に形成されている。すなわち、これらがテーパ面である場合は、左外面３０ｃと左内面３０ｄのテーパ角度が異なっており、これらが曲面である場合は、左外面３０ｃと左内面３０ｄの曲率が異なっている。同様に、右外面３０ｆと右内面３０ｅとは、非対称に形成されている。すなわち、これらがテーパ面である場合は、右外面３０ｆと右内面３０ｅのテーパ角度が異なっており、これらが曲面である場合は、右外面３０ｆと右内面３０ｅの曲率が異なっている。また、左内面３０ｄと右内面３０ｅとは、非対称に形成されている。すなわち、これらがテーパ面である場合は、左内面３０ｄと右内面３０ｅのテーパ角度が異なっており、これらが曲面である場合は、左内面３０ｄと右内面３０ｅの曲率が異なっている。
【０２７１】
このように、各アウト口３０ａ，３０ｂにおける誘導面の形状を左右非対称とすることで、左右方向から流入する２つの遊技球２３に加わる外力をアンバランスとすることができ、球詰まり防止に寄与する。このアウト口ユニットＵにおいては、傾斜面２６ｃ，２６ｄが相互に異なる傾斜角度を有することによる球詰まり防止効果、肩部２６ｅ，２６ｆが配置されることによる球詰まり防止効果、誘導面（左外面３０ｃ、左内面３０ｄ、右内面３０ｅ、右外面３０ｆ）が左右非対称であることによる球詰まり防止効果を発揮している。
【０２７２】
＜施錠装置＞
図６７は、このパチンコ機２における前枠９を斜め右上前方から矢視して、施錠装置６０を後方に分解した分解斜視図である。前枠９の右側面９ｗ近傍に施錠装置６０が取り付けられている。施錠装置６０は、前枠９と外枠４との閉鎖時の施錠、前枠９とガラス枠１２との閉鎖時の施錠を行うためのもので、施錠構造本体部６０ａとキーシリンダ部６０ｂとを有して大略構成されている。
【０２７３】
キーシリンダ部６０ｂは、大略円柱形状を呈しており、前面に鍵穴６０ｃを有して解錠鍵が挿脱可能とされている。キーシリンダ部６０ｂ内部には、複数のピンタンブラ又はディスクタンブラが配列されており、挿入された解錠鍵の形状パターンに沿ってタンブラが移動するようになっている。解錠鍵の形状パターンが適正なパターンの場合に、複数のタンブラがすべて所定位置に移動して鍵穴６０ｃの回転を可能とする。
【０２７４】
キーシリンダ部６０ｂは、施錠構造本体部６０ａとリンク機構又はカム機構等によって連結されており、鍵穴６０ｃの回転に伴って施錠構造本体部６０ａの内部構造が上下移動するようになっている。例えば、鍵穴６０ｃを初期位置（解錠鍵の挿入位置）から右回り回転させることによって、施錠構造本体部６０ａの前面側に上下方向に配列された３つの前方フック６０ｄが下方移動するようになっている。この前方フック６０ｄは、ガラス枠１２の後面側に形成されたガラス枠係合部（不図示）と係合することにより、前枠９とガラス枠１２とを施錠している。前方フック６０ｄの下方移動によって、ガラス枠係合部との係合が解除されてガラス枠１２が解錠状態となり、前枠９に対して前方開放可能となる。
【０２７５】
例えば、鍵穴６０ｃを初期位置から左回り回転させることによって、施錠構造本体部６０ａの後面側に配置された上下２つの後方フック６０ｅが上方移動するようになっている。この後方フック６０ｅは、外枠４の前面側に形成された外枠係合部（不図示）と係合することにより、前枠９と外枠４とを施錠している。後方フック６０ｅの上方移動によって、外枠係合部との係合が解除されて外枠４が解錠状態となり、外枠４に対して前枠９が前方開放可能となる。
【０２７６】
＜ガラス枠の構造＞
図６８は、このパチンコ機２を斜め右上前方から見た斜視図である。図６８においては、ガラス枠１２をヒンジ２２を回転中心として前方に揺動開放した状態を示している。
【０２７７】
このパチンコ機２は、最前面にガラス枠１２を有している。ガラス枠１２は、略その中央に中央開口１２ｃが形成され、その中央開口１２ｃの上方及び左右側方に装飾部材３２が配置されている（図１及び図３も参照。）。中央開口１２ｃには、後方からガラス１０を有するガラスユニット１１が取り付けられ、中央開口１２ｃを介しての遊技者による前方からの視認性確保と内部へのアクセス防止とが実現されている。
【０２７８】
中央開口１２ｃの下方には、図１及び図３に示すように、球皿１４（上球皿１４ａ、下球皿１４ｂ）が前方に向けて突出するように配置されている。また、遊技者が右手で把持し易い位置に、発射装置ハンドル１５も前方に突出している。このパチンコ機２においては、ガラス枠１２自体に球皿１４及び発射装置ハンドル１５が取り付けられている。すなわち、ガラス枠１２を前方に開放した際に、図６８に示すように、球皿１４及び発射装置ハンドル１５も一体的に前方開放するように構成されている。
【０２７９】
例えば、ガラス枠１２と別体に構成された皿枠が球皿１４を備え、ガラス枠１２と別々に前方開放可能とされた構成が提案されている。このような構成においては、皿枠がガラス枠１２の下方に位置し、ガラス枠１２と同様に皿枠がその左側方において前枠９に軸支され、ガラス枠１２と別に前方に揺動開閉可能とされたものがある。また、皿枠がガラス枠１２の下方に位置し、その下側（すなわち、幕板５０の上辺近傍）で左右方向に延びる軸によって軸支され、皿枠が前方に倒伏するように開放可能とされたものもある。これらのように、ガラス枠１２と皿枠とを別体として構成すると、ガラス枠１２とその下方に位置する皿枠との間に、左右方向に延びる隙間を生じる。
【０２８０】
しかしながら、このパチンコ機２においては、ガラス枠１２と皿枠とが別体として構成されておらず、ガラス枠１２自体に球皿１４と発射装置ハンドル１５とが取り付けられているので、ガラス枠１２と皿枠との間に隙間を生じることがない。すなわち、図６８に示す位置Ｌの部分には、ガラス枠１２の前面側から裏面側に連通する隙間が形成されていない。したがって、そのような隙間から無理に不正工具をパチンコ機２内部に挿入する不正行為が行われる可能性がなく、高い不正防止効果を発揮している。
【０２８１】
＜球皿背面側の構造＞
図６９は、このパチンコ機２のガラス枠１２を斜め右下後方から見た斜視図である。図６９においては、ガラス枠１２背面側における構造の説明容易のため、球皿１４の背面側における一部の構成部品を省略し、かつ補強板金１２ｍを後方に分解して示している。また、図６９では、前枠９、外枠４及び裏セット盤７０の図示を省略している。
【０２８２】
ガラス枠１２の前面側における中央開口１２ｃの下方位置に、球皿１４（上球皿１４ａ、下球皿１４ｂ）及び発射装置ハンドル１５が取り付けられている。そして、その球皿１４及び発射装置ハンドル１５の後方位置、すなわち、ガラス枠１２の背面側であってガラスユニット１１の下方位置には、補強板金１２ｍがガラス枠１２の背面に固定取付けされている。
【０２８３】
この補強板金１２ｍは、図６９に示すように、大略長方形状の板金部材である。補強板金１２ｍの４辺周囲には、曲げ部１２ｎが形成されて補強されており、撓みや曲げ等の外力に対し変形し難くなっている。また、補強板金１２ｍには、複数の孔部１２ｐが開口されており、例えば、ハーネスやネジ等の各種部品の補強板金１２ｍを介しての前後の連通を可能としている。
【０２８４】
補強板金１２ｍは、ガラス枠１２における中央開口１２ｃの下方部分の殆どを全体的に覆うように配置されている。それにより、ガラス枠１２の下方部分における補強を実現しているので、遊技者が不用意に外力を加えても、ガラス枠１２が変形し難いようになっている。また、ガラス枠１２の下方部分を金属製の補強板金１２ｍで覆うことで、ガラス枠１２の前方から、例えば球皿１４近傍や発射装置ハンドル１５近傍を介してのパチンコ機２内部への不正な侵入をより確実に防止している。
【０２８５】
なお、補強板金１２ｍはガラス枠１２の背面側に直接取り付けられている。また、補強板金１２ｍの背面側には、球皿１４の光演出を実現するための皿電飾基板や中継基板等の各種基板、それらの基板を収容する基板ケース等が取り付けられているが、図６９においては説明容易のために図示を省略している。
【０２８６】
＜ガラス枠中継基板構造＞
図７０は、このパチンコ機２のガラス枠１２を略９０°の角度で前方開放した状態における下側ヒンジ２１近傍の拡大図である。すなわち、図７０は、ガラス枠１２の左側辺側において上下に延びた、前枠９に対する揺動支持軸の下方部分近傍位置であって、ガイド通路１２ａやファール球回収カバー６３の周囲近傍を図示している。
【０２８７】
ガラス枠１２の背面側には、ベース部材としての基板ベース３３が取り付けられており、その基板ベース３３の後方にガラス枠中継基板３４が取り付けられている。基板ベース３３は、例えば樹脂製のプレート部材であって、ガラス枠中継基板３４の取付部やハーネスクランプ３６ａ用の取付部等を有する。ガラス枠中継基板３４は、遊技盤６の後方に配置されてパチンコ機２の演出表示を制御するためのサブ制御基板（不図示）と、ガラス枠１２側に搭載される各種制御基板（球皿１４の電飾に関する基板、演出ボタンに関する基板、発射装置ハンドル１５に関する基板等）とを中継するための基板である。このパチンコ機２においては、ガラス枠中継基板３４として、上側中継基板３４ａと下側中継基板３４ｂとの２つが取り付けられている。その上側中継基板３４ａと下側中継基板３４ｂの後方に位置するように、開口３５ａを有してコネクタの挿脱容易性を確保しつつ中継基板３４ａ，３４ｂの一部を覆う基板カバー３５が配置される。このパチンコ機２においては、基板カバー３５は基板ベース３３に取り付けられている。
【０２８８】
図７０に示すように、上側中継基板３４ａ上に実装された１つのコネクタから１束のハーネス３７ａが延びている。下側中継基板３４ｂ上に実装された２つのコネクタから２束のハーネス３７ｂ，３７ｃが延びている。これら合計３束のハーネス３７ａ〜３７ｃは、基板カバー３５上に取り付けられたハーネスクランプ３６ｂを介して前枠９側の前枠ハーネス開口１１０を通り、前枠９の後方へと至るようになっている。このハーネス３７ａ〜３７ｃがまとまって前述の扉用ハーネス１０９ｂとなる（図４３及び図４４参照）。
【０２８９】
ガラス枠中継基板３４もハーネスクランプ３６ｂも前枠ハーネス開口１１０も前枠９に対するガラス枠１２の揺動支持軸近傍に位置している。したがって、ハーネス３７ａ〜３７ｃは、その揺動支持軸近傍を通過する。そのため、前枠９に対してガラス枠１２を開閉した場合でも、ハーネス３７ａ〜３７ｃの経路長に大きな変化がなく、開放時にハーネスが無理に引っ張られたり閉鎖時にハーネスが不必要に余剰してしまうことがない。
【０２９０】
＜ヒンジピンの自動ロック構造＞
図７１は、このパチンコ機２のガラス枠１２を略９０°の角度で前方開放した状態におけるヒンジピン８６及びロックアーム８７近傍の拡大図である。図７１では、ガラス枠１２の背面側と前枠９の前面側の、各々の左上方部分近傍を図示している。図７２は、ヒンジピン８６及びロックアーム８７近傍におけるガラス枠１２の拡大背面図である。図７２（ａ）は、ロックアーム８７の解除状態を示し、図７２（ｂ）は、ロックアーム８７のロック状態を示している。
【０２９１】
ガラス枠１２は、ヒンジピン８６が前枠９側のヒンジ２２の軸孔に挿入されることにより、前枠９に揺動支持される。通常使用状態では、ヒンジピン８６が上方に突出してヒンジ２２の軸孔に挿入され、ロックアーム８７がロック状態とされている（図７２（ｂ））。しかし、メンテナンス時等、ガラス枠１２を前枠９から取り外す際には、ロックアーム８７を解除状態（図７２（ａ））とし、ヒンジピン８６を下方に押し下げて軸孔から脱離させる。なお、ヒンジピン８６は、バネ（不図示）等の付勢手段によって、常に上方に突出するように付勢されている。したがって、ヒンジピン８６から手を離すと、ヒンジピン８６は再び上方に向けて突出し、図７２（ａ）に示す状態となる。
【０２９２】
ガラス枠１２を前枠９に取り付ける際には、ガラス枠１２における左下方位置に形成された軸孔（不図示）に前枠９における左下方位置に配置された軸（不図示）を挿入し、左下方位置における両者の係合を行う。その上で、ガラス枠１２の左上方位置において、ヒンジピン８６を下方に押し下げる。そして、ヒンジピン８６と前枠９側のヒンジ２２の軸孔との位置合わせをした状態で、ヒンジピン８６から手を離す。そうすると、ヒンジピン８６が付勢手段によって上方に付勢されて軸孔内に挿入され、ガラス枠１２と前枠９との左上方位置における係合も行われ、両者の揺動支持が完了する。
【０２９３】
この状態では、ガラス枠１２背面側では、図７２（ａ）に示すように、ヒンジピン８６が上方に突出した状態であり、ロックアーム８７は解除状態である。ここで、ロックアーム８７のロック状態への移動操作を行うことを忘れたままガラス枠１２を前枠９に対して閉鎖しようとすると、前枠９に設けられたガイド面３８がロックアーム８７のアーム部８７ｃの上側に当接する。
【０２９４】
ガイド面３８は、前枠９の前面側に前方の突出形成された樹脂リブの一部の面であり、図７１に示すように、右側から左側にかけて前方から後方へと斜めに傾斜している。ガイド面３８は、曲線状であり、かつその上側稜線よりも下側稜線の方が後方に位置するように端面が斜め傾斜している。このガイド面３８がアーム部８７ｃの上側に当接することにより、ガラス枠１２を閉鎖するに従い、ガイド面３８がアーム部８７ｃを徐々に強く下方に付勢するようになっており、閉鎖が完了した時点では、図７２（ｂ）に示すようにロックアーム８７がロック状態となる。
【０２９５】
したがって、ガラス枠１２を前枠９に取り付けた後に、ロックアーム８７をロック状態とする操作を忘れたままガラス枠１２を閉鎖しても、ロックアーム８７はガイド面３８の作用によって自動的にロック状態となる。これにより、不正防止効果が更に高いパチンコ機２を得ることができる。
【０２９６】
＜装飾部材のユニット構造＞
図７３は、パチンコ機２を斜め右上前方から矢視した外観斜視図であって装飾部材３２の一部としてのトップ装飾ユニット３９を前方に分解した図である。図７４は、トップ装飾ユニット３９の分解斜視図である。
【０２９７】
ガラス枠１２の前面側には中央開口１２ｃの上方及び左右側方を囲むように装飾部材３２が配置されている。その装飾部材３２の一部として、パチンコ機２の左右方向における略中央であって、中央開口１２ｃの上方には、トップ装飾ユニット３９が配置されている。
【０２９８】
トップ装飾ユニット３９は、内部にレンズ部、発光部等を有して全体としてユニットとされており、ガラス枠１２に対して前方から取り付けられている。トップ装飾ユニット３９はユニットとされているので、ガラス枠１２に対してユニット全体として容易に着脱することができる。また、トップ装飾ユニット３９においては、リーチ状態や大当り状態等の所定の遊技状況に応じて発光部が演出光を発光し、その演出光がレンズ部によって集光又は拡散されて遊技者に向けて照射されるようになっている。それにより、遊技状況に応じた光演出が提供され、遊技者の興趣を向上させている。
【０２９９】
図７４に示すように、トップ装飾ユニット３９は、その最前面側からカバー部３９ａ、レンズ部３９ｂ、発光部３９ｃ、保持部３９ｄを有している。カバー部３９ａは、トップ装飾ユニット３９全体をカバーして遊技者に視覚的に呈示される部分である。カバー部３９ａは、樹脂で形成された各種部品の組合せによって構成され、各種模様、造形、色彩が付されて演出効果が高められており、その前面中央部分には、レンズ部を前方に露出するための開口が形成されている。
【０３００】
レンズ部３９ｂは、発光部３９ｃからの演出光を集光又は拡散して遊技者に照射するための部分である。レンズ部３９ｂは少なくとも部分的に透明又は透光性を有するガラス又は樹脂により形成され、その後方からの演出光を前方、すなわち遊技者に向けて導く。レンズ部３９ｂの前面は、カバー部３９ａの開口から前方に露出するようになっている。
【０３０１】
発光部３９ｃは、光演出のための演出光を発光するためのＬＥＤ基板を主要構成とする。発光部３９ｃは、基板３９ｅ表面（前方側）に複数のＬＥＤ３９ｆが実装されて構成され、光演出用の制御基板（サブ制御基板）に接続されている。サブ制御基板からの制御信号に基づき、発光タイミング、発光色を変化させることが可能とされている。
【０３０２】
保持部３９ｄは、カバー部３９ａ、レンズ部３９ｂ、発光部３９ｃを保持してガラス枠１２に取り付けるための取付部としての機能を有する。発光部３９ｃの後方に配置される部分は、例えば白色とされて光反射率が高められており、ＬＥＤ３９ｆからの演出光がより高効率で前方に照射されるようになっている。
【０３０３】
＜装飾部材の補強構造＞
図７５は、ガラス枠１２の右側方近傍を斜め左上後方から矢視した斜視図であって、装飾部材３２の後方に補強部材１３とガラス枠シャーシ１２ｓとを分解した図である。
【０３０４】
装飾部材３２の一部としての右側方装飾部材３２ａが、ガラス枠１２の上下方向における略中央であって中央開口１２ｃの右側において前方に突出するように配置されており、ガラス枠１２を構成するガラス枠シャーシ１２ｓに対して前方から装飾部材３２が取り付けられている。右側方装飾部材３２ａの後方には補強部材１３を構成する基部１３ａを挿入するために上下にスリット状に延びる挿入溝３２ｂが形成されている。
【０３０５】
補強部材１３は一枚の板金プレートをＬ字に屈曲することによって形成された部材であって、挿入溝３２ｂに挿入される基部１３ａと、基部１３ａと直交する部分であって、挿入溝３２ｂに基部１３ａを挿入した状態で補強部材１３を右側方装飾部材３２ａに取り付けるための屈曲部１３ｂとを有する。基部１３ａは実質的に台形形状を呈している。屈曲部１３ｂには貫通孔１３ｃが形成されており、右側方装飾部材３２ａの背面には挿入溝３２ｂの左側位置に貫通孔１３ｃに対応するネジ穴３２ｃが形成されている。
【０３０６】
台形形状の基部１３ａの上底に対応する先端部分から基部１３ａを挿入溝３２ｂに挿入し、貫通孔１３ｃとネジ穴３２ｃとにネジを挿入して締結することにより、補強部材１３を右側方装飾部材３２ａの後方に取り付ける。補強部材１３を右側方装飾部材３２ａに取り付けることにより、基部１３ａが右側方装飾部材３２ａをその内部で支持することになり、そのため、右側方装飾部材３２ａは変形し難くなる。その結果、たとえ右側方装飾部材３２ａに対して外部から無理な力が加えられても、基部１３ａが外力の一部を負担するので、右側方装飾部材３２ａひいてはパチンコ機２を変形し難くすることができる。
【０３０７】
右側方装飾部材３２ａが変形し難いので、装飾部材３２を構成する各部材間や右側方装飾部材３２ａとガラス枠シャーシ１２ｓとの間に無理やり隙間を形成したり、広げたりすることが予防され、ピアノ線等の不正工具をパチンコ機２の内部に挿入する等の不正行為を防止することができる。
【０３０８】
なお、基部１３ａの形状は台形形状に限定されない。基部１３ａ及び挿入溝３２ｂのそれぞれの形状は、基部１３ａが挿入溝３２ｂに挿入可能であれば、どのような形状であってもよい。
【０３０９】
＜演出ボタンユニット＞
図７６は、パチンコ機２を斜め右上前方から矢視した外観斜視図であって演出ボタンユニット１８を上方に分解して示した図である。図７７は、演出ボタンユニット１８の内部構造の概略を示すための分解図である。図７８は、演出ボタンユニット１８を上下逆転してその下面を示す斜視図である。
【０３１０】
演出ボタンユニット１８は、上球皿１４ａに組み込まれて配置され、上球皿１４ａの周囲壁１４ｇにおける上面部分に、遊技者がボタンを上から押下容易となる位置に設けられている。演出ボタンユニット１８は、全体としてユニットとされており、ネジにより上球皿１４ａの周囲壁１４ｇ部分に容易に着脱可能とされている。演出ボタンユニット１８のメンテナンス時やデザイン変更時等に簡単に着脱することができるので便利である。
【０３１１】
図７７に示すように、演出ボタンユニット１８は、上方から装飾部１８ａ、操作ボタン部１８ｂ、取付部１８ｃを有して概略構成されている。装飾部１８ａは、演出ボタンユニット１８が周囲壁１４ｇに取り付けられた際に、演出ボタンユニット１８全体の上面周囲を覆う部分であって、上面側に造形及び／又は彩色が付されて演出性を有するデザイン部１８ｄを有している。装飾部１８ａには中央に開口１８ｅが形成されており、下方に位置する操作ボタン部１８ｂが開口１８ｅから臨み、上方に突出するようになっている。
【０３１２】
操作ボタン部１８ｂは、遊技者がボタン操作をする場合に押下される部分であって、開口１８ｅから上方に突出するように配置され、押下操作によって上下に移動可能となっている。操作ボタン部１８ｂは、その最上部にレンズ部材１８ｆを有している。このレンズ部材１８ｆは、透明又は半透明の樹脂で形成され、操作ボタン部１８ｂ内部、すなわちレンズ部材１８ｆの下方に配置されたＬＥＤ基板（不図示）からの演出光を透光させて遊技者に提供することができるようになっている。
【０３１３】
レンズ部材１８ｆは、上面視略楕円形状とされており、その上面１８ｇが遊技者によって押下操作される部分である。上面１８ｇの周囲には、上面を囲むように側面１８ｈが形成され、その側面１８ｈから側方に突出してフランジ部１８ｊが形成されている。上面１８ｇは開口１８ｅと略同じか小さいサイズとされており、フランジ部１８ｊは、上面視において開口１８ｅよりも大きいサイズとなっている。すなわち、操作ボタン部１８ｂがバネ１８ｋによって上方に付勢されても、フランジ部１８ｊが装飾部１８ａに当接して操作ボタン部１８ｂが開口１８ｅから抜けてしまわないようになっている。また、フランジ部１８ｊが開口１８ｅと上面１８ｇとの隙間を塞ぐので、開口１８ｅからの演出ボタンユニット１８内部への異物（例えば、ネジ等の小部品やジュース等の液体）の侵入が防止されるようになっている。
【０３１４】
取付部１８ｃは、操作ボタン部１８ｂ及び装飾部１８ａを保持して演出ボタンユニット１８全体を上球皿１４ａの周囲壁１４ｇに取り付けるためのものである。図７８に示す下面１８ｍには、２つのネジ穴１８ｎが配置されている。周囲壁１４ｇに演出ボタンユニット１８をセットした後に、下方からネジ穴１８ｎにネジを締結することにより、演出ボタンユニット１８が上球皿１４ａに取り付けられるようになっている。
【０３１５】
取付部１８ｃの上面１８ｐには、バネ１８ｋが配置されている。このバネ１８ｋは、操作ボタン部１８ｂを上方に向けて付勢するためのものである。バネ１８ｋの作用により、遊技者が操作ボタン部１８ｂを押下しても、操作ボタン部１８ｂはすぐに上方移動して元の位置に復帰するようになっている。バネ１８ｋの周囲を囲むように円筒壁１８ｔが配置されている。この円筒壁１８ｔに操作ボタン部１８ｂの下端部分が係合されるようになっている。円筒壁１８ｔは、後述する台座１８ｒの一部であり、取付部１８ｃの上面１８ｐから下面１８ｍへと貫通している。
【０３１６】
下面１８ｍには、３つの緩衝部材１８ｑを介して台座１８ｒが取り付けられており、その台座１８ｒに偏心モータ１８ｓが固定されている。緩衝部材１８ｑは、例えばゴムやウレタン等の材料で形成されており、台座１８ｒが偏心モータ１８ｓによって振動した場合に、その振動が下面１８ｍに伝達するのを防止又は減衰している。
【０３１７】
所定の遊技状態になると、制御基板からの指令に基づき偏心モータ１８ｓが回転する。その回転により振動が発生し、振動は台座１８ｒを介して操作ボタン部１８ｂへと伝達する。操作ボタン部１８ｂを押下している遊技者の指に振動が伝達し、遊技者に対して振動による演出が提供されるようになっている。一方、台座１８ｒは緩衝部材１８ｑを介して下面１８ｍに取り付けられているので、台座１８ｒの振動は下面１８ｍ、ひいては取付部１８ｃに伝達し難いようになっている。
【０３１８】
＜ＣＲボタンユニット＞
図７９は、パチンコ機２の上球皿１４ａ近傍の拡大図であって、演出ボタンユニット１８及びＣＲボタンユニット１９を上方に分解して示した図である。
【０３１９】
ＣＲボタンユニット１９の上面１９ｃには、球貸しボタン１９ａ及び返却ボタン１９ｂが配置されている。球貸しボタン１９ａは、押下により所定個数の球貸しが行われるボタンである。遊技者が球貸しボタン１９ａを押下するとパチンコ機２の左側方に設置される図示しないＣＲユニット又はパチンコ機２の賞球払出ユニット９８によって、所定個数の球貸しが行われる。球貸しは、上球皿１４ａへの遊技球の払出し又はＣＲユニットに設けられた球貸し口（不図示）からの遊技球の排出によって行われる。
【０３２０】
返却ボタン１９ｂは、押下によりＣＲカード等の精算用媒体の返却が行われるボタンである。遊技者が、遊技開始時にＣＲユニットに所定金額を投入すると、その金額分がパチンコ機２にクレジットされる。遊技者が球貸しボタン１９ａを押下するごとに、所定個数の遊技球の球貸しが行われ、それに伴い所定のクレジット数が減算される。
【０３２１】
クレジットに残額がある状態で遊技を終了する場合、遊技者は返却ボタン１９ｂを押下する。すると、ＣＲユニットの返却口（不図示）からその残額情報を保持した精算用媒体が遊技者に返却され、パチンコ機２におけるクレジットは０となる。遊技者は、他のパチンコ機に移動し、その精算用媒体を用いて遊技を再開することができる。精算用媒体としては、情報記録機能を有するカードやコイン等の態様が用いられる。
【０３２２】
返却ボタン１９ｂの上面高さは、球貸しボタン１９ａの上面高さよりも低くされている。より好ましくは、返却ボタン１９ｂの上面高さは、ＣＲボタンユニット１９の上面１９ｃよりも低くされ、球貸しボタン１９ａの上面高さは、上面１９ｃよりも低くされる。それにより、意図せず返却ボタン１９ｂを押下してしまうような誤操作を防止することができる。
【０３２３】
ＣＲボタンユニット１９は、図７９に示すように、演出ボタンユニット１８に隣接するように、上球皿１４ａの周囲壁１４ｇに組み付けられている。球貸しボタン１９ａ及び返却ボタン１９ｂが周囲壁１４ｇの上側に露出するように配置され、遊技者が両ボタン１９ａ，１９ｂを容易に押下できるようになっている。ＣＲボタンユニット１９は、全体としてユニットとされており、ネジにより周囲壁１４ｇ部分に容易に着脱可能とされているので、メンテナンス時やデザイン変更時等に簡単に着脱することができて便利である。
【０３２４】
上面視において、ＣＲボタンユニット１９の上面１９ｃの一部が演出ボタンユニット１８とオーバーラップするように両者が配置されている。すなわち、上面１９ｃの左端部近傍に形成された溝部１９ｄの上に演出ボタンユニット１８の装飾部１８ａが重なるようになっている。そのため、周囲壁１４ｇからの取外しの際には、演出ボタンユニット１８を取り外した後に、ＣＲボタンユニット１９の取外しが可能となるようになっている。
【０３２５】
＜十字キーユニット＞
図８０は、パチンコ機２の左側辺近傍における中央やや下方位置であって、上球皿１４ａの左側近傍を拡大して示す図である。図８０においては、十字キーユニット２０を左方向に分解した状態を示している。図８１は、十字キーユニット２０近傍を斜め左上前方から矢視してその内部構造の概略を示す分解斜視図である。図８１においては、十字キーユニット２０以外の構成については、部分的に省略し、破線で示している。
【０３２６】
十字キーユニット２０は、ガラス枠１２における上球皿１４ａの左側に略隣接するように配置され、球抜き部材１４ｃのすぐ上方に位置している。十字キーユニット２０は、その上面２０ａに十字キー２０ｂ（図８１参照）を備え、全体として１つのユニットとされている。十字キー２０ｂは、遊技者が遊技に関して押下操作を行うためのキーボタンであって、略十字形を呈したボタンである。例えば、前後左右位置の４箇所又はそれに中央位置を加えた５箇所にて押下可能であり、押下位置に応じて異なる操作信号をサブ制御基板に向けて送出可能となっている。したがって、十字キーユニット２０とパチンコ機２の制御基板とはハーネス（不図示）によって直接的又は間接的に接続されている。
【０３２７】
例えば、遊技盤６上に配置された演出表示画面内において、上下左右位置の４箇所に選択可能な演出画面が表示されているときに、十字キー２０ｂの前後左右位置の押下により、各々の押下位置に対応付けられた上下左右位置の演出画面が選択されるようになっている。そして、演出画面を選択した後に、十字キー２０ｂの中央位置の押下又は演出ボタンユニット１８における操作ボタン部１８ｂの押下することにより、選択した演出画面が決定され、決定された演出画面に対応する遊技演出が実行されるようになっている。
【０３２８】
十字キーユニット２０の後面２０ｃには、３つの凸部２０ｄが突設されており、各々の凸部２０ｄがネジ穴２０ｅを有している。ガラス枠１２の対応位置には、十字キーユニット２０の取付部２０ｆが形成されており、この取付部２０ｆに十字キーユニット２０が取付け可能となっている。取付部２０ｆには、十字キーユニット２０のハーネス通過用の開口２０ｇが形成され、凸部２０ｄに対応する３箇所に凹部２０ｈが形成されている。凹部２０ｈに凸部２０ｄを挿入することにより、十字キーユニット２０の取付けの際に、簡単に位置決めができるようになっている。
【０３２９】
各凹部２０ｈには、ネジ用の貫通孔２０ｊが形成されている。ガラス枠１２の背面側から貫通孔２０ｊを介してネジ穴２０ｅにネジを締結することにより、十字キーユニット２０がガラス枠１２に取り付けられる。３箇所のネジの着脱により、十字キーユニット２０はユニット全体として容易にガラス枠１２に対して着脱可能とされている。
【０３３０】
十字キーユニット２０は、最上面側から順に、上カバー部２０ｍ、レンズ部２０ｎ、十字キー２０ｂ、支持部２０ｐ、緩衝部２０ｑ、基板部２０ｒ、下カバー部２０ｓを有しており、これらが一体にユニット化されている。上カバー部２０ｍは、透明又は半透明の樹脂部材であり、基板部２０ｒ表面に実装されたＬＥＤからの照明光を透過させて遊技者に提供する。レンズ部２０ｎは、透明又は半透明の樹脂部材であって、異なる面方向を有する多数のカット面を有して構成され、基板部２０ｒ表面に実装されたＬＥＤからの照明光を透過させつつ散乱させ、上カバー部２０ｍへと至らせる。上カバー部２０ｍとレンズ部２０ｎとには、中央開口が開口形成され、その中央開口から十字キー２０ｂが上方に露出するようになっている。
【０３３１】
支持部２０ｐは、平板状の樹脂プレートとバネを有して構成され、遊技者による十字キー２０ｂの押下操作を緩衝部２０ｑを介して基板部２０ｒ上のスイッチ２０ｕに伝達する機能と、押下された十字キー２０ｂをバネによる付勢力で元の位置に復帰させる機能とを有する。
【０３３２】
緩衝部２０ｑは、シリコンゴム等の弾性部材又は緩衝部材により構成された略平板状部材である。この緩衝部２０ｑは、支持部２０ｐから伝達された十字キー２０ｂの押下操作を、基板部２０ｒ上のスイッチ２０ｕに伝達する機能を有している。緩衝部２０ｑは、十字キー２０ｂの５箇所の押下位置（前後左右及び中央）に対応して５箇所の凸部２０ｔを有している。各凸部２０ｔは、上面が閉鎖され、下面が開口してコップを伏せたような形状を呈しており、内部が中空とされている。その中空内部には、導電性を有する小径のコマ部材（不図示）が配置されている。
【０３３３】
この緩衝部２０ｑは、十字キー２０ｂを押下したときのクリック感（押下操作をハッキリと感じ取れるようなカチッとした感触）を実現する機能を有している。つまり、十字キー２０ｂのいずれかの押下位置が押下されると、その位置に対応する凸部２０ｔが弾性によって押下力にある程度抵抗しつつ、押下力が一定の強さを超えた場合に一気に潰れるようになっている。そのため、遊技者は、十字キー２０ｂを押下したときに、操作が確実に行われたことを指先の感触によってハッキリ感じ取れるようになっている。
【０３３４】
凸部２０ｔが潰れると、コマ部材が基板部２０ｒに当接する。基板部２０ｒの表面（上面）には、各押下位置に対応してスイッチ２０ｕが配置されている。スイッチ２０ｕは、導電性を有するコマ部材が当接することにより、検出信号（操作信号）を送出するようになっており、それによって、十字キー２０ｂのどの押下位置が押下されたかが検出できるようになっている。
【０３３５】
下カバー部２０ｓは、十字キーユニット２０全体の下部を覆うための樹脂カバーである。遊技者が十字キー２０ｂを左手の親指で操作する場合に、左手の人差し指を引っ掛けて操作の安定感を増大させるために、下カバー部２０ｓの左側下面部分には、凹状に形成された指掛部２０ｗが配置されている。指掛部２０ｗに人差し指を引っ掛けると左手の位置が安定するので、十字キー２０ｂの操作ミスを予防することができる。
【０３３６】
＜アース端子のガラス枠への取付構造＞
図８２は、ガラス枠１２の右側方近傍を斜め右下後方から矢視した斜視図であって、アース端子４４及びその近傍の拡大斜視図である。
【０３３７】
ガラス枠１２の背面に取り付けられた補強板金１２ｍの右側下部には、基板ベース４８が取り付けられており、基板ベース４８の後方には、球皿電飾基板４１が設けられている。球皿電飾基板４１は、ガラス枠１２の前方に設けられている球皿１４に配置されるＬＥＤ等の発光素子を点消灯させるための基板である。球皿電飾基板４１は、樹脂製のカバー４２によって覆われて保護されている。
【０３３８】
球皿電飾基板４１からは複数のアース線４３が基板ベース４８の右側外部に延びており、各アース線４３の先端には、中央に貫通孔が形成されたアース端子４４が取り付けられている。補強板金１２ｍの右側後方下部には、各アース端子４４の貫通孔に対応する取付孔１２ｔが形成されている。各アース端子４４は、アース端子４４の貫通孔と、補強板金１２ｍの取付孔１２ｔとを介してネジによりガラス枠１２の背面における右側下部に取り付けられる。これにより、補強板金１２ｍを介して各アース線４３のガラス枠シャーシ１２ｓへの接地が実現される。
【０３３９】
基板ベース４８には、各アース線４３の基板ベース４８外部への出口近傍において複数の壁部４５が設けられている。隣り合う２つの壁部４５の間隔は一本のアース線４３の太さよりやや広く、複数のアース線４３のそれぞれは複数の壁部４５のそれぞれによって区分された各空間に配置される。
【０３４０】
各アース線４３が隣り合う２つの壁部４５によって形成される空間に配置されるので、各アース端子４４をネジによりガラス枠１２に対して着脱する場合、各アース線４３のネジを中心とする回転方向の動きが隣り合う２つの壁部４５によって規制される。これにより、各アース端子４４の向きがおおよそ同じ向きに揃う。
【０３４１】
＜振動センサ＞
図８３は、パチンコ機２のガラス枠１２背面における中央下部近傍を斜め右上後方から矢視した斜視図である。図８３においては、説明容易のために外枠４、前枠９及び裏セット盤７０の図示を省略している。
【０３４２】
このパチンコ機２においては、ガラス枠１２の背面側に、振動センサ２７が配置されている。振動センサ２７は、ガラス枠１２の振動が一定強度以上になると検出信号を出力するものであり、圧電素子タイプ、静電容量タイプ、渦電流タイプなどの種々の方式のセンサを適用することができる。振動センサ２７をガラス枠１２の背面側に取り付けることにより、例えば、遊技者がガラス枠１２を殴打する不正行為（いわゆる、ドツキ行為。）を迅速に検出することができ、そのような不正行為の早期発見及び報知を実現することができる。ひいては、そのようなドツキ行為等の不正行為の予防に寄与することができる。
【０３４３】
振動センサ２７は、補強板金１２ｍに直接取り付けられることが好ましい。例えば、図８３に示すように、ガイド通路１２ｂの右側近傍位置であって補強板金１２ｍが後方に露出している部分に振動センサ２７を取り付けることが可能である。ただし、補強板金１２ｍに直接取り付けなくとも、ガラス枠１２に加えられた振動を検出することができる位置であればどの位置でもよく、振動センサ２７をカバー４２上に取り付けてもよいし、基板ベース３３上や基板カバー３５上に取り付けてもよい。
【０３４４】
＜ガラス枠開閉アシストバネ＞
図８４は、パチンコ機２のガラス枠１２背面における右上部近傍を斜め左後方から矢視した斜視図である。
【０３４５】
ガラス枠１２の右上部近傍においては、背面側にガラス枠シャーシ１２ｓが露出している。このガラス枠シャーシ１２ｓの背面にアシストバネ２８が取り付けられている。アシストバネ２８は、バネ鋼材で形成された板バネ部材であって、取付部２８ａの下方に後方に向けて鈍角に屈曲した屈曲部２８ｂを有し、屈曲部の下端側に前枠９に当接するために丸く折り曲げられた当接部２８ｃを有している。
【０３４６】
取付部２８ａは、ガラス枠シャーシ１２ｓの背面に取り付けるための平板状部分であって、２つの取付孔２８ｄと２つの位置決め孔２８ｅとが開口形成されている。２つの取付孔２８ｄと２つの位置決め孔２８ｅに各々対応して、ガラス枠シャーシ１２ｓにも２つの取付用開口と２つの位置決め用開口がそれぞれ開口している。ガラス枠シャーシ１２ｓの前方には、図８４に表れていない装飾部材３２が配置されており、その装飾部材の背面側に２つの取付孔２８ｄに対応する２つの取付ネジ穴が形成され、２つの位置決め孔２８ｅに挿入される２つの位置決め凸部３２ｄが後方突設されている。
【０３４７】
ガラス枠シャーシ１２ｓに対して装飾部材３２を前方から取り付けると、装飾部材３２の位置決め凸部３２ｄがガラス枠シャーシ１２ｓの位置決め用開口を後方に貫通し、装飾部材３２の取付ネジ穴がガラス枠シャーシ１２ｓの取り付け用開口に臨むようになっている。位置決め凸部３２ｄを位置決め孔２８ｅに貫通させ、取付孔２８ｄから取付ネジ穴にネジを締結することにより、アシストバネ２８がガラス枠シャーシ１２ｓに取り付けられる。
【０３４８】
屈曲部２８ｂは、当接部２８ｃに一定の弾性、すなわち付勢力を付与するための部分である。ガラス枠１２を前枠９に対して閉鎖すると、当接部２８ｃが前枠９側の接触部分に当接し、屈曲部２８ｂが延ばされた状態（すなわち、屈曲角度をより鈍角とする方向に付勢された状態）となる。屈曲部２８ｂは元の屈曲角度に復元しようとするので、ガラス枠１２を前枠９から開放方向に付勢した状態で両枠９，１２は閉鎖されることとなる。
【０３４９】
施錠装置６０によりガラス枠１２と前枠９との施錠状態を解除し、ガラス枠１２を前方に開放可能な状態とすると、屈曲部２８ｂが元の屈曲角度に復元しようとする付勢力によって、ガラス枠１２が自然に前方に押し出され、自動的に所定量前方開放するようになっている。
【０３５０】
当接部２８ｃは前枠９の前面側の接触部分に当接して前枠９を付勢するための部分である。当接部２８ｃは後方に丸く折り曲げられており、前枠９への接触抵抗の低減やメンテナンス時等の作業者への安全が図られている。
【０３５１】
なお、アシストバネ２８もガラス枠シャーシ１２ｓも導電性を有する金属であるので、当接部２８ｃと当接する前枠９側の接触部分を導電体としていれば、アシストバネ２８を介して前枠９側とガラス枠１２側との導通が可能である。したがって、前枠９側の接触部分がヒンジ２２等の他の金属部分及び外枠４を介して接地電位とされていれば、アシストバネ２８を介してガラス枠シャーシ１２ｓを接地電位とすることが可能である。
【０３５２】
＜ガラス枠と前枠とのガイド構造＞
図８５は、ガラス枠１２の背面における右側下部近傍を斜め右上後方から矢視した斜視図であって、ガイド凸部１２ｕ及びその近傍の拡大斜視図である。図８６は、前枠９の前面における右側下部近傍を斜め右上前方から矢視した斜視図であって、ガイド筒部９ｘ及びその近傍の拡大斜視図である。
【０３５３】
ガラス枠１２の背面側の右側には、後方に突出し、樹脂によって形成されている円柱状のガイド凸部１２ｕが設けられている。ガイド凸部１２ｕの後方側の端部には、後方側の断面の面積の方が前方側の断面の面積より小さくなるように傾斜するテーパ面１２ｖが形成されている。前枠９の前面側の右側には、前方に突出し、樹脂によって形成されており、中空でかつ断面が左右に長い楕円形状のガイド筒部９ｘが設けられている。ガイド筒部９ｘの内部空間には、ガラス枠１２を前枠９に対して閉鎖した場合にガイド凸部１２ｕが挿入される。上述の通り、ガイド凸部１２ｕの後方側の端部にはテーパ面１２ｖが形成されているので、例えばガラス枠１２の重量に起因してガラス枠１２と前枠９とに位置ずれが発生しても、ガラス枠１２を前枠９に対して容易に閉鎖することができる。すなわち、ガラス枠１２を前枠９に対して閉鎖しようとする際、ガイド筒部９ｘの先端がガイド凸部１２ｕのテーパ面１２ｖを受け入れて、ガイド凸部１２ｕがガイド筒部９ｘの内部空間にスムーズに挿入されるようになっている。
【０３５４】
ガラス枠１２を前枠９に対して閉鎖した場合、パチンコ機２の右側であってヒンジ２２から遠い位置に設けられているガイド凸部１２ｕがガイド筒部９ｘの内部空間に挿入されるので、パチンコ機２に上下方向又は左右方向に無理な外力が加えられても、ガイド凸部１２ｕとガイド筒部９ｘとが外力の一部を負担することになり、パチンコ機２が変形し難くなっている。
【０３５５】
なお、ヒンジ２２を中心として前枠９に対してガラス枠１２を揺動開閉する際、ガイド凸部１２ｕが円弧状の軌跡に沿って移動するが、ガイド筒部９ｘの断面が左右に長い楕円形状であるので、ガイド凸部１２ｕがガイド筒部９ｘに干渉することが防止される。
【０３５６】
＜枠の左側辺における侵入防止構造＞
図８７は、ガラス枠１２の左側上部近傍を斜め右上後方から矢視した斜視図である。図８８は、前枠９の左側上部近傍を斜め右上前方から矢視した斜視図である。図８７に示すヒンジピン８６が、図８８におけるヒンジ２２の軸孔に挿入されて、ガラス枠１２が前枠９に対して前方揺動開閉可能に軸支されるようになっている。図８９は、パチンコ機２における左側辺近傍の部分断面図である。図８９においては、パチンコ機２を上下方向における略中央位置で水平に切断した状態を示しているが、説明容易のために、ガラス枠ブラケット４６及び前枠ブラケット４７のみにハッチングを施している。
【０３５７】
ガラス枠１２の左側辺近傍には、上下に延びるガラス枠ブラケット４６が取り付けられている。ガラス枠ブラケット４６は、ガラス枠１２と前枠９との左側辺における隙間を塞いで、両枠９，１２の隙間からの不正工具等の内部への侵入を防止するためのものである。ガラス枠ブラケット４６は、ガラス枠１２の左側辺近傍における背面側に固定された金属部材であり、左側辺の上端近傍から下端近傍にかけて延びている。
【０３５８】
図８７及び図８９に示すように、ガラス枠ブラケット４６は、水平断面形状を維持したまま上下に延びる棒状材であるが、その断面形状がおおよそ矩形を呈している。ガラス枠ブラケット４６においては、水平断面における両端部が左向きに屈曲する前側屈曲端４６ａと後側屈曲端４６ｂとされており、両屈曲端４６ａ，４６ｂの間に上下に延びるスリット開口４６ｃが形成されている。なお、ガラス枠ブラケット４６は複雑な屈曲断面を有するので、部品製造上の都合に応じて、図８９に示すように、２つの棒状金属部材を溶接結合することによりガラス枠ブラケット４６を構成してもよい。もちろん１つの金属部材を屈曲させてガラス枠ブラケット４６を構成してもよい。
【０３５９】
前枠９の左側辺近傍には、上下に延びる前枠ブラケット４７が取り付けられている。前枠ブラケット４７は、ガラス枠ブラケット４６と協働してガラス枠１２と前枠９との左側辺における隙間を塞ぎ、両枠９，１２の隙間からの不正工具等の内部への侵入を防止するためのものである。前枠ブラケット４７は、前枠９の左側辺近傍における前面側に固定された金属部材であり、ガラス枠ブラケット４６と同様に左側辺の上端近傍から下端近傍にかけて延びている。
【０３６０】
図８８及び図８９に示すように、前枠ブラケット４７は、水平断面形状を維持したまま上下に延びる棒状材であるが、その断面形状が右方向に開口する略コ字状とされている。前枠ブラケット４７の水平断面における両端部が右向きに延びる前側延出端４７ａと後側延出端４７ｂとされており、両延出端４７ａ，４７ｂの間に上下に延びるコの字開口４７ｃが形成されている。
【０３６１】
図８９に示すように、前枠９とガラス枠１２との閉鎖状態において、ガラス枠ブラケット４６のスリット開口４６ｃ内に前枠ブラケット４７の前側延出端４７ａが進入する。同時に、前枠ブラケット４７のコの字開口４７ｃ内にガラス枠ブラケット４６の後側屈曲端４６ｂが進入し、ガラス枠ブラケット４６と前枠ブラケット４７とがいわゆる入れ子構造を呈する。さらに、ガラス枠ブラケット４６の前側屈曲端４６ａが外枠４の左側辺における前方屈曲部４ｄ後方に入り込み、前側屈曲端４６ａと前方屈曲部４ｄもいわゆる入れ子構造を呈する。
【０３６２】
ガラス枠１２と前枠９との左側辺における隙間がガラス枠ブラケット４６と前枠ブラケット４７とによって閉鎖される。しかも、スリット開口４６ｃに前側延出端４７ａが進入することにより入れ子構造を呈しているので、両枠９，１２の左側辺からのパチンコ機２内部への不正工具等の侵入は有効に防止されている。たとえ、スリット開口４６ｃ内に不正工具等が侵入したとしても、後側屈曲端４６ｂと前側延出端４７ａとが殆ど隙間なくオーバーラップしており、その不正工具は袋小路となったガラス枠ブラケット４６内部の遮蔽壁４６ｄに突き当たり、それ以上先に進むことができない。
【０３６３】
前枠９に対してガラス枠１２を前方に揺動開放する際には、ヒンジピン８６を中心にガラス枠ブラケット４６の後側屈曲端４６ｂ及び前枠ブラケット４７の前側延出端４７ａが相対的に回転する。このとき、ヒンジピン８６、後側屈曲端４６ｂ、前側延出端４７ａの位置関係及び寸法は、後側屈曲端４６ｂと前側延出端４７ａとが離間しつつ回転し、互いに干渉せずにスムーズに揺動開放ができるよう設計配置されている。前側屈曲端４６ａと前方屈曲部４ｄも、相互に回転しつつ離間し、お互いに干渉しないようになっている。
【０３６４】
なお、ガラス枠ブラケット４６には、図８７及び図８９に示すように、上下に延びる絞り加工部４６ｅが形成されている。絞り加工部４６ｅは、遮蔽壁４６ｄにおいてその壁面が部分的に左方向に突出するように加工された部分である。絞り加工部４６ｅが形成されることにより、上下方向に細長いガラス枠ブラケット４６の曲げ強度や捩り強度が向上する。したがって、ガラス枠ブラケット４６の強度アップ、ひいてはガラス枠１２の左側辺近傍における強度アップが図られ、不正工具の侵入のみならず、枠９，１２の隙間を広げようとする不正行為をも有効に防止している。
【０３６５】
＜球皿電飾基板＞
図９０は、ガラス枠１２の下部を斜め右上後方から矢視した斜視図であって、後方にカバー４２を分解した図である。
【０３６６】
ガラス枠１２の背面に取り付けられた補強板金１２ｍの右側下部には、球皿電飾基板４１が設けられている。球皿電飾基板４１は、ガラス枠１２の前方に設けられている球皿１４に配置されるＬＥＤ等の発光素子を点消灯させるための基板である。球皿電飾基板４１は、樹脂製のカバー４２によって覆われて保護されている。
【０３６７】
球皿１４の周囲壁１４ｇの一部は透光性部分を有しており、その透光性部分の内側にはＬＥＤ等の発光素子が搭載されている。発光素子が発する光は、透光性部分を介して球皿１４の外部に照射される。発光素子の発光タイミングは、サブ制御基板（不図示）からの制御信号に基づき球皿電飾基板４１を介して制御される。発光のタイミングを制御することにより、球皿１４における光による演出が実行される。
【０３６８】
なお、球皿電飾基板４１には、ガラス枠１２に取り付けられるスピーカが出力する音の量を制御するための音量制御素子が取り付けられてもよい。
【０３６９】
＜サブ制御基板用の金属製カバー＞
パチンコ機２は、液晶表示装置と画像制御基板とを含む液晶表示ユニットを有している。液晶表示装置は直方体の構造を有しており、前面以外の５面（上下側面、左右側面及び後面）が電磁波ノイズによる悪影響（耐ノイズ性）を考慮して金属板で覆われていて、前方に画像を表示するための液晶表示面が形成されている。画像制御基板は、液晶表示装置の後面上に配置されており、液晶表示装置が行う画像形成処理を制御する。画像制御基板も、耐ノイズ性の観点から周囲全体が金属製の外郭体によって覆われており、その外郭体の更に後方にサブ制御基板が配置されている。
【０３７０】
サブ制御基板は、メイン制御基板１００ａと電気的に接続されており、メイン制御基板１００ａからの制御信号をもとにパチンコ機２の演出を制御する。サブ制御基板は、基板上に実装された各種素子を保護するために、樹脂製のサブ基板カバー内に収容されている。更に、サブ基板カバー内には、金属製カバーが配置されている。この金属製カバーはサブ制御基板に対する外来ノイズの影響を低減するためのものであり、サブ制御基板の上下左右側方及び後方又はそれに加えて前方も覆っている。したがって、サブ制御基板は、金属製カバーに覆われてその外側をサブ基板カバーに覆われており、いわゆる二重カバーの状態となっている。
【０３７１】
なお、金属製カバーは、例えば金属板の表面に金属めっきが施されたものであってもよい。サブ制御基板は、サブ基板カバー内の金属製カバーによって覆われて電磁的にシールドされている。そのため、サブ制御基板は、上下、左右及び前後からの電磁波による影響を受け難くなっている。
【０３７２】
＜払出制御基板ユニット＞
図９１は、変形例に係る払出制御基板ユニット１５１の外観斜視図である。（ａ）は、パチンコ機２の取付け状態における斜め左上後方から矢視した斜視図であり、（ｂ）は、パチンコ機２の取付け状態における斜め左下後方から矢視した斜視図である。この払出制御基板ユニット１５１は、一部の構成を除き、前述の払出制御基板ユニット１５０と同様の構成を有しているので、その相違点を主として説明し、その他の説明については省略する。
【０３７３】
払出制御基板ユニット１５１は、賞球払出ユニット９８に向けて賞球払出動作実行のための払出動作信号を送出するもので、払出制御基板ケース１５２内に払出制御基板が収納されて構成される。払出制御基板ケース１５２には、その右上角部分に補強部１５２ｇが形成されている。補強部１５２ｇは、払出制御基板ケース１５２の右面１５２ａから若干奥まって上方に突出する上面１５２ｂ側と、上面１５２ｂから若干奥まって右方に突出する右面１５２ａ側とを右上角において接続するリブ状部分である。この補強部１５２ｇの存在によって、払出制御基板ケース１５２の右面１５２ａ近傍と上面１５２ｂ近傍との接続部分近傍、すなわち右上角近傍における機械的強度が補強されている。
【０３７４】
図９１（ａ）に示すように、払出制御基板ケース１５２の背面における左方位置には、ハーネスクランプ１５３ａが後方から取り付けられる。また、図９１（ｂ）に示すように、払出制御基板ケース１５２の下面にもハーネスクランプ１５３ｂが下方から取り付けられる。これらのハーネスクランプ１５３ａ，１５３ｂは、払出制御基板のコネクタに接続されるハーネスを保持してその通過経路を規制するためのものである。
【０３７５】
払出制御基板ケース１５２におけるハーネスクランプ１５３ａの取付位置には、ハーネスクランプ１５３ａ取付用の取付孔１５２ｃが開口形成され、その上下に２本のガイドリブ１５２ｄが左右方向に突設されている。略長方形状を呈するハーネスクランプ１５３ａの取付座面１５３ｃを、２本のガイドリブ１５２ｄの間に沿わせるように配置し、ハーネスクランプ１５３ａの先端突起１５３ｄを取付孔１５２ｃに挿入することにより、ハーネスクランプ１５３ａを払出制御基板ケース１５２に取り付ける。２本のガイドリブ１５２ｄに取付座面１５３ｃが挟まれているので、ハーネスクランプ１５３ａが先端突起１５３ｄを中心に回転してしまうことがなく、取付姿勢を安定させることができる。
【０３７６】
払出制御基板ケース１５２におけるハーネスクランプ１５３ｂの取付位置には、ハーネスクランプ１５３ｂ取付用の取付孔１５２ｅが開口形成され、その上下に２本のガイドリブ１５２ｆが左右方向に突設されている。ハーネスクランプ１５３ｂにおいても、略長方形状を呈する取付座面１５３ｅを、２本のガイドリブ１５２ｆの間に沿わせるように配置し、ハーネスクランプ１５３ｂの先端突起１５３ｆを取付孔１５２ｅに挿入して、払出制御基板ケース１５２に取り付ける。ハーネスクランプ１５３ｂにおいてもハーネスクランプ１５３ａと同様に、先端突起１５３ｆを中心に回転してしまうことがなく、取付姿勢が安定する。
【０３７７】
＜遊技盤の保持構造＞
図９２は、前枠９の背面側における左側下部近傍を斜め右上後方から矢視した斜視図である。図９２においては、遊技盤の左側下部における取付位置近傍を後方から示している。前枠９側に形成された前側当接部２５と遊技盤フック７５とで遊技盤の前面側と背面側とを挟むように保持している。より具体的には、前側当接部２５の背面側にある当接面２５ａと遊技盤フック７５の前面側にある保持面７５ｂとによって、遊技盤の左側下部を保持している。
【０３７８】
当接面２５ａは、遊技盤の前面（表面）と略平行に形成され、実質的に前後方向に直交する面である。したがって、遊技盤を安定的に保持することができる。
【０３７９】
図９３は、前枠９の背面側における左側上部近傍を斜め右上後方から矢視した斜視図である。図９３においては、遊技盤の左側上部における取付位置近傍を後方から示している。前枠９側に形成された前側当接リブ２９と遊技盤フック７５とで遊技盤の前面側と背面側とを挟むように保持している。より具体的には、前側当接リブ２９の背面側にあるリブ面２９ａと遊技盤フック７５の前面側にある保持面７５ｂとによって、遊技盤の左側下部を保持している。
【０３８０】
リブ面２９ａは、遊技盤の前面（表面）と略平行に形成され、実質的に前後方向に直交する面である。したがって、遊技盤を安定的に保持することができる。前側当接リブ２９は、第１リブ２９ｂ、第２リブ２９ｃ、第３リブ２９ｄの他に第４リブ２９ｅも有しており、全体としてのリブ面２９ａの面積を大きく確保している。したがって、遊技盤の保持安定性を一層向上させている。
【０３８１】
＜裏セット盤の前方当接面＞
図９４は、裏セット盤７０の右側上部近傍を斜め右上前方から矢視した斜視図である。図９４においては、右上ロック構造１２１近傍における前面側を示している。右上ロック構造１２１のロックスライダ１２５の近傍位置には、前方当接部７０ｒが形成されている。前方当接部７０ｒは、ロックスライダ１２５の左側方近傍において、裏セット盤７０の前面から前方に突出するように形成されており、好ましくは、裏セット盤７０の本体主要部を構成する樹脂製の裏セット上部フレーム７０ｓと一体成形されている。
【０３８２】
図９４に示すように、前方当接部７０ｒは、鉛直断面が略四角形状であってその略中央に上下に延びるリブ７０ｕを有し、全体として「日」の字を横倒ししたような中空形状を呈して前後に延びて形成されている。前枠９に対して裏セット盤７０が閉鎖された際に、この前方当接部７０ｒの前面が前方当接面７０ｔとして前枠９の背面側に当接するようになっている。
【０３８３】
前方当接面７０ｔが中央に上下方向のリブ７０ｕを有しており、全体としてその断面積が大きく確保されている。したがって、前枠９と裏セット盤７０との閉鎖が繰り返し行われた場合の前方当接部７０ｒの破損や摩耗が低減されている。
【０３８４】
以上、本発明の好ましい実施の形態を説明したが、本発明はこれらに限定されるものではなく、その要旨の範囲内で様々な変形や変更が可能である。
【符号の説明】
【０３８５】
パチンコ機：２                                  遊技機枠：３
外枠：４                                        保持プレート：４ａ
保持軸：４ｂ                                    内面：４ｃ
前方屈曲部：４ｄ                                遊技盤ユニット：５
遊技盤：６                                      遊技盤面：６ａ
前枠：９                                        係止孔：９ｃ
フック孔：９ｄ                                  払出口：９ｅ
案内ガイド：９ｆ，９ｇ                          挿入孔：９ｈ
突起部：９ｊ                                    開口部：９ｋ，９ｍ
シャッター：９ｎ                                中央開口：９ｐ
突部：９ｑ                                      当接リブ：９ｒ
前方規制面：９ｓ                                レール壁：９ｔ
左側面：９ｕ                                    ストッパ部材：９ｖ
右側面：９ｗ                                    ガイド筒部：９ｘ
矢印：Ａ，Ｂ，Ｃ，Ｅ，Ｆ，Ｇ，Ｈ，Ｊ，Ｋ
発射ユニット：Ｃ１                              二点鎖線：Ｄ
アウト口ユニット：Ｕ                            位置Ｌ
矢印α，β，γ                                  ガラス：１０
ガラスユニット：１１                            ガラスフレーム：１１ａ
把持部：１１ｂ                                  突起部：１１ｃ
取付部：１１ｄ                                  下部領域：１１ｅ
ガラス枠：１２                                  ガイド通路：１２ａ
ガイド通路：１２ｂ                              中央開口：１２ｃ
取付孔：１２ｄ                                  回転フック：１２ｅ
排出口：１２ｆ                                  排出口：１２ｇ
挿入孔：１２ｈ                                  係止爪：１２ｊ
排出口：１２ｋ                                  補強板金：１２ｍ
曲げ部：１２ｎ                                  孔部：１２ｐ
ガラス枠シャーシ：１２ｓ                        取付孔：１２ｔ
ガイド凸部：１２ｕ                              テーパ面：１２ｖ
補強部材：１３                                  基部：１３ａ
屈曲部：１３ｂ                                  貫通孔：１３ｃ
球皿：１４                                      上球皿：１４ａ
下球皿：１４ｂ                                  球抜き部材：１４ｃ，１４ｄ
球抜きプレート：１４ｅ                          球抜き通路：１４ｆ
周囲壁：１４ｇ                                          発射装置ハンドル：１５
ホルダ部：１５ａ                                回転ハンドル部：１５ｂ
レンズ部：１５ｃ                                突部：１５ｄ
取付穴：１５ｅ                                  把持部：１５ｆ，１５ｇ
ストップボタン：１５ｊ                          軸部：１５ｋ
ボタン部：１５ｍ                                作動部：１５ｎ
球止めスイッチ：１５ｐ                          スイッチ片：１５ｑ
遊技領域：１６                                  演出ボタンユニット：１８
装飾部：１８ａ                                  操作ボタン部：１８ｂ
取付部：１８ｃ                                  デザイン部：１８ｄ
開口：１８ｅ                                    レンズ部材：１８ｆ
上面：１８ｇ                                    側面：１８ｈ
フランジ部：１８ｊ                              バネ：１８ｋ
下面：１８ｍ                                    ネジ穴：１８ｎ
上面：１８ｐ                                    緩衝部材：１８ｑ
台座：１８ｒ                                    偏心モータ：１８ｓ
円筒壁：１８ｔ                                  ＣＲボタンユニット：１９
球貸しボタン：１９ａ                            返却ボタン：１９ｂ
上面：１９ｃ                                    溝部：１９ｄ
十字キーユニット：２０                          上面：２０ａ
十字キー：２０ｂ                                後面：２０ｃ
凸部：２０ｄ                                    ネジ穴：２０ｅ
取付部：２０ｆ                                  開口：２０ｇ
凹部：２０ｈ                                    貫通孔：２０ｊ
上カバー部：２０ｍ                              レンズ部：２０ｎ
支持部：２０ｐ                                  緩衝部：２０ｑ
基板部：２０ｒ                                  下カバー部：２０ｓ
凸部：２０ｔ                                    スイッチ：２０ｕ
指掛部：２０ｗ                                  下側ヒンジ：２１
ヒンジ：２２                                    穴部：２２ａ
解除レバー：２２ｂ                              壁部：２２ｃ
欠損部：２２ｄ                                  遊技球：２３
内レール：２４                                  前側当接部：２５
当接面：２５ａ                                  レール飾り部：２６
案内斜面：２６ｂ                                前方傾斜面：２６ｃ
後方傾斜面：２６ｄ                              左肩部：２６ｅ
右肩部：２６ｆ                                  振動センサ：２７
アシストバネ：２８                              取付部：２８ａ
屈曲部：２８ｂ                                  当接部：２８ｃ
取付孔：２８ｄ                                  位置決め孔：２８ｅ
前側当接リブ：２９                              リブ面：２９ａ
第１リブ：２９ｂ                                第２リブ：２９ｃ
第３リブ：２９ｄ                                第４リブ：２９ｅ
アウト口部：３０                                左側アウト口：３０ａ
右側アウト口：３０ｂ                            左外面：３０ｃ
左内面：３０ｄ                                  右内面：３０ｅ
右外面：３０ｆ                                  大入賞口取付孔：３１ａ
装飾部材：３２                                  右側方装飾部材：３２ａ
挿入溝：３２ｂ                                  ネジ穴：３２ｃ
位置決め凸部：３２ｄ                            基板ベース：３３
ガラス枠中継基板：３４                          上側中継基板：３４ａ
下側中継基板：３４ｂ                            基板カバー：３５
開口：３５ａ                                    ハーネスクランプ：３６ａ，３６ｂ
ハーネス：３７ａ，３７ｂ，３７ｃ                ガイド面：３８
トップ装飾ユニット：３９                        カバー部：３９ａ
レンズ部：３９ｂ                                発光部：３９ｃ
保持部：３９ｄ                                  基板：３９ｅ
ＬＥＤ：３９ｆ                                  流入口：４０
球皿電飾基板：４１                              カバー：４２
アース線：４３                                  アース端子：４４
壁部：４５                                      ガラス枠ブラケット：４６
前側屈曲端：４６ａ                              後側屈曲端：４６ｂ
スリット開口：４６ｃ                            遮蔽壁：４６ｄ
絞り加工部：４６ｅ                              前枠ブラケット：４７
前側延出端：４７ａ                              後側延出端：４７ｂ
コの字開口：４７ｃ                              基板ベース：４８
幕板：５０                                      スピーカグリッド：５０ａ
ドロワコネクタ（オス側）：５０ｂ                ドロワコネクタ（メス側）：５０ｃ
内側ピン：５０ｄ                                外側ピン：５０ｅ
下部スピーカ：５２
ネジ：５３                                      開閉センサ：５４，５６，５８
検出片：５５，５７，５９                        施錠装置：６０
施錠構造本体部：６０ａ                          キーシリンダ部：６０ｂ
鍵穴：６０ｃ                                    前方フック：６０ｄ
後方フック：６０ｅ                              賞球払出通路：６１
アウト球用集合通路：６２                        ファール球回収カバー：６３
上部開口：６３ａ                                突片：６３ｂ
フック：６３ｃ                                  発射通路：６３ｄ
ファール球流入通路：６３ｅ                      仕切り壁：６３ｆ，６３ｇ
通路：６３ｈ，６３ｊ                            補強リブ：６３ｋ
傾斜面：６３ｍ，６３ｎ                          ファール球回収口：６４
流入口：６４ｂ                                  払出口：６５
切断部材：６６                                  刃部：６６ａ
発射ユニットカバー：６７                        軸穴：６７ａ
フック：６７ｂ                                  取付孔：６７ｃ
軸：６７ｄ                                      突起部：６７ｅ
ネジ孔：６７ｆ                                  発射レール：６８
ハンマー：６９                                  支軸部：６９ａ
吸着部：６９ｂ                                  打球部：６９ｃ
当接部：６９ｄ                                  裏セット盤：７０
前面：７０ａ                                    裏セットフレーム部材：７０ｂ
裏セットカバー：７０ｃ                          前端面：７０ｄ
中央開口：７０ｅ                                取付けスペース：７０ｆ，７０ｋ
案内溝：７０ｇ                                  係止フック：７０ｈ，７０ｎ
ツマミ：７０ｊ                                  案内ガイド：７０ｍ
軸部：７０ｐ                                    フック用開口：７０ｑ
前方当接部：７０ｒ                              裏セット上部フレーム：７０ｓ
前方当接面：７０ｔ                              リブ：７０ｕ
引張型ソレノイド：７１                          ストッパ：７２ａ，７２ｂ
オーバーフロー通路カバー：７３                  ガイド面：７３ａ，７３ｂ，７３ｃ
フック：７３ｄ                                  開口部：７３ｅ
シャッター：７３ｆ                              右側遊技盤フック：７４
フック部材：７４ａ                              軸部材：７４ｂ
バネ：７４ｃ                                    ナット：７４ｄ
円筒部：７４ｅ                                  当接部：７４ｆ
突起：７４ｇ                                    突部：７４ｈ
左側遊技盤フック：７５                          テーパ面：７５ａ
保持面：７５ｂ                                  外レール：７６
前方端辺：７６ａ                                後方端辺：７６ｂ
切欠き：７６ｃ                                  レール取付具：７７
前面：７７ａ                                    側方突部：７７ｂ
ガイド孔：７７ｃ                                摺動面：７７ｄ
後面：７７ｅ                                    フック部：７７ｆ
左右挿入片：７７ｇ                              上部挿入片：７７ｈ
アース板金：７８                                周溝：７９
取付凹部：８０                                  取付面：８０ａ
突部：８０ｂ                                    左右ガイド：８０ｃ
ガイド：８０ｄ                                  フック部：８０ｅ
側壁：８０ｆ                                    集合通路：８１
集合開口：８１ａ                                上段傾斜路：８１ｂ
下段傾斜路：８１ｃ                              補強リブ：８１ｄ
集合通路カバー：８２                            排出口：８３
電波センサ：８４                                ヒンジピン：８６
軸部：８６ａ                                    腕部：８６ｂ
ロックアーム：８７                              軸：８７ａ
フック部：８７ｂ                                アーム部：８７ｃ
Ｌ字開口：８８                                  上下溝：８８ａ
左右溝：８８ｂ                                  球送り通路：８９
終端：８９ａ                                    整流器：９２
前カバー：９２ａ                                流入口：９２ｂ
後カバー：９２ｃ                                突起：９２ｄ
取付けフック：９２ｅ                            係止孔：９２ｆ
係止フック：９２ｇ                              送出口：９２ｈ
球送り部材：９３                                球受け面：９３ａ
球止め部：９３ｂ                                中心軸：９３ｃ
ソレノイド：９４                                待機路：９５
ツマミ部：９６                                  賞球払出ユニット：９８
球抜きレバー：９８ａ                            上縁部：９８ｂ
下縁部：９８ｃ                                  第１ケース：９８ｄ
第２ケース：９８ｅ                              取付孔：９８ｆ
賞球通路：９８ｇ                                排出通路：９８ｈ
排出口：９８ｊ，９８ｍ                          流入口：９８ｋ，９８ｎ
スプロケット：９８ｐ                            通過センサ：９８ｑ
軸：９８ｒ                                      軸保持部：９８ｓ
湾曲突部：９８ｔ                                電波センサ：９８ｕ
ネジ：９９                                      メイン制御基板ユニット：１００
メイン制御基板：１００ａ                        メイン制御基板ケース：１００ｂ
貼付面：１００ｃ                                突起：１００ｄ
突設部：１００ｇ                                係止面：１００ｈ
突部：１００ｊ                                  球タンク：１０１
取付穴：１０１ａ                                タンクレール：１０２
第１カバー部材：１０２ａ                        第２カバー部材：１０２ｂ
第３カバー部材：１０２ｃ                        軸：１０２ｄ
先端部：１０２ｅ                                排出口：１０２ｆ
賞球待機通路：１０３                            取付けフック：１０３ａ
流入口：１０３ｂ                                下端部：１０３ｃ
第１通路部材：１０３ｄ                          第２通路部材：１０３ｅ
突設リブ：１０３ｆ                              テーパ部：１０３ｇ
アース線：１０４                                賞球排出通路：１０５
ロック部材：１０５ａ                            流入口：１０５ｂ，１０５ｃ
ストッパ：１０６                                扉用ガイド部材：１０７
開閉蓋：１０７ａ                                枠用ガイド開口：１０８
切欠き部：１０８ａ                              枠用ハーネス：１０８ｂ
扉用ガイド開口：１０９                          左側部：１０９ａ
扉用ハーネス：１０９ｂ                          前枠ハーネス開口：１１０
底面：１１０ａ                                  支持リブ：１１１
前端面：１１１ａ，１１１ｄ，１１１ｆ            ボス：１１１ｃ
突出体：１１１ｅ                                支持面：１１１ｇ
カシメ部材：１１３                              本体部：１１３ａ
フランジ部：１１３ｂ                            小径部：１１３ｃ，１１３ｈ
大径部：１１３ｄ，１１３ｇ                      突出部：１１３ｅ
端部：１１３ｆ                                  溝部：１１３ｊ
テーパ部：１１３ｋ                              縦溝部：１１３ｍ
突出ピン：１１３ｎ                              カシメ用突出部：１１３ｐ
拡張部：１１４                                  切断部：１１４ａ
切欠き部：１１４ｂ                              拡張片：１１４ｃ，１１４ｆ，１１４ｊ
スリット：１１４ｄ                              底部：１１４ｅ，１１４ｈ
屈曲部：１１４ｇ                                カシメ用孔部：１１４ｋ
本体ケース：１１５                              貫通孔：１１５ａ
蓋ケース：１１６                                挿入穴：１１６ａ
入口部分：１１６ｂ                              係合溝部：１１６ｃ
位置決め部：１１７                              電源基板ユニット：１２０
電源基板：１２０ａ                              電源基板ケース：１２０ｂ
コネクタ：１２０ｃ                              オンオフスイッチ：１２０ｄ
スイッチカバー：１２０ｅ                        把持部：１２０ｆ
係止孔：１２０ｇ                                フック：１２０ｈ
板金部材：１２０ｊ                              突出ガイド：１２０ｋ
係止孔：１２０ｍ                                後面：１２０ｎ
嵌合部：１２０ｐ                                嵌合凹部：１２０ｑ
右上ロック構造：１２１                          係合孔：１２１ａ
右下ロック構造：１２２                          左上ロック構造：１２３
左下ロック構造：１２４                          スライダ部材：１２４ａ
スライド孔：１２４ｂ                            押さえ部：１２４ｃ
ネジ：１２４ｄ                                  突起：１２４ｅ
橋桁状部材：１２４ｆ                            係合孔：１２４ｇ
右端部：１２４ｈ                                ロックスライダ：１２５
スライド孔：１２５ａ                            案内ガイド部：１２５ｂ
ガイドフック部：１２５ｃ                        前面：１２５ｄ
係止フック部：１２５ｅ                          ガイド溝：１２５ｆ
ネジ：１２５ｇ                                  テーパ面：１２５ｈ
段差部：１２５ｊ                                払出制御基板ユニット：１５０
案内溝：１５０ａ                                係止爪部：１５０ｂ
後面：１５０ｃ                                  係止フック：１５０ｄ
払出制御基板ユニット：１５１                    払出制御基板ケース：１５２
右面：１５２ａ                                  上面：１５２ｂ
取付孔：１５２ｃ，１５２ｅ                      ガイドリブ：１５２ｄ，１５２ｆ
補強部：１５２ｇ
ハーネスクランプ：１５３ａ，１５３ｂ            取付座面：１５３ｃ，１５３ｅ
先端突起：１５３ｄ，１５３ｆ
【図１】
2013135826.tif 000003
【図２】
2013135826.tif 000004
【図３】
2013135826.tif 000005
【図４】
2013135826.tif 000006
【図５】
2013135826.tif 000007
【図６】
2013135826.tif 000008
【図７】
2013135826.tif 000009
【図８】
2013135826.tif 000010
【図９】
2013135826.tif 000011
【図１０】
2013135826.tif 000012
【図１１】
2013135826.tif 000013
【図１２】
2013135826.tif 000014
【図１３】
2013135826.tif 000015
【図１４】
2013135826.tif 000016
【図１５】
2013135826.tif 000017
【図１６】
2013135826.tif 000018
【図１７】
2013135826.tif 000019
【図１８】
2013135826.tif 000020
【図１９】
2013135826.tif 000021
【図２０】
2013135826.tif 000022
【図２１】
2013135826.tif 000023
【図２２】
2013135826.tif 000024
【図２３】
2013135826.tif 000025
【図２４】
2013135826.tif 000026
【図２５】
2013135826.tif 000027
【図２６】
2013135826.tif 000028
【図２７】
2013135826.tif 000029
【図２８】
2013135826.tif 000030
【図２９】
2013135826.tif 000031
【図３０】
2013135826.tif 000032
【図３１】
2013135826.tif 000033
【図３２】
2013135826.tif 000034
【図３３】
2013135826.tif 000035
【図３４】
2013135826.tif 000036
【図３５】
2013135826.tif 000037
【図３６】
2013135826.tif 000038
【図３７】
2013135826.tif 000039
【図３８】
2013135826.tif 000040
【図３９】
2013135826.tif 000041
【図４０】
2013135826.tif 000042
【図４１】
2013135826.tif 000043
【図４２】
2013135826.tif 000044
【図４３】
2013135826.tif 000045
【図４４】
2013135826.tif 000046
【図４５】
2013135826.tif 000047
【図４６】
2013135826.tif 000048
【図４７】
2013135826.tif 000049
【図４８】
2013135826.tif 000050
【図４９】
2013135826.tif 000051
【図５０】
2013135826.tif 000052
【図５１】
2013135826.tif 000053
【図５２】
2013135826.tif 000054
【図５３】
2013135826.tif 000055
【図５４】
2013135826.tif 000056
【図５５】
2013135826.tif 000057
【図５６】
2013135826.tif 000058
【図５７】
2013135826.tif 000059
【図５８】
2013135826.tif 000060
【図５９】
2013135826.tif 000061
【図６０】
2013135826.tif 000062
【図６１】
2013135826.tif 000063
【図６２】
2013135826.tif 000064
【図６３】
2013135826.tif 000065
【図６４】
2013135826.tif 000066
【図６５】
2013135826.tif 000067
【図６６】
2013135826.tif 000068
【図６７】
2013135826.tif 000069
【図６８】
2013135826.tif 000070
【図６９】
2013135826.tif 000071
【図７０】
2013135826.tif 000072
【図７１】
2013135826.tif 000073
【図７２】
2013135826.tif 000074
【図７３】
2013135826.tif 000075
【図７４】
2013135826.tif 000076
【図７５】
2013135826.tif 000077
【図７６】
2013135826.tif 000078
【図７７】
2013135826.tif 000079
【図７８】
2013135826.tif 000080
【図７９】
2013135826.tif 000081
【図８０】
2013135826.tif 000082
【図８１】
2013135826.tif 000083
【図８２】
2013135826.tif 000084
【図８３】
2013135826.tif 000085
【図８４】
2013135826.tif 000086
【図８５】
2013135826.tif 000087
【図８６】
2013135826.tif 000088
【図８７】
2013135826.tif 000089
【図８８】
2013135826.tif 000090
【図８９】
2013135826.tif 000091
【図９０】
2013135826.tif 000092
【図９１】
2013135826.tif 000093
【図９２】
2013135826.tif 000094
【図９３】
2013135826.tif 000095
【図９４】
2013135826.tif 000096